(57)【特許請求の範囲】
【請求項１】
回路と、配線と、を有し、
前記回路は、第１のメモリセルと、第２のメモリセルと、を有し、
前記第１のメモリセルは、第１のトランジスタと、第２のトランジスタと、第１の容量素子と、を有し、
前記第２のメモリセルは、第３のトランジスタと、第４のトランジスタと、第２の容量素子と、を有し、
前記第２のメモリセルは、前記第１のメモリセル上に積層され、
前記第１のトランジスタのソース及びドレインの一方は、前記第２のトランジスタのゲート、及び前記第１の容量素子と電気的に接続され、
前記第３のトランジスタのソース及びドレインの一方は、前記第４のトランジスタのゲート、及び前記第２の容量素子と電気的に接続され、
前記第１のトランジスタのゲート及び前記第３のトランジスタのゲートは、前記配線と電気的に接続され、
前記回路は、第１の半導体と、
前記第１の半導体上の第１の絶縁体と、
前記第１の絶縁体上の導電体と、
前記導電体上の第２の絶縁体と、
前記第２の絶縁体上の第２の半導体と、を有し、
前記第１の半導体は、前記第１のトランジスタのチャネル形成領域を有し、
前記第１の絶縁体は、前記第１のトランジスタのゲート絶縁層としての機能を有し、
前記導電体は、前記第１のトランジスタのゲートとしての機能、及び、前記第３のトランジスタのゲートとしての機能を有し、
前記第２の絶縁体は、前記第３のトランジスタのゲート絶縁層としての機能を有し、
前記第２の半導体は、前記第３のトランジスタのチャネル形成領域を有する、記憶装置。
【請求項２】
回路と、配線と、を有し、
前記回路は、第１のメモリセルと、第２のメモリセルと、を有し、
前記第１のメモリセルは、第１のトランジスタと、第２のトランジスタと、第１の容量素子と、を有し、
前記第２のメモリセルは、第３のトランジスタと、第４のトランジスタと、第２の容量素子と、を有し、
前記第２のメモリセルは、前記第１のメモリセル上に積層され、
前記第１のトランジスタのゲート及び前記第３のトランジスタのゲートは、前記配線と電気的に接続され
前記第１のトランジスタのソース及びドレインの一方は、前記第２のトランジスタのゲート、及び前記第１の容量素子と電気的に接続され、
前記第３のトランジスタのソース及びドレインの一方は、前記第４のトランジスタのゲート、及び前記第２の容量素子と電気的に接続され、
前記第１のトランジスタ、前記第２のトランジスタ、前記第３のトランジスタ、及び前記第４のトランジスタの各々は、チャネル形成領域に酸化物半導体を有し、
前記回路は、第１の半導体と、
前記第１の半導体上の第１の絶縁体と、
前記第１の絶縁体上の導電体と、
前記導電体上の第２の絶縁体と、
前記第２の絶縁体上の第２の半導体と、を有し、
前記第１の半導体は、前記第１のトランジスタのチャネル形成領域を有し、
前記第１の絶縁体は、前記第１のトランジスタのゲート絶縁層としての機能を有し、
前記導電体は、前記第１のトランジスタのゲートとしての機能、及び、前記第３のトランジスタのゲートとしての機能を有し、
前記第２の絶縁体は、前記第３のトランジスタのゲート絶縁層としての機能を有し、
前記第２の半導体は、前記第３のトランジスタのチャネル形成領域を有する、記憶装置。
【請求項３】
請求項２において、
行ドライバと、列ドライバと、を有し、
前記回路は、前記行ドライバ及び前記列ドライバの上方に積層され、
前記行ドライバに含まれるトランジスタ、及び前記列ドライバに含まれるトランジスタの各々は、チャネル形成領域にシリコンを有する、記憶装置。
【請求項４】
請求項１乃至３のいずれか一項において、
複数の前記回路を有し、
前記回路が複数積層されている、記憶装置。
【請求項５】
請求項１乃至４のいずれか一項において、
記憶容量が１テラバイト以上である、記憶装置。
【請求項６】
請求項１乃至５のいずれか一項に記載の記憶装置と、ホスト装置と、を有し、
前記ホスト装置と前記記憶装置とが電気的に接続されている、電子機器。
【発明の詳細な説明】
【技術分野】
【０００１】
本発明の一態様は、記憶装置、又は該記憶装置を有する電子機器に関する。
【０００２】
なお本発明の一態様は、上記の技術分野に限定されない。本明細書等で開示する発明の技術分野は、物、方法、又は、製造方法に関するものである。又は、本発明の一態様は、プロセス、マシン、マニュファクチャ、又は、組成物（コンポジション・オブ・マター）に関するものである。そのため、より具体的に本明細書で開示する本発明の一態様の技術分野としては、半導体装置、表示装置、液晶表示装置、発光装置、蓄電装置、撮像装置、記憶装置、プロセッサ、電子機器、それらの駆動方法、それらの製造方法、それらの検査方法、又はそれらのシステムを一例として挙げることができる。
【背景技術】
【０００３】
近年、パーソナルコンピュータ、スマートフォン、デジタルカメラなどさまざまな電子機器に、セントラルプロセシングユニット（Ｃｅｎｔｒａｌ  Ｐｒｏｃｅｓｓｉｎｇ  Ｕｎｉｔ（ＣＰＵ））やメモリ、センサなどといった半導体装置が用いられており、当該半導体装置は、微細化、及び低消費電力など様々な面で改良が進められている。
【０００４】
特に、電子機器の小型化が進められており、それに伴い、電子機器の有する半導体装置の微細化が求められている。記憶装置を例に挙げると、メモリセルに３次元構造（積層構造）を採用すること、記憶装置内のメモリセルを多値化すること、などがある。
【０００５】
また、これらのメモリセルの書き込みトランジスタに、チャネル形成領域が酸化物半導体で形成されているトランジスタ（以下、「酸化物半導体トランジスタ」又は「ＯＳトランジスタ」と呼ぶ場合がある。）を適用することが提案されている。例えば、特許文献１には、書き込みトランジスタをＯＳトランジスタとすることで、電力が供給されない状況でもデータ保持が可能なメモリセルが記載されている。ＯＳトランジスタを用いたメモリは、不揮発性メモリとして使用することが可能である。
【先行技術文献】
【特許文献】
【０００６】
【特許文献１】特開２０１１−１８７９５０号公報
【非特許文献】
【０００７】
【非特許文献１】Ｔ．  Ｏｈｍａｒｕ，  ｅｔ  ａｌ．，”  Ｅｉｇｈｔ−ｂｉｔ  ＣＰＵ  ｗｉｔｈ  Ｎｏｎｖｏｌａｔｉｌｅ  Ｒｅｇｉｓｔｅｒｓ  Ｃａｐａｂｌｅ  ｏｆ  Ｈｏｌｄｉｎｇ  Ｄａｔａ  ｆｏｒ  ４０  Ｄａｙｓ  ａｔ  ８５℃  Ｕｓｉｎｇ  Ｃｒｙｓｔａｌｌｉｎｅ  Ｉｎ−Ｇａ−Ｚｎ  Ｏｘｉｄｅ  Ｔｈｉｎ  Ｆｉｌｍ  Ｔｒａｎｓｉｓｔｏｒｓ，”    Ｅｘｔ．  Ａｂｓｔｒ．  Ｓｏｌｉｄ−Ｓｔａｔｅ  Ｄｅｖｉｃｅｓ  ａｎｄ  Ｍａｔｅｒｉａｌｓ，  ２０１２，  ｐｐ．１１４４−１１４５．
【非特許文献２】Ｈ．  Ｋｏｂａｙａｓｈｉ  ｅｔ  ａｌ．，  ”Ｐｒｏｃｅｓｓｏｒ  ｗｉｔｈ  ４．９−μｓ  ｂｒｅａｋ−ｅｖｅｎ  ｔｉｍｅ  ｉｎ  ｐｏｗｅｒ  ｇａｔｉｎｇ  ｕｓｉｎｇ  ｃｒｙｓｔａｌｌｉｎｅ  Ｉｎ−Ｇａ−Ｚｎ−ｏｘｉｄｅ  ｔｒａｎｓｉｓｔｏｒ，”  Ｃｏｏｌ  Ｃｈｉｐｓ  ＸＶＩ，  Ｓｅｓｓｉｏｎ  ＶＩ，  ２０１３．
【非特許文献３】Ｓ．  Ｎｉｃｌａｓ  ｅｔ  ａｌ．，  ”Ｚｅｒｏ  Ａｒｅａ  Ｏｖｅｒｈｅａｄ  Ｓｔａｔｅ  Ｒｅｔｅｎｔｉｏｎ  Ｆｌｉｐ  Ｆｌｏｐ  Ｕｔｉｌｉｚｉｎｇ  Ｃｒｙｓｔａｌｌｉｎｅ  Ｉｎ−Ｇａ−Ｚｎ  Ｏｘｉｄｅ  Ｔｈｉｎ  Ｆｉｌｍ  Ｔｒａｎｓｉｓｔｏｒ  ｗｉｔｈ  Ｓｉｍｐｌｅ  Ｐｏｗｅｒ  Ｃｏｎｔｒｏｌ  Ｉｍｐｌｅｍｅｎｔｅｄ  ｉｎ  ａ  ３２−ｂｉｔ  ＣＰＵ，”  Ｅｘｔ．  Ａｂｓｔｒ．  Ｓｏｌｉｄ−Ｓｔａｔｅ  Ｄｅｖｉｃｅｓ  ａｎｄ  Ｍａｔｅｒｉａｌｓ，  ２０１３，  ｐｐ．  １０８８−１０８９．
【非特許文献４】Ｈ．  Ｔａｍｕｒａ  ｅｔ  ａｌ．，  ”Ｅｍｂｅｄｄｅｄ  ＳＲＡＭ  ａｎｄ  Ｃｏｒｔｅｘ−Ｍ０  Ｃｏｒｅ  ｗｉｔｈ  Ｂａｃｋｕｐ  Ｃｉｒｃｕｉｔｓ  Ｕｓｉｎｇ  ａ  ６０−ｎｍ  Ｃｒｙｓｔａｌｌｉｎｅ  Ｏｘｉｄｅ  Ｓｅｍｉｃｏｎｄｕｃｔｏｒ  ｆｏｒ  Ｐｏｗｅｒ  Ｇａｔｉｎｇ，”  Ｃｏｏｌ  Ｃｈｉｐｓ  ＸＶＩＩ，  Ｓｅｓｓｉｏｎ  ＸＩＩ，  ２０１４．
【非特許文献５】Ａ．Ｉｓｏｂｅ  ｅｔ  ａｌ．，  ”Ａ  ３２−ｂｉｔ  ＣＰＵ  ｗｉｔｈ  Ｚｅｒｏ  Ｓｔａｎｄｂｙ  Ｐｏｗｅｒ  ａｎｄ  １．５−ｃｌｏｃｋ  Ｓｌｅｅｐ／２．５−ｃｌｏｃｋ  Ｗａｋｅ−ｕｐ  Ａｃｈｉｅｖｅｄ  ｂｙ  Ｕｔｉｌｉｚｉｎｇ  ａ  １８０−ｎｍ  Ｃ−ａｘｉｓ  Ａｌｉｇｎｅｄ  Ｃｒｙｓｔａｌｌｉｎｅ  Ｉｎ−Ｇａ−Ｚｎ  Ｏｘｉｄｅ  Ｔｒａｎｓｉｓｔｏｒ，”  ＩＥＥＥ  Ｓｙｍｐ．  ＶＬＳＩ  ｃｉｒｃｕｉｔｓ，  ２０１４，  ｐｐ．４９−５０．
【非特許文献６】Ｔ．  Ａｔｓｕｍｉ  ｅｔ  ａｌ．，”  ＤＲＡＭ  Ｕｓｉｎｇ  Ｃｒｙｓｔａｌｌｉｎｅ  Ｏｘｉｄｅ  Ｓｅｍｉｃｏｎｄｕｃｔｏｒ  ｆｏｒ  Ａｃｃｅｓｓ  Ｔｒａｎｓｉｓｔｏｒｓ  ａｎｄ  ｎｏｔ  Ｒｅｑｕｉｒｉｎｇ  Ｒｅｆｒｅｓｈ  ｆｏｒ  Ｍｏｒｅ  Ｔｈａｎ  Ｔｅｎ  Ｄａｙｓ，”  Ｉｎｔｅｒｎａｔｉｏｎａｌ  Ｍｅｍｏｒｙ  Ｗｏｒｋｓｈｏｐ，  ２０１２，  ｐｐ．  ９９−１０２．
【非特許文献７】Ｓ．  Ｎａｇａｔｓｕｋａ  ｅｔ  ａｌ．，  ”Ａ  ３ｂｉｔ／ｃｅｌｌ  Ｎｏｎｖｏｌａｔｉｌｅ  Ｍｅｍｏｒｙ  ｗｉｔｈ  Ｃｒｙｓｔａｌｌｉｎｅ  Ｉｎ−Ｇａ−Ｚｎ−Ｏ  ＴＦＴ，”  Ｉｎｔｅｒｎａｔｉｏｎａｌ  Ｍｅｍｏｒｙ  Ｗｏｒｋｓｈｏｐ，  ２０１３，  ｐｐ．  １８８−１９１．
【非特許文献８】Ｔ．  Ｉｓｈｉｚｕ  ｅｔ  ａｌ．，  ”ＳＲＡＭ  ｗｉｔｈ  Ｃ−Ａｘｉｓ  Ａｌｉｇｎｅｄ  Ｃｒｙｓｔａｌｌｉｎｅ  Ｏｘｉｄｅ  Ｓｅｍｉｃｏｎｄｕｃｔｏｒ：  Ｐｏｗｅｒ  Ｌｅａｋａｇｅ  Ｒｅｄｕｃｔｉｏｎ  Ｔｅｃｈｎｉｑｕｅ  ｆｏｒ  Ｍｉｃｒｏｐｒｏｃｅｓｓｏｒ  Ｃａｃｈｅｓ，”  Ｉｎｔｅｒｎａｔｉｏｎａｌ  Ｍｅｍｏｒｙ  Ｗｏｒｋｓｈｏｐ，  ２０１４，  ｐｐ．  １０３−１０６．
【非特許文献９】Ｔ．  Ｏｎｕｋｉ  ｅｔ  ａｌ  ．，  ”ＤＲＡＭ  ｗｉｔｈ  Ｓｔｏｒａｇｅ  Ｃａｐａｃｉｔａｎｃｅ  ｏｆ  ３．９  ｆＦ  ｕｓｉｎｇ  ＣＡＡＣ−ＯＳ  Ｔｒａｎｓｉｓｔｏｒ  ｗｉｔｈ  Ｌ  ｏｆ  ６０  ｎｍ  ａｎｄ  ｈａｖｉｎｇ  Ｍｏｒｅ  Ｔｈａｎ  １−ｈ  Ｒｅｔｅｎｔｉｏｎ  Ｃｈａｒａｃｔｅｒｉｓｔｉｃｓ，”  Ｅｘｔ．  Ａｂｓｔｒ．  Ｓｏｌｉｄ−Ｓｔａｔｅ  Ｄｅｖｉｃｅｓ  ａｎｄ  Ｍａｔｅｒｉａｌｓ，  ２０１４，  ｐｐ．  ４３０−４３１．
【非特許文献１０】Ｔ．  Ｍａｔｓｕｚａｋｉ  ｅｔ  ａｌ．，  ”Ａ  １２８ｋｂ  ４ｂｉｔ／ｃｅｌｌ  ｎｏｎｖｏｌａｔｉｌｅ  ｍｅｍｏｒｙ  ｗｉｔｈ  ｃｒｙｓｔａｌｌｉｎｅ  Ｉｎ−Ｇａ−Ｚｎ  ｏｘｉｄｅ  ＦＥＴ  ｕｓｉｎｇ  Ｖｔ  ｃａｎｃｅｌ  ｗｒｉｔｅ  ｍｅｔｈｏｄ，”  ＩＳＳＣＣ  Ｄｉｇ．  Ｔｅｃｈ．  Ｐａｐｅｒｓ，  ｐｐ．  ３０６−３０７，  Ｆｅｂ．，  ２０１５．
【非特許文献１１】Ｙ．  Ｋｏｂａｙａｓｈｉ  ｅｔ  ａｌ．，  ”Ｓｃａｌｉｎｇ  ｔｏ  １００ｎｍ  Ｃｈａｎｎｅｌ  Ｌｅｎｇｔｈ  ｏｆ  Ｃｒｙｓｔａｌｌｉｎｅ  Ｉｎ−Ｇａ−Ｚｎ−Ｏｘｉｄｅ  Ｔｈｉｎ  Ｆｉｌｍ  Ｔｒａｎｓｉｓｔｏｒｓ  ｗｉｔｈ  Ｅｘｔｒｅｍｅｌｙ  Ｌｏｗ  Ｏｆｆ−Ｓｔａｔｅ  Ｃｕｒｒｅｎｔ，”  Ｅｘｔ．  Ａｂｓｔｒ．  Ｓｏｌｉｄ−Ｓｔａｔｅ  Ｄｅｖｉｃｅｓ  ａｎｄ  Ｍａｔｅｒｉａｌｓ，  ２０１３，  ｐｐ．  ９３０−９３１．
【非特許文献１２】Ｙ．  Ｙａｋｕｂｏ  ｅｔ  ａｌ．，  ”Ｈｉｇｈ−ｓｐｅｅｄ  ａｎｄ  Ｌｏｗ−ｌｅａｋａｇｅ  Ｃｈａｒａｃｔｅｒｉｓｔｉｃｓ  ｏｆ  ６０−ｎｍ  Ｃ−ａｘｉｓ  Ａｌｉｇｎｅｄ  Ｃｒｙｓｔａｌｌｉｎｅ  Ｏｘｉｄｅ  Ｓｅｍｉｃｏｎｄｕｃｔｏｒ  ＦＥＴ  ｗｉｔｈ  ＧＨｚ−ｏｒｄｅｒｅｄ  Ｃｕｔｏｆｆ  Ｆｒｅｑｕｅｎｃｙ，”  Ｅｘｔ．  Ａｂｓｔｒ．  Ｓｏｌｉｄ−Ｓｔａｔｅ  Ｄｅｖｉｃｅｓ  ａｎｄ  Ｍａｔｅｒｉａｌｓ，  ２０１４，  ｐｐ．  ６４８−６４９．
【発明の概要】
【発明が解決しようとする課題】
【０００８】
特に、記憶装置に３次元構造を適用する場合、積層する膜が増えてくるため、記憶装置を作製する際に行う、成膜工程、リソグラフィ法によるパターニング工程、エッチング工程、加熱処理工程などのプロセス数が多くなる。
【０００９】
プロセス数が多くなると、その分プロダクトタイムの増加に繋がるため、記憶装置の作製が完了するのに時間がかかる。また、プロセス数の増加は、異物の混入、人的ミスなどのトラブルの発生も多くなる場合があるので、記憶装置作製の歩留まりの低下に繋がる恐れがある。
【００１０】
本発明の一態様は、新規な記憶装置を提供することを課題の一つとする。又は、本発明の一態様は、新規な記憶装置を有するモジュールを提供することを課題の一とする。又は、本発明の一態様は、新規な記憶装置を有するモジュールを使用した電子機器を提供することを課題の一とする。又は、本発明の一態様は、新規な半導体装置、新規なモジュール、新規な電子機器、又は新規なシステムなどを提供することを課題の一とする。
【００１１】
又は、本発明の一態様は、構成する膜の数を減らした記憶装置、又は該記憶装置を有する電子機器を提供することを課題の一とする。又は、本発明の一態様は、作製工程の数を減らした記憶装置、又は該記憶装置を有する電子機器を提供することを課題の一とする。又は、本発明の一態様は、記憶容量の大きい新規の記憶装置、又は該記憶装置を有する電子機器を提供することを課題の一とする。
【００１２】
なお本発明の一態様の課題は、上記列挙した課題に限定されない。上記列挙した課題は、他の課題の存在を妨げるものではない。なお他の課題は、以下の記載で述べる、本項目で言及していない課題である。本項目で言及していない課題は、当業者であれば明細書又は図面等の記載から導き出せるものであり、これらの記載から適宜抽出することができる。なお、本発明の一態様は、上記列挙した課題、及び他の課題のうち、少なくとも一つの課題を解決するものである。なお、本発明の一態様は、上記列挙した課題、及び他の課題の少なくとも一つについて、全ての課題を解決する必要はない。
【課題を解決するための手段】
【００１３】
（１）
本発明の一態様は、回路と、配線と、を有し、回路は、第１のメモリセルと、第２のメモリセルと、を有し、第１のメモリセルは、第１のトランジスタと、第２のトランジスタと、第１の容量素子と、を有し、第２のメモリセルは、第３のトランジスタと、第４のトランジスタと、第２の容量素子と、を有し、第２のメモリセルは、第１のメモリセル上に積層され、第１のトランジスタのソース又はドレインの一方は、第２のトランジスタのゲート、及び第１の容量素子と電気的に接続され、第３のトランジスタのソース又はドレインの一方は、第４のトランジスタのゲート、及び第２の容量素子と電気的に接続され、第１のトランジスタのゲート及び第３のトランジスタのゲートは、配線と電気的に接続されている記憶装置である。
【００１４】
（２）
又は、本発明の一態様は、回路と、配線と、を有し、回路は、第１のメモリセルと、第２のメモリセルと、を有し、第１のメモリセルは、第１のトランジスタと、第２のトランジスタと、第１の容量素子と、を有し、第２のメモリセルは、第３のトランジスタと、第４のトランジスタと、第２の容量素子と、を有し、第２のメモリセルは、第１のメモリセル上に積層され、第１のトランジスタのゲート及び第３のトランジスタのゲートは、配線と電気的に接続され、第１のトランジスタのソース又はドレインの一方は、第２のトランジスタのゲート、及び第１の容量素子と電気的に接続され、第３のトランジスタのソース又はドレインの一方は、第４のトランジスタのゲート、及び第２の容量素子と電気的に接続され、第１のトランジスタ、第２のトランジスタ、第３のトランジスタ、及び第４のトランジスタは、チャネル形成領域に酸化物半導体を有する記憶装置である。
【００１５】
（３）
又は、本発明の一態様は、前記（２）において、行ドライバと、列ドライバと、を有し、回路は、行ドライバ及び列ドライバの上方に積層され、行ドライバ及び列ドライバは、チャネル形成領域に酸化物半導体以外の材料を有するトランジスタを有する記憶装置である。
【００１６】
（４）
又は、本発明の一態様は、前記（１）乃至（３）のいずれか一項において、第１の半導体と、第１の半導体上の第１の絶縁体と、第１の絶縁体上の導電体と、導電体上の第２の絶縁体と、第２の絶縁体上の第２の半導体と、を有し、第１の半導体は、第１のトランジスタのチャネル形成領域を有し、第１の絶縁体は、第１のトランジスタのゲート絶縁層としての機能を有し、導電体は、第１のトランジスタのゲートとしての機能、及び、第３のトランジスタのゲートとしての機能を有し、第２の絶縁体は、第３のトランジスタのゲート絶縁層としての機能を有し、第２の半導体は、第３のトランジスタのチャネル形成領域を有する記憶装置である。
【００１７】
（５）
又は、本発明の一態様は、前記（１）乃至（４）のいずれか一項において、複数の回路を有し、回路が複数積層されている記憶装置である。
【００１８】
（６）
又は、本発明の一態様は、前記（１）乃至（５）のいずれか一項において、記憶容量が１テラバイト以上である記憶装置である。
【００１９】
（７）
又は、本発明の一態様は、前記（１）乃至（６）のいずれか一項に記載の記憶装置と、ホスト装置と、を有し、ホスト装置と記憶装置とが電気的に接続されている電子機器である。
【発明の効果】
【００２０】
本発明の一態様によって、新規な記憶装置を提供することができる。又は、本発明の一態様によって、新規な記憶装置を有するモジュールを提供することができる。又は、本発明の一態様によって、新規な記憶装置を有するモジュールを使用した電子機器を提供することができる。又は、本発明の一態様によって、新規な半導体装置、新規なモジュール、新規な電子機器又は新規なシステムなどを提供することができる。
【００２１】
又は、本発明の一態様によって、構成する膜の数を減らした記憶装置、又は該記憶装置を有する電子機器を提供することができる。又は、本発明の一態様によって、作製工程の数を減らした記憶装置、又は該記憶装置を有する電子機器を提供することができる。又は、本発明の一態様によって、記憶容量の大きい新規の記憶装置、又は該記憶装置を有する電子機器を提供することができる。
【００２２】
なお本発明の一態様の効果は、上記列挙した効果に限定されない。上記列挙した効果は、他の効果の存在を妨げるものではない。なお他の効果は、以下の記載で述べる、本項目で言及していない効果である。本項目で言及していない効果は、当業者であれば明細書又は図面等の記載から導き出せるものであり、これらの記載から適宜抽出することができる。なお、本発明の一態様は、上記列挙した効果、及び他の効果のうち、少なくとも一つの効果を有するものである。従って本発明の一態様は、場合によっては、上記列挙した効果を有さない場合もある。
【図面の簡単な説明】
【００２３】
【図１】記憶装置の有するメモリセルアレイの構造例を示す断面模式図。
【図２】記憶装置の有するメモリセルの構成例を示す回路図。
【図３】記憶装置の有するメモリセルの構成例を示す回路図。
【図４】記憶装置の有するメモリセルの構成例を示す回路図。
【図５】記憶装置の構成例を示すブロック図。
【図６】記憶装置の動作例を示すタイミングチャート。
【図７】記憶装置の有するメモリセルの構造例を示す断面模式図。
【図８】図７のメモリセルの上面模式図。
【図９】記憶装置の有するメモリセルアレイの構成例を示すブロック図。
【図１０】記憶装置の有するメモリセルアレイの構造例を示す断面模式図。
【図１１】トランジスタの構成例を示す断面図。
【図１２】トランジスタの構成例を示す断面図。
【図１３】記憶装置の構成例を示す概念図、回路図及び模式図。
【図１４】記憶装置の構成例を示す回路図及び断面図。
【図１５】メモリセルの積層数と記憶装置のビット面積の関係を示す図。
【図１６】ＯＳ−ＦＥＴのチャネル長の変遷を示す図。
【図１７】リムーバブル記憶装置の構成例を示す模式図。
【図１８】電子機器の構成例を示すブロック図。
【図１９】電子部品の作製例を示すフローチャートと、電子部品の一例を示す斜視図。
【図２０】電子機器を示す図。
【図２１】情報端末の構成例を示す模式図。
【図２２】記憶装置の一例を示すブロック図。
【図２３】トランジスタの構成例を示す上面図及び断面図。
【図２４】トランジスタの構成例を示す断面図及びエネルギーバンド図。
【図２５】酸素が拡散する経路を示す断面図。
【図２６】トランジスタの構成例を示す上面図及び断面図。
【図２７】トランジスタの構成例を示す上面図及び断面図。
【図２８】トランジスタの構成例を示す上面図及び断面図。
【図２９】トランジスタの構成例を示す上面図及び断面図。
【図３０】トランジスタの構成例を示す上面図及び断面図。
【図３１】トランジスタの構成例を示す上面図及び断面図。
【図３２】ＣＡＡＣ−ＯＳ及び単結晶酸化物半導体のＸＲＤによる構造解析を説明する図、ならびにＣＡＡＣ−ＯＳの制限視野電子回折パターンを示す図。
【図３３】ＣＡＡＣ−ＯＳの断面ＴＥＭ像、ならびに平面ＴＥＭ像及びその画像解析像。
【図３４】ｎｃ−ＯＳの電子回折パターンを示す図、及びｎｃ−ＯＳの断面ＴＥＭ像。
【図３５】ａ−ｌｉｋｅ  ＯＳの断面ＴＥＭ像。
【図３６】Ｉｎ−Ｇａ−Ｚｎ酸化物の電子照射による結晶部の変化を示す図。
【発明を実施するための形態】
【００２４】
本明細書において、酸化物半導体をＯＳ（Ｏｘｉｄｅ  Ｓｅｍｉｃｏｎｄｕｃｔｏｒ）と表記する場合がある。そのため、チャネル形成領域に酸化物半導体を有するトランジスタをＯＳトランジスタという場合がある。
【００２５】
（実施の形態１）
本実施の形態では、開示する発明の一態様の記憶装置について説明する。
【００２６】
＜メモリセルの回路構成例＞
図２は、本発明の一態様である記憶装置のメモリセルの構成例を示している。図２は、メモリセルＭＣ１と、メモリセルＭＣ２と、を有するメモリセルセット１００を示している。
【００２７】
メモリセルセット１００は、配線ＷＬと、配線ＷＢＬ１と、配線ＷＢＬ２と、配線ＲＢＬと、配線ＳＬと、配線ＣＬ１と、配線ＣＬ２と、に電気的に接続されている。
【００２８】
メモリセルＭＣ１は、トランジスタＯＳ１−１と、トランジスタＯＳ１−２と、容量素子Ｃ１と、を有している。トランジスタＯＳ１−１のソース又はドレインの一方は、トランジスタＯＳ１−２のゲートと、容量素子Ｃ１の第１電極と電気的に接続され、トランジスタＯＳ１−１のソース又はドレインの他方は、配線ＷＢＬ１と電気的に接続され、トランジスタＯＳ１−１のゲートは、配線ＷＬと電気的に接続されている。トランジスタＯＳ１−２のソース又はドレインの一方は、配線ＳＬと電気的に接続され、トランジスタＯＳ１−２のソース又はドレインの他方は、配線ＲＢＬと電気的に接続されている。容量素子Ｃ１の第２電極は、配線ＣＬ１と電気的に接続されている。なお、トランジスタＯＳ１−１のソース又はドレインの一方と、容量素子Ｃ１の第１電極と、トランジスタＯＳ１−２のゲートと、の接続部をノードＮＤ１とする。
【００２９】
メモリセルＭＣ２は、トランジスタＯＳ２−１と、トランジスタＯＳ２−２と、容量素子Ｃ２と、を有している。トランジスタＯＳ２−１のソース又はドレインの一方は、トランジスタＯＳ２−２のゲートと、容量素子Ｃ２の第１電極と電気的に接続され、トランジスタＯＳ２−１のソース又はドレインの他方は、配線ＷＢＬ２と電気的に接続され、トランジスタＯＳ２−１のゲートは、配線ＷＬと電気的に接続されている。トランジスタＯＳ２−２のソース又はドレインの一方は、配線ＳＬと電気的に接続され、トランジスタＯＳ２−２のソース又はドレインの他方は、配線ＲＢＬと電気的に接続されている。容量素子Ｃ２の第２電極は、配線ＣＬ２と電気的に接続されている。なお、トランジスタＯＳ２−１のソース又はドレインの一方と、容量素子Ｃ２の第１電極と、トランジスタＯＳ２−２のゲートと、の接続部をノードＮＤ２とする。
【００３０】
トランジスタＯＳ１−１、トランジスタＯＳ１−２、トランジスタＯＳ２−１、及びトランジスタＯＳ２−２は、ＯＳトランジスタを用いるのが好ましい。ＯＳトランジスタの構成材料及び構造については、実施の形態５で詳述する。
【００３１】
配線ＷＬは、ワード線であり、配線ＷＢＬ１及び配線ＷＢＬ２は書き込みビット線であり、配線ＲＢＬは読み出しビット線である。
【００３２】
配線ＷＬによって、トランジスタＯＳ１−１の導通、非導通状態の制御が行われ、かつトランジスタＯＳ２−１の導通、非導通状態の制御が行われる。
【００３３】
配線ＣＬ１は、書き込み動作又は読み出し動作時に、容量素子Ｃ１の第２電極に一定の電圧を供給するための配線である。また、配線ＣＬ２は、書き込み動作又は読み出し動作時に、容量素子Ｃ２の第２電極に一定の電圧を供給するための配線である。
【００３４】
配線ＳＬは、読み出し動作時に、トランジスタＯＳ１−２のソース又はドレインの他方及びトランジスタＯＳ２−２のソース又はドレインの他方に一定電圧を供給するための配線である。
【００３５】
上述の構成にすることによって２つのメモリセルに接続するワード線（配線ＷＬ）を１本に共有することができる。このため、メモリセルセット１００を有する記憶装置の配線数を少なくすることができる。
【００３６】
なお、本発明の一態様は、上述した回路の構成例に限定されない。場合によって、又は、状況に応じて、上述の回路構成を適宜変更してもよい。例えば、図３に示すように、メモリセルＭＣ１に接続されている配線ＷＢＬ１に配線ＲＢＬの機能を持たせ、かつメモリセルＭＣ２に接続されている配線ＷＢＬ２に配線ＲＢＬの機能を持たせることで、図２に示した配線ＲＢＬを無くすことができる。つまり、図２に示した回路の配線を減らすことができる。
【００３７】
また、例えば、図４（Ａ）のメモリセルセット１２０又は図４（Ｂ）のメモリセルセット１３０に示すように、トランジスタＯＳ１−１、トランジスタＯＳ１−２、トランジスタＯＳ２−１、トランジスタＯＳ２−２にバックゲートＢＧ、を設けた構成としてもよい。図４（Ａ）に示す回路は、配線ＢＧＬ１−１、ＢＧＬ１−２、ＢＧＬ２−１、及びＢＧＬ２−２を有している。トランジスタＯＳ１−１のバックゲートＢＧ、トランジスタＯＳ１−２のバックゲートＢＧ、トランジスタＯＳ２−１のバックゲートＢＧ、及びトランジスタＯＳ２−２のバックゲートＢＧは、それぞれ配線ＢＧＬ１−１、ＢＧＬ１−２、ＢＧＬ２−１、及びＢＧＬ２−２に電気的に接続している。配線ＢＧＬ１−１、ＢＧＬ１−２、ＢＧＬ２−１、ＢＧＬ２−２に電位を印加することによって、それぞれトランジスタＯＳ１−１、トランジスタＯＳ１−２、トランジスタＯＳ２−１、及びトランジスタＯＳ２−２のしきい値電圧を制御することができる。また、図４（Ｂ）に示すメモリセルセット１３０のように、トランジスタＯＳ１−１のバックゲートＢＧとトランジスタＯＳ１−１のゲートを電気的に接続し、トランジスタＯＳ１−２のバックゲートＢＧと容量素子Ｃ１の第２電極を電気的に接続し、トランジスタＯＳ２−１のバックゲートＢＧとトランジスタＯＳ２−１のゲートを電気的に接続し、トランジスタＯＳ２−２のバックゲートＢＧと容量素子Ｃ２の第２電極を電気的に接続した構成としてもよい。このような構成にすることで、トランジスタＯＳ１−１、トランジスタＯＳ１−２、トランジスタＯＳ２−１、及びトランジスタＯＳ２−２が導通状態のときに流れる電流を増加させることができる。また、トランジスタにバックゲートを設ける構成は、図４（Ａ）、及び図４（Ｂ）に限定せず、一部のトランジスタのみにバックゲートを設ける構成、又はバックゲートＢＧを上述した以外の箇所に接続する構成など適宜変更することができる。
【００３８】
このように、図２に示した回路に対して、取捨したい機能に応じて、配線数、素子、処理回路などを増減することができる。
【００３９】
＜メモリセルアレイと周辺ドライバの構成例＞
図５は、メモリセルアレイと周辺ドライバを有するメモリの構成例を示すブロック図である。半導体装置２００は、メモリセルアレイ２０３と、行ドライバ２０１と、列ドライバ２０２と、を有する。メモリセルアレイ２０３は、メモリセルセット１００と、配線ＷＬと、配線ＷＢＬ１と、配線ＷＢＬ２と、配線ＲＢＬと、配線ＳＬと、配線ＣＬ１と、配線ＣＬ２と、を有する。メモリセルセット１００は、前述のとおりメモリセルＭＣ１と、メモリセルＭＣ２と、を有する。メモリセルセット１００の数はｍ×ｎ個あり、行方向にｎ個（ｎは１以上の整数）、列方向にｍ個（ｍは１以上の整数）、行列状に配置されている。同じ行のメモリセルセット１００は、当該行の配線ＷＬ、配線ＣＬ１、及び配線ＣＬ２と電気的に接続され、同じ列のメモリセルセット１００は、当該列の配線ＷＢＬ１と、配線ＷＢＬ２と、配線ＲＢＬと、配線ＳＬと、に電気的に接続されている。
【００４０】
配線ＷＬは、行ドライバ２０１と電気的に接続され、ワード線として機能することができる。行ドライバ２０１は、アクセス要求されたメモリセルを選択状態にするための信号を配線ＷＬに出力する機能を有する。配線ＷＢＬ１及び配線ＷＢＬ２は、列ドライバ２０２と電気的に接続され、書き込みビット線として機能し、配線ＲＢＬは、列ドライバ２０２と電気的に接続され、読み出しビット線として機能する。列ドライバ２０２は、接続された配線をコンディショニングする（例えば、プリチャージする）機能、選択状態のメモリセルにデータを書き込む機能、及び同メモリセルからデータを読み出す機能を有する。
【００４１】
配線ＣＬ１及び配線ＣＬ２は、行ドライバ２０１と電気的に接続され、書き込み動作又は読み出し動作時に、容量素子Ｃ１の第２電極に一定の電圧を供給する配線として機能する。配線ＳＬは、列ドライバ２０２と電気的に接続され、読み出し動作時に、トランジスタＯＳ１−２のソース又はドレインの他方及びトランジスタＯＳ２−２のソース又はドレインの他方に一定電圧を供給するための配線として機能する。
【００４２】
本実施の形態に係る半導体装置２００は、図５で示した構成に限定されない。場合によって、又は、状況に応じて、半導体装置２００の構成を変更してもよい。例えば、図３に示す回路構成を半導体装置２００に適用して、メモリセルＭＣ１に接続されている配線ＷＢＬ１に配線ＲＢＬの機能を持たせ、かつメモリセルＭＣ２に接続されている配線ＷＢＬ２に配線ＲＢＬの機能を持たせることで、図５に示した配線ＲＢＬを無くしてもよい。また、例えば、図４（Ａ）のメモリセルセット１２０に示すように、トランジスタＯＳ１−１、トランジスタＯＳ１−２、トランジスタＯＳ２−１、及びトランジスタＯＳ２−２にバックゲートＢＧを設け、配線ＢＧＬ１−１、ＢＧＬ１−２、ＢＧＬ２−１、ＢＧＬ２−２を追加した構成としてもよい。このように回路構成、又は動作方法の変更に伴って、メモリセル、行ドライバ２０１、及び列ドライバ２０２の構成に必要な回路素子、配線、及び機能の追加を行って、又は、不要な回路素子、配線、及び機能の削除を行って、半導体装置２００の構成を適宜変更してもよい。
【００４３】
＜動作例＞
次に、メモリセルセット１００の動作例について説明する。
【００４４】
図６は、メモリセルセット１００のメモリセルＭＣ１の動作例を示すタイミングチャートである。図６において、配線ＷＬ、配線ＷＢＬ１、配線ＲＢＬ、配線ＳＬ、配線ＣＬ１の低（Ｌ）レベルの電位は、ＶＳＳＨとしている。ＶＳＳＨは接地電位（ＧＮＤ）や、０Ｖとすればよい。配線ＷＬ、配線ＣＬ１の高（Ｈ）レベルの電位はＶＤＤＨであり、ＷＢＬ１、ＲＢＬ、ＳＬの高（Ｈ）レベルの電位はＶＤＤＭである。ここでは、ＶＤＤＨはＶＤＤＭよりも高いこととする。
【００４５】
期間Ｐ１、Ｐ３、Ｐ５はスタンバイ期間（Ｓｔｄｂｙ）である。期間Ｐ１、Ｐ３、Ｐ５では、配線ＷＬ、配線ＣＬ１、配線ＳＬの電位はＬレベルとされる。つまり、メモリセルＭＣ１は非選択状態である。また、期間Ｐ１、Ｐ３、Ｐ５では、配線ＲＢＬをＨレベルにプリチャージしている。ここでは、例として、メモリセルＭＣ１の記憶容量は１ビットとする。期間Ｐ１において、”１”を保持しているノードＮＤ１の電位はＨレベルであり、”０”を保持しているノードＮＤ１はＬレベルである。
【００４６】
＜＜書き込み動作＞＞
期間Ｐ２は書き込み期間（Ｗｒｉｔｅ）である。選択行の配線ＷＬの電位をＨレベルにして、トランジスタＯＳ１−１をオンにする。メモリセルＭＣ１に”１”を書き込む場合は、配線ＷＢＬ１の電位をＨレベルにし、”０”を書き込む場合は、配線ＷＢＬ１の電位をＬレベルにする。選択されたメモリセルＭＣ１において、ノードＮＤ１の電位は、配線ＷＢＬ１の電位に応じて、ＶＤＤＭ又はＶＳＳＭとなる。
【００４７】
次に、配線ＷＬの電位をＬレベルにして、トランジスタＯＳ１−１をオフにする。ノードＮＤ１は電気的に浮遊状態となり、メモリセルＭＣ１は保持状態となる。なお、配線ＷＬとノードＮＤ１とが容量結合しているため、トランジスタＯＳ１−１がオフ状態となることで、ノードＮＤ１の電位は若干低下する。配線ＷＢＬ１の電位をＬレベルにすることで、書き込み動作が終了する。ノードＮＤ１を浮遊状態にしてから、配線ＷＢＬ１の電位をＬレベルにすることで、ノードＮＤ１の電位の変動を抑えることができる。
【００４８】
＜＜読み出し動作＞＞
期間Ｐ４は読み出し期間（Ｒｅａｄ）である。まず、期間Ｐ４の直前において、非選択行の配線ＷＬの電位をＬレベルにして、配線ＲＢＬの電位をＨレベルにする。読み出しを行うとき、期間Ｐ４開始時に配線ＣＬ１の電位をＨレベルにする。このとき、ノードＮＤ１の電位は、容量素子Ｃ１における容量結合によって、ＶＤＤＨ−ＶＳＳＨの高さの電位分昇圧される。ノードＮＤ１が”０”を保持している場合、トランジスタＯＳ１−２のゲート−ソース間電圧がしきい値電圧に達していないため、トランジスタＯＳ１−２がオフとなり、配線ＲＢＬの電位はＨレベルのまま維持される。ノードＮＤ１が”１”を保持している場合は、トランジスタＯＳ１−２のゲート−ソース間電圧がしきい値電圧に達しているため、トランジスタＯＳ１−２がオンとなる。このとき、配線ＳＬはＬレベルとなっているので、配線ＲＢＬからトランジスタＯＳ１−２を介して、配線ＳＬに電流が流れる。そのため、配線ＲＢＬの電位はＬレベルに降圧される。その後、配線ＲＢＬの電位をＨレベルに戻すことで、読み出し動作が終了する。列ドライバ２０２は、期間Ｐ４の配線ＲＢＬの電位に基づいて、メモリセルＭＣ１から読み出したデータが”０”又は”１”であるかを判定する。
【００４９】
なお、上述の動作例では、メモリセルＭＣ１の記憶容量を１ビットとして、説明しているが、本発明の一態様はこれに限定されない。例えば、メモリセルセット１００が有するメモリセルＭＣ１は、３値以上のデジタルメモリであってもよいし、又は、アナログメモリであってもよい。
【００５０】
＜メモリセルの構造例＞
次に、メモリセルセット１００の構造例を図１、図７乃至図１０を用いて説明する。
【００５１】
＜＜断面構造＞＞
図７は、メモリセルセット１００の断面の模式図を示している。図７は、メモリセルセット１００を構成するトランジスタＯＳ１−１、トランジスタＯＳ１−２、トランジスタＯＳ２−１、及びトランジスタＯＳ２−２のチャネル長方向に沿った断面を表している。
【００５２】
メモリセルセット１００は、絶縁体３０１乃至絶縁体３１１と、導電体３２１乃至導電体３３４と、半導体３４１乃至半導体３４４と、を有する。なお、導電体３３４は、図７の断面図に図示していなく、後述する上面構造にて図示している。なお、本明細書では、後述する導電体３２１ａ、導電体３２１ｂをまとめて導電体３２１と記載し、後述する導電体３２５ａ、導電体３２５ｂをまとめて導電体３２５と記載し、後述する導電体３２７ａ、導電体３２７ｂ、導電体３２７ｃ、導電体３２７ｄをまとめて導電体３２７と記載し、後述する導電体３３４ａ、導電体３３４ｂ、導電体３３４ｃ、導電体３３４ｄをまとめて導電体３３４と記載し、後述する導電体３３０ａ、導電体３３０ｂをまとめて導電体３３０と記載する。
【００５３】
なお、図７において、絶縁体の形成された領域には、ハッチングパターンを与えていない。
【００５４】
なお、図７に示すメモリセルセット１００の構造例は、チャネル長方向に連続して、電気的に接続することができる。そのため、図７では、絶縁体３０６ａと、絶縁体３０６ｂと、は同工程で形成することができる。加えて、導電体３２７ａと導電体３２７ｃ、及び導電体３２７ｂと導電体３２７ｄは、同工程で形成することができる。別言すると、チャネル長方向で隣り合う２つのメモリセルセット１００において、一方のメモリセルセット１００の導電体３２７ａは、他方のメモリセルセット１００の導電体３２７ｃと、一方のメモリセルセット１００の導電体３２７ｂは、他方のメモリセルセット１００の導電体３２７ｄと同一であり、一方のメモリセルセット１００の絶縁体３０６ａは、他方のメモリセルセット１００の絶縁体３０６ｂと同一である。
【００５５】
なお、図７に示すメモリセルセット１００の構造例は、積層方向に連続して、電気的に接続することができる。具体的には、積層方向で上下に積層されている２つのメモリセルセット１００において、一方のメモリセルセット１００の導電体３２１ａは、他方のメモリセルセット１００の導電体３２１ｂと同一である。
【００５６】
導電体３２１ａは、メモリセルセット１００の底部に位置する。導電体３２２は、導電体３２１ａの上方に接触するように形成される。絶縁体３０１は、導電体３２１ａと導電体３２２の周辺に形成される。絶縁体３０２は、導電体３２２と、絶縁体３０１と、を覆うように形成される。導電体３２３は、絶縁体３０２を介して、導電体３２２に重畳するように形成される。ここまでの構造で、導電体３２１ａによって、配線ＣＬ２が形成され、導電体３２２、導電体３２３、及び絶縁体３０２によって、容量素子Ｃ２が形成される。
【００５７】
絶縁体３０３は、絶縁体３０２を覆い、かつ導電体３２３の側壁に接するように形成される。導電体３２４、及び半導体３４１は、互いに接触せずに絶縁体３０３の上部に形成される。導電体３２５は、導電体３２３と、導電体３２４と、絶縁体３０３と、を覆い、かつ導電体３２５の端部が半導体３４１の上部に位置するように形成される。ただし、導電体３２５ａは半導体３４１と導電体３２３とが電気的に接続するように形成され、３２５ｂは、半導体３４１と導電体３２４とが電気的に接続するように形成される。加えて、導電体３２５ａ、導電体３２５ｂと、は互いに接触しないように形成される。絶縁体３０４は、導電体３２５と、半導体３４１と、絶縁体３０３と、を覆うように形成される。導電体３２８は、絶縁体３０４を介して、半導体３４１に重畳する領域を有するように形成される。ここまでの構造で、絶縁体３０３、絶縁体３０４、導電体３２５、導電体３２８、及び半導体３４１によって、トランジスタＯＳ２−１が形成される。ここで、導電体３２５ａは、トランジスタＯＳ２−１のソース電極又はドレイン電極の一方として機能し、導電体３２５ｂは、トランジスタＯＳ２−１のソース電極又はドレイン電極の他方として機能し、導電体３２８は、トランジスタＯＳ２−１のゲート電極として機能し、絶縁体３０４は、トランジスタＯＳ２−１のゲート絶縁層として機能する。なお、後に詳述するが、導電体３２４は、配線ＷＢＬ２と電気的に接続される。
【００５８】
半導体３４２は、絶縁体３０４を介して、容量素子Ｃ２に重畳する領域を有するように形成される。絶縁体３０５は、絶縁体３０４を覆い、かつ導電体３２８の側壁と、半導体３４２の側壁と、に接するように形成される。導電体３２６ａ及び導電体３２６ｂは、絶縁体３０５の上部と半導体３４２の上部を覆うように形成される。絶縁体３０６ａは、半導体３４２を覆い、かつ、導電体３２６ａの側壁、導電体３２６ｂの側壁、導電体３２７ａの側壁、導電体３２７ｂの側壁に接するように形成される。導電体３２７ａ及び導電体３２７ｂは、それぞれ導電体３２６ａ、導電体３２６ｂにそれぞれ重畳する領域を有し、かつ接触して形成される。ここまでの構造で、導電体３２５ａ、導電体３２６ａ、導電体３２６ｂ、絶縁体３０４、絶縁体３０５、絶縁体３０６ａ、半導体３４２によって、トランジスタＯＳ２−２が形成される。ここで、導電体３２５ａは、トランジスタＯＳ２−２のゲート電極として機能し、導電体３２６ａは、トランジスタＯＳ２−２のソース電極又はドレイン電極の一方として機能し、導電体３２６ｂは、トランジスタＯＳ２−２のソース電極又はドレイン電極の他方として機能し、絶縁体３０４は、トランジスタＯＳ２−２のゲート絶縁層として機能する。なお、後に詳述するが、導電体３２７ａ及び導電体３２７ｃは、配線ＳＬと電気的に接続され、導電体３２７ｂ及び導電体３２７ｄは、配線ＲＢＬと電気的に接続される。
【００５９】
導電体３２９ａ及び導電体３２９ｂは、それぞれ導電体３２７ｃと絶縁体３０６ｂの上部、及び導電体３２７ｄと絶縁体３０６ｂの上部に形成される。半導体３４３は、絶縁体３０６ｂを覆い、導電体３２９ａと導電体３２９ｂとの上部に接触するように形成される。絶縁体３０７は、絶縁体３０５、絶縁体３０６ｂ、導電体３２８、導電体３２９ａ、及び導電体３２９ｂを覆うように形成される。絶縁体３０８は、絶縁体３０７の上部及び側壁に接するように形成される。導電体３３０は、絶縁体３０７、及び絶縁体３０８の上部に形成される。なお、導電体３３０は、絶縁体３０７及び絶縁体３０８上に形成される。特に、導電体３３０ｂは、絶縁体３０７を介して、半導体３４３と重畳する領域を有するように形成される。半導体３４４は、絶縁体３０４、絶縁体３０５、導電体３２５、導電体３２８、絶縁体３０７、及び導電体３３０を介して、半導体３４１に重畳するように形成される。導電体３３１は、導電体３３０ａに接触し、かつ絶縁体３０８の上部に形成される。ここまでの構造で、絶縁体３０７、導電体３２９ａ、導電体３２９ｂ、導電体３３０ｂ、絶縁体３０６ｂ、及び半導体３４３によって、トランジスタＯＳ１−１が形成され、導電体３２８、導電体３３０ｂ、導電体３３０ａ、絶縁体３０５、絶縁体３０７、絶縁体３０８、及び半導体３４４によって、トランジスタＯＳ１−２が形成される。ここで、導電体３２９ａは、トランジスタＯＳ１−１のソース電極又はドレイン電極の一方として機能し、導電体３２９ｂは、トランジスタＯＳ１−１のソース電極又はドレイン電極の他方として機能し、導電体３３０ｂは、トランジスタＯＳ１−１のゲート電極として機能し、絶縁体３０７は、トランジスタＯＳ１−１のゲート絶縁層として機能する。加えて、導電体３２８は、トランジスタＯＳ１−２のゲート電極として機能し、導電体３３０ｂは、トランジスタＯＳ１−２のソース電極又はドレイン電極の一方として機能し、導電体３３０ａは、トランジスタＯＳ１−２のソース電極又はドレイン電極の他方として機能し、絶縁体３０７は、トランジスタＯＳ１−２のゲート絶縁層として機能する。なお、後に詳述するが、導電体３３１は、配線ＷＢＬ１と電気的に接続される。
【００６０】
導電体３３２は、導電体３３０と絶縁体３０７とを介して、半導体３４３と重畳するように形成される。絶縁体３０９は、導電体３３０、導電体３３１、絶縁体３０７、絶縁体３０８、及び半導体３４４を覆い、かつ導電体３３２の側壁に接するように形成される。絶縁体３１０は、導電体３３２と絶縁体３０９を覆うように形成される。導電体３３３は、絶縁体３１０を介して、導電体３３２と重畳するように形成される。導電体３２１ｂは導電体３３３に接触するように上部に形成される。絶縁体３１１は、導電体３３３、及び絶縁体３１０を覆い、かつ導電体３２１ｂの側壁に接するように形成される。ここまでの構造で、導電体３３２、導電体３３３、絶縁体３１０によって容量素子Ｃ１が形成される。なお、後に詳述するが、導電体３２１ｂは、配線ＣＬ１と電気的に接続される。
【００６１】
＜＜上面構造＞＞
図８は、メモリセルセット１００の上面の模式図を示している。図７の断面模式図は、図８に示す一点鎖線Ｘ１−Ｘ２に対応している。つまり、一点鎖線Ｘ１−Ｘ２に平行な方向がチャネル長方向となり、一点鎖線Ｘ１−Ｘ２に垂直な方向がチャネル幅方向となる。なお、図８は、導電体３２１ａ、導電体３２１ｂ、導電体３２４乃至導電体３３１、導電体３３４ａ乃至導電体３３４ｄのみを図示しており、導電体３２２、導電体３２３、導電体３３２、導電体３３３、絶縁体３０１乃至絶縁体３１１、及び半導体３４１乃至半導体３４４を省略している。
【００６２】
なお、図８に示す導電体３２１ａ、導電体３２１ｂ、導電体３２４乃至導電体３３１、導電体３３４ａ乃至導電体３３４ｄは、上下関係を分かりやすくするため、上方に位置する導電体の領域を小さく、かつ下方に位置する導電体の領域を大きく図示している。そのため、導電体３２４乃至導電体３３１、導電体３３４ａ乃至導電体３３４ｄのそれぞれの領域の大きさは、図８に限定せず、下方に位置する材料が、その上方に位置する材料によって覆われる構成であってもよい。例えば、図８では、導電体３３０と導電体３２５とでは、導電体３３０が上方に位置するため、導電体３２５よりも導電体３３０の領域を小さくしているが、導電体３２５が導電体３３０によって覆われる構成であってもよい。
【００６３】
導電体３２４、導電体３２７ａ乃至導電体３２７ｄ、導電体３３１は、各配線と接続するためにチャネル幅方向に延びて形成されている。
【００６４】
導電体３２１ｂは、チャネル幅方向に延線するように形成されて、配線ＣＬ１として機能する。
【００６５】
導電体３２１ａは、チャネル幅方向に延線するように形成されて、配線ＣＬ２として機能する。
【００６６】
導電体３２８は、チャネル幅方向に延線するように形成されて、配線ＷＬとして機能する。
【００６７】
導電体３３４ａは、チャネル長方向に延線するように形成されて、配線ＳＬとして機能する。導電体３３４ａは、チャネル幅方向に延びて形成されている導電体３２７ｃと、コンタクト領域ＣＮＴ１で電気的に接続され、チャネル幅方向に延びて形成されている導電体３２７ａと、コンタクト領域ＣＮＴ２で電気的に接続される。
【００６８】
導電体３３４ｂは、チャネル長方向に延線するように形成されて、配線ＷＢＬ１として機能する。導電体３３４ｂは、チャネル幅方向に延びて形成されている導電体３３１と、コンタクト領域ＣＮＴ３で電気的に接続される。
【００６９】
導電体３３４ｃは、チャネル長方向に延線するように形成されて、配線ＷＢＬ２として機能する。導電体３３４ｃは、チャネル幅方向に延びて形成されている導電体３２４と、コンタクト領域ＣＮＴ４で電気的に接続される。
【００７０】
導電体３３４ｄは、チャネル長方向に延線するように形成されて、配線ＲＢＬとして機能する。導電体３３４ｄは、チャネル幅方向に延びて形成されている導電体３２７ｄと、コンタクト領域ＣＮＴ５で電気的に接続され、チャネル幅方向に延びて形成されている導電体３２７ｂと、コンタクト領域ＣＮＴ６で電気的に接続される。
【００７１】
上述したような、上面構造を形成することによって、メモリセルセット１００は、図５に示したメモリセルアレイ２０３のように、行列状に配置することができる。このため、メモリセルセット１００を用いて半導体装置２００を構成することができる。
【００７２】
＜＜積層構造例１＞＞
図１は、図７の断面構造を有するメモリセルセット１００をチャネル長方向に連続して形成し、かつ積層させた構造を示す。
【００７３】
メモリセルアレイ構造４０１は、複数のメモリセルセット１００を有している。図１では、ある１つのメモリセルセット１００に対して、網状のハッチングパターンを与えて示し、他のメモリセルセット１００については、破線で囲んだ領域で示している。
【００７４】
メモリセルアレイ構造４０１は、ある１つのメモリセルセットの導電体３２１ａ、導電体３２１ｂ、導電体３２７ａ乃至導電体３２７ｄを他のメモリセルセット１００と共有することで形成できる構造である。そのため、図１に示す通り、チャネル長方向、かつ上下方向に連続して接続することができる。また、上述した上面構造において、チャネル幅方向においても連続して接続することができる。そのため、図９に示すようにメモリセルアレイ２０３を積層したような半導体装置４００を構成することができる。なお、図９では、メモリセルアレイを２層、積層しているが、３層以上積層した構成としてもよい。なお、図９では、行ドライバ、及び列ドライバを省略している。
【００７５】
＜＜積層構造例２＞＞
さらに、図１の応用として、行ドライバ又は列ドライバなどの周辺回路を、図１０に示すように、メモリセルアレイ構造４０１の下方に設ける構成としてもよい。
【００７６】
周辺回路４０２は、トランジスタＴｒと、導電体１７１２と、導電体１７３０と、絶縁体と、素子分離層１７０１を有する。なお、図１０に示す絶縁体は、ハッチングパターンを与えていない領域で示している。
【００７７】
トランジスタＴｒは、基板１７００上に形成される。素子分離層１７０１は、複数のトランジスタＴｒの間に形成される。トランジスタＴｒのソース及びドレインとして導電体１７１２が形成されている。導電体１７３０は、チャネル幅方向に延びて形成しており、他のトランジスタＴｒ、又は導電体１７１２に接続されている（図示しない）。
【００７８】
トランジスタＴｒは、メモリセルアレイ構造４０１に用いるトランジスタＯＳ１−１、トランジスタＯＳ１−２、トランジスタＯＳ２−１、及びトランジスタＯＳ２−２と、異なる半導体材料で形成されることが好ましい。図１０のトランジスタＴｒでは、シリコン（Ｓｉ）をチャネル形成領域に有するトランジスタを適用した例を示している。
【００７９】
基板１７００としては、シリコンや炭化シリコンからなる単結晶半導体基板、多結晶半導体基板、シリコンゲルマニウムからなる化合物半導体基板や、ＳＯＩ基板などを用いることができる。
【００８０】
また、基板１７００として、例えば、ガラス基板、石英基板、プラスチック基板、金属基板、可撓性基板、貼り合わせフィルム、繊維状の材料を含む紙、又は基材フィルム、などを用いてもよい。また、ある基板を用いて半導体素子を形成し、その後、別の基板に半導体素子を転置してもよい。図１０では、一例として、基板１７００に単結晶シリコンウエハを用いた例を示している。
【００８１】
図１１（Ａ）、図１１（Ｂ）を用いて、トランジスタＴｒの詳細について説明を行う。図１１（Ａ）はトランジスタＴｒのチャネル長方向の断面図を示し、図１１（Ｂ）はトランジスタＴｒのチャネル幅方向の断面図を示している。トランジスタＴｒは、ウェル１７９２に設けられたチャネル形成領域１７９３と、低濃度不純物領域１７９４及び高濃度不純物領域１７９５（これらを合わせて単に不純物領域とも呼ぶ）と、該不純物領域に接して設けられた導電性領域１７９６と、チャネル形成領域１７９３上に設けられたゲート絶縁膜１７９７と、ゲート絶縁膜１７９７上に設けられたゲート電極１７９０と、ゲート電極１７９０の側面に設けられた側壁絶縁層１７９８、側壁絶縁層１７９９とを有する。なお、導電性領域１７９６には、金属シリサイド等を用いてもよい。
【００８２】
図１１（Ｂ）において、トランジスタＴｒはチャネル形成領域１７９３が凸形状を有し、その側面及び上面に沿ってゲート絶縁膜１７９７及びゲート電極１７９０が設けられている。このような形状を有するトランジスタをＦＩＮ型トランジスタと呼ぶ。本実施の形態では、半導体基板の一部を加工して凸部を形成する場合を示したが、ＳＯＩ基板を加工して凸形状を有する半導体層を形成してもよい。
【００８３】
なお、トランジスタＴｒは、ＦＩＮ型トランジスタに限定されず、図１２（Ａ）、図１２（Ｂ）に示すプレーナー型トランジスタを用いてもよい。図１２（Ａ）は、トランジスタＴｒのチャネル長方向の断面図を示し、図１２（Ｂ）はトランジスタＴｒのチャネル幅方向の断面図を示している。図１２に示す符号は、図１１に示す符号と同一である。
【００８４】
絶縁体３０３乃至絶縁体３０７は、水素、水等に対するブロッキング効果を有することが好ましい。水、水素等は酸化物半導体中にキャリアを生成する要因の一つであるので、水素、水等に対するブロッキング層を設けることにより、トランジスタＯＳ１−１、トランジスタＯＳ１−２、トランジスタＯＳ２−１、及びトランジスタＯＳ２−２の信頼性を向上させることが可能になる。水素、水等に対するブロッキング効果を有する絶縁物には、例えば、酸化アルミニウム、酸化窒化アルミニウム、酸化ガリウム、酸化窒化ガリウム、酸化イットリウム、酸化窒化イットリウム、酸化ハフニウム、酸化窒化ハフニウム、イットリア安定化ジルコニア（ＹＳＺ）等がある。
【００８５】
導電体３２１ａ、導電体３２１ｂ、導電体３２４、導電体３３１、導電体３２７ａ乃至導電体３２７ｄ、導電体１７１２、導電体１７３０には、銅（Ｃｕ）、タングステン（Ｗ）、モリブデン（Ｍｏ）、金（Ａｕ）、アルミニウム（Ａｌ）、マンガン（Ｍｎ）、チタン（Ｔｉ）、タンタル（Ｔａ）、ニッケル（Ｎｉ）、クロム（Ｃｒ）、鉛（Ｐｂ）、錫（Ｓｎ）、鉄（Ｆｅ）、コバルト（Ｃｏ）の低抵抗材料からなる単体、もしくは合金、又はこれらを主成分とする化合物を含む導電膜の単層又は積層とすることが好ましい。特に、耐熱性と導電性を両立するタングステンやモリブデンなどの高融点材料を用いることが好ましい。また、アルミニウムや銅などの低抵抗導電性材料で形成することが好ましい。さらに、Ｃｕ−Ｍｎ合金を用いると、酸素を含む絶縁体との界面に酸化マンガンを形成し、酸化マンガンがＣｕの拡散を抑制する機能を持つので好ましい。
【００８６】
図１０において、符号及びハッチングパターンが与えられていない領域は、絶縁体で構成されている。上記絶縁体には、酸化アルミニウム、窒化酸化アルミニウム、酸化マグネシウム、酸化シリコン、酸化窒化シリコン、窒化酸化シリコン、窒化シリコン、酸化ガリウム、酸化ゲルマニウム、酸化イットリウム、酸化ジルコニウム、酸化ランタン、酸化ネオジム、酸化ハフニウム、酸化タンタルなどから選ばれた一種以上の材料を含む絶縁体を用いることができる。また、当該領域には、ポリイミド樹脂、ポリアミド樹脂、アクリル樹脂、シロキサン樹脂、エポキシ樹脂、フェノール樹脂等の有機樹脂を用いることもできる。なお、本明細書において、酸化窒化物とは、窒素よりも酸素の含有量が多い化合物をいい、窒化酸化物とは、酸素よりも窒素の含有量が多い化合物をいう。
【００８７】
図１０に示すような構成にすることで、記憶装置が有する回路の占有面積を小さくし、メモリセルをより高集積化することができる。また、メモリセルセット１００を多値（３値以上）のデータを保持する構成にすることによって、さらに記憶装置の記憶容量を増やすことができる。
【００８８】
上述した構成によって、構成する膜の数及び作製工程の数を低減した記憶装置を提供することができる。また、記憶容量の大きい記憶装置を提供することができる。
【００８９】
＜＜積層構造例３＞＞
図１３（Ｃ）は、チャネル形成領域に酸化物半導体を有するトランジスタ（以下、ＯＳ‐ＦＥＴと呼ぶ）を用いて作製した不揮発性メモリの積層構造を示す模式図である。なお、本明細書中では、ＯＳ−ＦＥＴを用いた不揮発性メモリをＮＯＳＲＡＭ（Ｎｏｎｖｏｌａｔｉｌｅ  Ｏｘｉｄｅ  Ｓｅｍｉｃｏｎｄｕｃｔｏｒ  Ｒａｎｄｏｍ  Ａｃｃｅｓｓ  Ｍｅｍｏｒｙ）と呼ぶ場合がある。
【００９０】
図１３（Ａ）、（Ｂ）はＮＯＳＲＡＭを積層させて多値化を実現する場合の概念図を表している。一層からなるＮＯＳＲＡＭをメモリセルの最小単位とした場合、１つのメモリセルにＪビット（２Ｊ値、Ｊは１以上の整数）のデータを格納し、これをＫ層（Ｋは２以上の整数）の積層とすることで、ＮＯＳＲＡＭは全体でＪ×Ｋビット（２Ｊ×Ｋ値）のデータを保持することが可能になる。図１３（Ｂ）は１つのメモリセルに４ビットのデータを格納する場合（Ｊ＝４）の概念図を示している。図１３（Ａ）は上記メモリセルを４層積層させ（Ｋ＝４）、４×４＝１６ビットを１ワードとした場合の概念図を示している。
【００９１】
図１３（Ｄ）に示す回路図は、上記Ｊビットのデータを保持することが可能なメモリセル６１００の構成例を示している。メモリセル６１００は、トランジスタＯＳ３、トランジスタＯＳ４及び容量素子Ｃ０を有することが好ましい。トランジスタＯＳ３のソース又はドレインの一方は、トランジスタＯＳ４のゲートに電気的に接続されている。また、容量素子Ｃ０の一方の端子は、トランジスタＯＳ４のゲートに電気的に接続されている。
【００９２】
トランジスタＯＳ３、ＯＳ４はＯＳ−ＦＥＴを用いることが好ましい。ＯＳ−ＦＥＴはオフ電流が極めて低いために、トランジスタＯＳ３をオフにすることで、トランジスタＯＳ４のゲートに書き込まれたデータを長期間保持することが可能になる。
【００９３】
トランジスタＯＳ３、ＯＳ４は、第１のゲート及び第２のゲート（ＢＧ）を有することが好ましい。第１のゲートと第２のゲートは、チャネル形成領域を間に介して、互いに重畳する領域を有することが好ましい。トランジスタＯＳ３、ＯＳ４は第２のゲートを有することで、トランジスタのしきい値電圧を制御することが可能になる。また、トランジスタのオン電流を増大させることが可能になる。
【００９４】
図１３（Ｃ）に示す模式図は、記憶装置６０００の構成例を示している。記憶装置６０００は、メモリセル６１００の積層によって構成されている。記憶装置６０００は、ＳｉトランジスタからなるＣＭＯＳ層と、ＯＳ‐ＦＥＴからなる第１乃至第４のＯＳ層を有する。ＣＭＯＳ層の上に第１乃至第４のＯＳ層が形成されている。第１乃至第４のＯＳ層は、メモリセル６１００をそれぞれ有する。また、ＣＭＯＳ層は、上記メモリセルを制御する機能を有する。
【００９５】
図１４は、記憶装置６０００において、第１のＯＳ層と第２のＯＳ層のより詳細な構成例を示している。図１４の左半分は、回路図を示し、図１４の右半分は、回路図に対応する断面図を示している。
【００９６】
第１のＯＳ層において、トランジスタＯＳ３のゲートは配線ＷＬ１に電気的に接続され、トランジスタＯＳ３のソース又はドレインの他方は配線ＢＬ１に電気的に接続されている。トランジスタＯＳ４のソース又はドレインの一方は、配線ＳＬ１に電気的に接続され、トランジスタＯＳ４のソース又はドレインの他方は、配線ＲＢＬ１に電気的に接続されている。また、容量素子Ｃ０の他方の端子は配線ＣＮＯＤＥ１に電気的に接続されている。
【００９７】
第２のＯＳ層乃至第４のＯＳ層において、配線ＷＬ２、配線ＷＬ３、及び配線ＷＬ４は上述の配線ＷＬ１の記載を参酌し、配線ＢＬ２、配線ＢＬ３、及び配線ＢＬ４は上述の配線ＢＬ１の記載を参酌し、配線ＳＬ２、配線ＳＬ３、及び配線ＳＬ４は上述の配線ＳＬ１の記載を参酌し、配線ＲＢＬ２、配線ＲＢＬ３、及び配線ＲＢＬ４は上述の配線ＲＢＬ１の記載を参酌し、配線ＣＮＯＤＥ２、配線ＣＮＯＤＥ３、及び配線ＣＮＯＤＥ４は上述の配線ＣＮＯＤＥ１の記載を参酌する。
【００９８】
フラッシュメモリは、書き換え回数に制限があり、記憶されたデータを更新する際に、古いデータを消去する必要がある。記憶装置６０００は、書き換え回数に制限がなく、１０１２回以上のデータ書き換えが可能である。また、記憶装置６０００は、古いデータを消去することなしに、新たなデータを書き込むことが可能である。また、記憶装置６０００は、フラッシュメモリよりも低電圧で書き込みと読み出しを行うことが可能である。また、ＯＳ−ＦＥＴは積層が容易なため、記憶装置６０００は、容易に多値化を実現することが可能である。
【００９９】
表１は、ＮＯＳＲＡＭに用いられるＯＳ−ＦＥＴのテクノロジーノードと、メモリセル６１００の占有面積（Ｆ２／ｃｅｌｌ、Ｃｅｌｌ  Ａｒｅａ）と、メモリセル６１００の１ビットあたりの占有面積（Ｆ２／ｂｉｔ、Ａｒｅａ  ｐｅｒ  ｂｉｔ）を表している。なお、１ビットあたりの占有面積（以下、ビット面積と呼ぶ）は、図１３（Ｃ）に示すようにメモリセル６１００を４層積層させた場合の値を示している。なお、ＯＳ−ＦＥＴのテクノロジーノードとは、主にＯＳ−ＦＥＴのチャネル長のことをいう。表１には、比較として、３次元ＮＡＮＤフラッシュメモリを用いて作製した２５６ＧＢ（ギガバイト）のＳＳＤ（Ｓｏｌｉｄ  Ｓｔａｔｅ  Ｄｒｉｖｅ）の値を載せている。
【０１００】
【表１】
0006773453.tif 000002
【０１０１】
次に、メモリセル６１００の積層数を変化させた場合のビット面積について考える。図１５は、縦軸にビット面積、横軸にメモリセル６１００の積層数をあてはめた場合のグラフを示している。図１５より、１５ｎｍノードのＯＳ−ＦＥＴを用いて作製したメモリセル６１００は、４層構成にすることで、２５６ＧＢのＳＳＤと、同等のビット面積を有することがわかる。また、１０ｎｍノードのＯＳ−ＦＥＴを用いて作製したメモリセル６１００は、６層構成にすることで、１ＴＢ（テラバイト）のＳＳＤと、同等のビット面積を有することがわかる。すなわち、１０ｎｍノードのＯＳ−ＦＥＴを用いたメモリセル６１００を６段積層して、記憶装置を構成することにより、記憶容量が１ＴＢ以上の記憶装置を構成することができる。
【０１０２】
図１６は、非特許文献１乃至１２に記載されているＯＳ−ＦＥＴのチャネル長の変遷を示したものである。図１６において、１）乃至１２）はそれぞれ非特許文献１乃至１２で開示されたＯＳ−ＦＥＴのチャネル長を示している。図１６より、ＯＳ−ＦＥＴは半年でチャネル長が１／２になるようにスケーリングを達成していることが確認された。また、比較として、図１６にはＳｉトランジスタ（以下、Ｓｉ−ＦＥＴと呼ぶ）の例を載せている。Ｓｉ−ＦＥＴに比べて、ＯＳ−ＦＥＴはより短期間で微細化を達成していることが確認された。また、図１６より、２０１６年には、ＯＳ−ＦＥＴはＳｉ−ＦＥＴのチャネル長に追いつく可能性が示された。
【０１０３】
なお、本実施の形態において、本発明の一態様について述べた。又は、他の実施の形態において、本発明の一態様について述べる。ただし、本発明の一態様は、これらに限定されない。つまり、本実施の形態及び他の実施の形態では、様々な発明の態様が記載されているため、本発明の一態様は、特定の態様に限定されない。例えば、本発明の一態様として、トランジスタのチャネル形成領域、ソースドレイン領域などが、酸化物半導体を有する場合の例を示したが、本発明の一態様は、これに限定されない。場合によっては、又は、状況に応じて、本発明の一態様における様々なトランジスタ、トランジスタのチャネル形成領域、又は、トランジスタのソースドレイン領域などは、様々な半導体を有していてもよい。場合によっては、又は、状況に応じて、本発明の一態様における様々なトランジスタ、トランジスタのチャネル形成領域、又は、トランジスタのソースドレイン領域などは、例えば、シリコン、ゲルマニウム、シリコンゲルマニウム、炭化シリコン、ガリウムヒ素、アルミニウムガリウムヒ素、インジウムリン、窒化ガリウム、又は、有機半導体などの少なくとも一つを有していてもよい。又は、例えば、場合によっては、又は、状況に応じて、本発明の一態様における様々なトランジスタ、トランジスタのチャネル形成領域、又は、トランジスタのソースドレイン領域などは、酸化物半導体を有していなくてもよい。
【０１０４】
なお、本実施の形態は、本明細書で示す他の実施の形態と適宜組み合わせることができる。
【０１０５】
（実施の形態２）
本実施の形態では、半導体装置２００及び半導体装置４００の応用例について説明する。半導体装置２００及び半導体装置４００は、例えば、各種電子機器（例えば、情報端末、スマートフォン、電子書籍端末、デジタルカメラ（ビデオカメラも含む）、録画再生装置、ナビゲーションシステムなど）のストレージ装置に適用できる。又は、半導体装置２００及び半導体装置４００は、メモリカード（例えば、ＳＤカード）、ＵＳＢメモリ（ＵＳＢ；Ｕｎｉｖｅｒｓａｌ  Ｓｅｒｉａｌ  Ｂｕｓ）、ＳＳＤ（Ｓｏｌｉｄ  Ｓｔａｔｅ  Ｄｒｉｖｅ）等の各種のリムーバブル記憶装置に適用される。図１７に、リムーバブル記憶装置の幾つかの構成例を模式的に示す。
【０１０６】
図１７（Ａ）はＵＳＢメモリの模式図である。ＵＳＢメモリ１１００は、筐体１１０１、キャップ１１０２、ＵＳＢコネクタ１１０３及び基板１１０４を有する。基板１１０４は、筐体１１０１に収納されている。基板１１０４には、半導体装置２００又は半導体装置４００を構成する回路が設けられている。例えば、基板１１０４には、メモリチップ１１０５、コントローラチップ１１０６が取り付けられている。メモリチップ１１０５には、半導体装置２００又は半導体装置４００が組み込まれている。コントローラチップ１１０６は、ＵＳＢメモリ１１００を制御するプロセッサ、一時的にデータを記憶するワークメモリ、ＥＣＣ（Ｅｒｒｏｒ  Ｃｈｅｃｋ  ａｎｄ  Ｃｏｒｒｅｃｔ）回路等が組み込まれている。ＵＳＢコネクタ１１０３が外部機器と接続をするためのインターフェースを構成する。
【０１０７】
図１７（Ｂ）はＳＤカードの外観の模式図であり、図１７（Ｃ）は、ＳＤカードの内部構造の模式図である。ＳＤカード１１１０は、筐体１１１１、コネクタ１１１２及び基板１１１３を有する。コネクタ１１１２が外部機器と接続するためのインターフェースを構成する。基板１１１３は筐体１１１１に収納されている。基板１１１３には、半導体装置２００又は半導体装置４００を構成する回路が設けられている。例えば、基板１１１３には、メモリチップ１１１４、コントローラチップ１１１５が取り付けられている。メモリチップ１１１４には、半導体装置２００又は半導体装置４００が組み込まれている。コントローラチップ１１１５には、ＳＤカード１１１０を制御するプロセッサ、一時的にデータを記憶するワークメモリ、ＥＣＣ回路等が組み込まれている。
【０１０８】
基板１１１３の裏面側にもメモリチップ１１１４を設けることで、ＳＤカード１１１０の容量を増やすことができる。また、無線通信機能を備えた無線チップを基板１１１３に設けてもよい。これによって、パーソナルコンピュータなどの情報処理端末とＳＤカード１１１０との間の無線通信によって、メモリチップ１１１４のデータの読み出し、書き込みが可能となる。
【０１０９】
図１７（Ｄ）はＳＳＤの外観の模式図であり、図１７（Ｅ）は、ＳＳＤの内部構造の模式図である。ＳＳＤ１１５０は、筐体１１５１、コネクタ１１５２及び基板１１５３を有する。コネクタ１１５２が外部機器と接続するためのインターフェースを構成する。基板１１５３は筐体１１５１に収納されている。基板１１５３には、半導体装置２００又は半導体装置４００を構成する回路が設けられている。例えば、基板１１５３には、メモリチップ１１５４、メモリチップ１１５５、コントローラチップ１１５６が取り付けられている。メモリチップ１１５４には、半導体装置２００又は半導体装置４００が組み込まれている。基板１１５３の裏面側にもメモリチップ１１５５を設けることで、ＳＳＤ１１５０の容量を増やすことができる。メモリチップ１１５５には一時的にデータを記憶するワークメモリが組み込まれている。例えば、メモリチップ１１５５には、ＤＲＡＭチップを用いればよい。コントローラチップ１１５６には、ＳＳＤを制御するプロセッサ、ＥＣＣ回路等が組み込まれている。コントローラチップ１１５６にも、ワークメモリとして機能するメモリを設けてもよい。
【０１１０】
なお、本実施の形態は、本明細書で示す他の実施の形態と適宜組み合わせることができる。
【０１１１】
（実施の形態３）
本実施の形態では、ホスト装置と、半導体装置２００又は半導体装置４００を有する記憶装置と、を組み合わせた電子機器について説明する。
【０１１２】
＜電子機器の構成例＞
図１８は、電子機器の構成例を示すブロック図である。電子機器１２００は、記憶装置１２０１及びホスト装置１２０２を有する。
【０１１３】
記憶装置１２０１は、実施の形態１の半導体装置２００又は半導体装置４００を適用することができる。記憶装置１２０１は、例えば、ホスト装置１２０２のストレージ装置として用いられており、例えば、プログラム、映像データ、音響データ等の各種のデータを記憶する。
【０１１４】
ホスト装置１２０２は、ロジック部１２１０、表示装置１２２１、及び入力装置１２２２を備える。
【０１１５】
ロジック部１２１０は、ホスト装置１２０２全体を制御する機能を有する。ロジック部１２１０は、プロセッサ１２１１、メモリ部１２１２、インターフェース１２１３、及びバス１２１４を有する。バス１２１４により、プロセッサ１２１１、メモリ部１２１２及びインターフェース１２１３が相互に接続されている。プロセッサ１２１１は、演算装置及び制御装置として機能し、ファームウエア等のプログラムに従って、ホスト装置１２０２内の各種装置の動作全般を制御する。プロセッサ１２１１には、ＣＰＵやマイクロプロセッサ（ＭＰＵ）等を用いることができる。メモリ部１２１２は、プロセッサ１２１１が実行するプログラムや、プロセッサ１２１１で処理したデータ等を記憶する。
【０１１６】
ロジック部１２１０は、インターフェース１２１３を介して、表示装置１２２１、入力装置１２２２、及び記憶装置１２０１との通信を行う。例えば、入力装置１２２２からの入力信号は、インターフェース１２１３及びバス１２１４を経てロジック部１２１０に伝送される。
【０１１７】
表示装置１２２１は出力装置として設けられており、電子機器１２００の表示部を構成する。また、ホスト装置１２０２は、表示装置１２２１の他に、スピーカ、プリンタ等の他の出力装置を備えていてもよい。又は、ホスト装置１２０２は、表示装置１２２１を有さなくてもよい。
【０１１８】
入力装置１２２２は、ロジック部１２１０にデータを入力するための装置である。使用者は入力装置１２２２を操作することにより、電子機器１２００を操作することができる。入力装置１２２２には、様々なヒューマンインターフェースを用いることができ、複数の入力装置１２２２を電子機器１２００に設けることができる。
【０１１９】
入力装置１２２２としては、タッチセンサ、キーボード、マウス、操作ボタン、マイクロフォン（音声入力装置）、カメラ（撮像システム）等がある。その他、音声、視線、ジェスチャ等を検出する装置をホスト装置１２０２に組み込んで、これらにより電子機器１２００を操作するようにしてもよい。例えば、入力装置１２２２としてタッチセンサを設ける場合、このタッチセンサを表示装置１２２１に組み込んでもよい。
【０１２０】
電子機器１２００は、記憶装置１２０１及びホスト装置１２０２が１つの筐体に収められている態様であってもよいし、有線又は無線で接続されている複数の装置で構成されている態様でもよい。例えば、前者の態様として、ノート型ＰＣ（パーソナルコンピュータ）、タブレット型情報端末、電子書籍端末、スマートフォン、携帯電話、オーディオ端末、録画再生装置等がある。後者の形態として、デスクトップ型ＰＣ、キーボード、マウス及びモニタのセットがある。また、録画再生装置、音響機器（スピーカ、アンプ等）、及びテレビジョン装置を備えるＡＶ（音響映像）システムや、監視カメラ、表示装置、及び録画用記憶装置を備える監視システム等がある。
【０１２１】
＜電子部品＞
図１９（Ａ）では実施の形態１で説明した記憶装置を電子部品として適用する例について説明する。なお電子部品は、半導体パッケージ、又はＩＣ用パッケージともいう。この電子部品は、端子取り出し方向や、端子の形状に応じて、複数の規格や名称が存在する。そこで、本実施の形態では、その一例について説明することにする。
【０１２２】
上記実施の形態１に示すようなトランジスタで構成される半導体装置は、組み立て工程（後工程）を経て、プリント基板に脱着可能な部品が複数合わさることで完成する。
【０１２３】
後工程については、図１９（Ａ）に示す各工程を経ることで完成させることができる。具体的には、前工程で得られる素子基板が完成（ステップＳ１）した後、基板の裏面を研削する（ステップＳ２）。この段階で基板を薄膜化することで、前工程での基板の反り等を低減し、部品としての小型化を図るためである。
【０１２４】
基板の裏面を研削して、基板を複数のチップに分離するダイシング工程を行う。そして、分離したチップを個々にピックアップしてリードフレーム上に搭載し接合する、ダイボンディング工程を行う（ステップＳ３）。このダイボンディング工程におけるチップとリードフレームとの接着は、樹脂による接着や、テープによる接着等、適宜製品に応じて適した方法を選択する。なお、ダイボンディング工程は、インターポーザ上に搭載し接合してもよい。
【０１２５】
なお、本実施の形態において、基板の一方の面に素子が形成されていたとき、基板の一方の面を表面とし、該基板の他方の面（該基板の素子が形成されていない側の面）を裏面とする。
【０１２６】
次いでリードフレームのリードとチップ上の電極とを、金属の細線（ワイヤー）で電気的に接続する、ワイヤーボンディングを行う（ステップＳ４）。金属の細線には、銀線や金線を用いることができる。また、ワイヤーボンディングは、ボールボンディングや、ウェッジボンディングを用いることができる。
【０１２７】
ワイヤーボンディングされたチップは、エポキシ樹脂等で封止される、モールド工程が施される（ステップＳ５）。モールド工程を行うことで電子部品の内部が樹脂で充填され、機械的な外力による内蔵される回路部やワイヤーに対するダメージを低減することができ、また水分や埃による特性の劣化を低減することができる。
【０１２８】
次いでリードフレームのリードをメッキ処理する。そしてリードを切断及び成形加工する（ステップＳ６）。このめっき処理によりリードの錆を防止し、後にプリント基板に実装する際のはんだ付けをより確実に行うことができる。
【０１２９】
次いでパッケージの表面に印字処理（マーキング）を施す（ステップＳ７）。そして最終的な検査工程（ステップＳ８）を経て電子部品が完成する（ステップＳ９）。
【０１３０】
以上説明した電子部品は、実施の形態１で説明した記憶装置を含む構成とすることができる。そのため、信頼性に優れた電子部品を実現することができる。
【０１３１】
また、完成した電子部品の斜視模式図を図１９（Ｂ）に示す。図１９（Ｂ）では、電子部品の一例として、ＱＦＰ（Ｑｕａｄ  Ｆｌａｔ  Ｐａｃｋａｇｅ）の斜視模式図を示している。図１９（Ｂ）に示す電子部品４７００は、リード４７０１及び回路部４７０３を示している。図１９（Ｂ）に示す電子部品４７００は、例えばプリント基板４７０２に実装される。このような電子部品４７００が複数組み合わされて、それぞれがプリント基板４７０２上で電気的に接続されることで上述した電子機器などの内部に搭載することができる。完成した回路基板４７０４は、電子機器などの内部に設けられる。
【０１３２】
＜電子機器の具体例＞
次に上述した電子部品を適用した電子機器の具体例について説明する。
【０１３３】
図２０に、電子機器１２００の具体例として、いくつかの模式図を示す。図２０に示す電子機器の筐体に記憶装置１２０１が内蔵されている。
【０１３４】
図２０（Ａ）に示す携帯型ゲーム機５２００は、第１筐体５２０１、第２筐体５２０２、表示部５２０３、表示部５２０４、マイクロフォン５２０５、スピーカ５２０６、操作ボタン５２０７、スタイラス５２０８等を有する。
【０１３５】
図２０（Ｂ）に示すビデオカメラ５２１０は、第１筐体５２１１、第２筐体５２１２、表示部５２１３、操作ボタン５２１４、レンズ５２１５、及び接続部５２１６等を有する。操作ボタン５２１４及びレンズ５２１５は第１筐体５２１１に設けられており、表示部５２１３は第２筐体５２１２に設けられている。そして、第１筐体５２１１と第２筐体５２１２とは、接続部５２１６により接続されており、第１筐体５２１１と第２筐体５２１２の間の角度は、接続部５２１６により可動となっている。表示部５２１３の画面の切り換えを、接続部５２１６における第１筐体５２１１と第２筐体５２１２との間の角度に従って行う構成としてもよい。
【０１３６】
図２０（Ｃ）に示すタブレット型情報端末５２２０は、筐体５２２１に組み込まれた表示部５２２２、操作ボタン５２２３、スピーカ５２２４を有する。
【０１３７】
図２０（Ｄ）に示す腕時計型情報端末５２３０は、ウエアラブルコンピュータの一種であり、筐体５２３１、表示部５２３２、第１操作キー５２３３、第２操作キー５２３４、第３操作キー５２３５、及びベルト５２３６を有する。表示部５２３２、第１操作キー５２３３、第２操作キー５２３４、第３操作キー５２３５、ベルト５２３６は、筐体５２３１に設けられている。本構成例は、図２０（Ｄ）に限定せず、機能を取捨して、構成を変更してもよい。例えば、表示部５２３２にタッチセンサ機能を設けて、表示部５２３２に触れることで操作できる構成としてもよい。また、例えば、第３操作キー５２３５に指紋認証センサを設けて、本人以外の使用を防ぐ構成としてもよい。
【０１３８】
図２０（Ｅ）に示すスマートフォン５２４０は、筐体５２４１、操作ボタン５２４２、マイクロフォン５２４３、表示部５２４４、スピーカ５２４５、及びカメラ用レンズ５２４６等を有する。筐体５２４１には、撮像装置が組み込まれている。表示部５２４４と同一面上にカメラ用レンズ５２４６を備えているため、テレビ電話が可能である。表示部５２４４にはタッチセンサ機能付きのＬＣＤが適用されている。
【０１３９】
図２０（Ｆ）に示すノート型ＰＣ５２５０は、筐体５２５１、表示部５２５２、キーボード５２５３、及びポインティングデバイス５２５４等を有する。
【０１４０】
電子機器１２００において、表示装置１２２１を構成する表示パネルの基板を可撓性基板（例えば、樹脂フィルム）とすることで、表示装置１２２１を曲げることが可能となる。これにより、電子機器１２００を折り畳んだ状態や、曲げた状態で使用することができる。図２１に、そのような形態の電子機器１２００の具体例として、幾つかの情報端末を模式的に示す。
【０１４１】
図２１（Ａ）乃至図２１（Ｃ）に示す情報端末５３００は、表示部５３０１、及びこれを支持する筐体５３０２を有する。情報端末５３００の側面及び上面に情報を表示できるように、表示部５３０１は曲げられた状態で筐体５３０２に支持されている。表示部５３０１には、タッチセンサが組み込まれており、入出力装置として機能する。使用者が表示部５３０１の触れる領域によって、情報端末５３００の操作を異ならせるようにすることができる。例えば、情報端末５３００の側面、上面、及び前面のタッチ操作によって、情報端末５３００に異なる処理を実行させればよい。
【０１４２】
図２１（Ｄ）、図２１（Ｅ）に示す情報端末５３１０は、表示部５３１１、表示部５３１２、ベルト状の筐体５３１３を有する。筐体５３１３は表示部５３１１、５３１２を支持している。筐体５３１３は可撓性であるため、使用者は腕等に装着した状態で情報端末５３１０を使用することができる。
【０１４３】
図２１（Ｆ）、図２１（Ｇ）に示す情報端末５３２０は、表示部５３２１、筐体５３２２及び筐体５３２３を有する。表示部５３０１及び筐体５３２２は可撓性を有する。そのため、情報端末５３２０は、筐体５３２２で二つに折り畳むことができる。
【０１４４】
次に、本発明の一態様の半導体装置又は記憶装置を備えることができる表示装置の使用例について説明する。一例としては、表示装置は、画素を有する。画素は、例えば、トランジスタや表示素子を有する。又は、表示装置は、画素を駆動する駆動回路を有する。駆動回路は、例えば、トランジスタを有する。例えば、これらのトランジスタとして、他の実施の形態で述べたトランジスタを採用することができる。
【０１４５】
例えば、本明細書等において、表示素子、表示素子を有する装置である表示装置、発光素子、及び発光素子を有する装置である発光装置は、様々な形態を用いること、又は様々な素子を有することが出来る。表示素子、表示装置、発光素子又は発光装置は、例えば、ＥＬ（エレクトロルミネッセンス）素子（有機物及び無機物を含むＥＬ素子、有機ＥＬ素子、無機ＥＬ素子）、ＬＥＤチップ（白色ＬＥＤチップ、赤色ＬＥＤチップ、緑色ＬＥＤチップ、青色ＬＥＤチップなど）、トランジスタ（電流に応じて発光するトランジスタ）、プラズマディスプレイ（ＰＤＰ）、電子放出素子、カーボンナノチューブを用いた表示素子、液晶素子、電子インク、エレクトロウェッティング素子、電気泳動素子、ＭＥＭＳ（マイクロ・エレクトロ・メカニカル・システム）を用いた表示素子（例えば、グレーティングライトバルブ（ＧＬＶ）、デジタルマイクロミラーデバイス（ＤＭＤ）、ＤＭＳ（デジタル・マイクロ・シャッター）、ＭＩＲＡＳＯＬ（登録商標）、ＩＭＯＤ（インターフェアレンス・モジュレーション）素子、シャッター方式のＭＥＭＳ表示素子、光干渉方式のＭＥＭＳ表示素子、圧電セラミックディスプレイなど）、又は、量子ドットなどの少なくとも一つを有している。これらの他にも、表示素子、表示装置、発光素子又は発光装置は、電気的又は磁気的作用により、コントラスト、輝度、反射率、透過率などが変化する表示媒体を有していてもよい。ＥＬ素子を用いた表示装置の一例としては、ＥＬディスプレイなどがある。電子放出素子を用いた表示装置の一例としては、フィールドエミッションディスプレイ（ＦＥＤ）又はＳＥＤ方式平面型ディスプレイ（ＳＥＤ：Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）などがある。液晶素子を用いた表示装置の一例としては、液晶ディスプレイ（透過型液晶ディスプレイ、半透過型液晶ディスプレイ、反射型液晶ディスプレイ、直視型液晶ディスプレイ、投射型液晶ディスプレイ）などがある。電子インク、電子粉流体（登録商標）、又は電気泳動素子を用いた表示装置の一例としては、電子ペーパーなどがある。量子ドットを各画素に用いた表示装置の一例としては、量子ドットディスプレイなどがある。なお、量子ドットは、表示素子としてではなく、バックライトの一部に設けてもよい。量子ドットを用いることにより、色純度の高い表示を行うことができる。なお、半透過型液晶ディスプレイや反射型液晶ディスプレイを実現する場合には、画素電極の一部、又は、全部が、反射電極としての機能を有するようにすればよい。例えば、画素電極の一部、又は、全部が、アルミニウム、銀、などを有するようにすればよい。さらに、その場合、反射電極の下に、ＳＲＡＭなどの記憶回路を設けることも可能である。これにより、さらに、消費電力を低減することができる。なお、ＬＥＤチップを用いる場合、ＬＥＤチップの電極や窒化物半導体の下に、グラフェンやグラファイトを配置してもよい。グラフェンやグラファイトは、複数の層を重ねて、多層膜としてもよい。このように、グラフェンやグラファイトを設けることにより、その上に、窒化物半導体、例えば、結晶を有するｎ型ＧａＮ半導体層などを容��に成膜することができる。さらに、その上に、結晶を有するｐ型ＧａＮ半導体層などを設けて、ＬＥＤチップを構成することができる。なお、グラフェンやグラファイトと、結晶を有するｎ型ＧａＮ半導体層との間に、ＡｌＮ層を設けてもよい。なお、ＬＥＤチップが有するＧａＮ半導体層は、ＭＯＣＶＤで成膜してもよい。ただし、グラフェンを設けることにより、ＬＥＤチップが有するＧａＮ半導体層は、スパッタ法で成膜することも可能である。また、ＭＥＭＳ（マイクロ・エレクトロ・メカニカル・システム）を用いた表示素子においては、表示素子が封止されている空間（例えば、表示素子が配置されている素子基板と、素子基板に対向して配置されている対向基板との間）に、乾燥剤を配置してもよい。乾燥剤を配置することにより、ＭＥＭＳなどが水分によって動きにくくなることや、劣化しやすくなることを防止することができる。
【０１４６】
なお、本実施の形態は、本明細書で示す他の実施の形態と適宜組み合わせることができる。
【０１４７】
（実施の形態４）
本発明の一態様である、周辺回路を含めた記憶装置の構成の一例について、図２２を用いながら説明する。
【０１４８】
図２２に記憶装置の構成の一例を示す。記憶装置２６００は、周辺回路２６０１、及びメモリセルアレイ２６１０を有する。周辺回路２６０１は、ローデコーダ２６２１、ワード線ドライバ回路２６２２、ビット線ドライバ回路２６３０、出力回路２６４０、コントロールロジック回路２６６０を有する。
【０１４９】
ビット線ドライバ回路２６３０は、カラムデコーダ２６３１、プリチャージ回路２６３２、センスアンプ２６３３、及び書き込み回路２６３４を有する。プリチャージ回路２６３２は、実施の形態１で説明した配線ＲＢＬ、配線ＳＬ、配線ＣＬ１、配線ＣＬ２（それぞれの配線は図２２に図示していない）をプリチャージする機能を有する。センスアンプ２６３３は、配線ＲＢＬから読み出されたデータ信号を増幅する機能を有する。増幅されたデータ信号は、出力回路２６４０を介して、デジタルのデータ信号ＲＤＡＴＡとして記憶装置２６００の外部に出力される。
【０１５０】
また、記憶装置２６００には、外部から電源電圧として低電源電圧（ＶＳＳ）、周辺回路２６０１用の高電源電圧（ＶＤＤ）、メモリセルアレイ２６１０用の高電源電圧（ＶＩＬ）が供給される。
【０１５１】
また、記憶装置２６００には、制御信号（ＣＥ、ＷＥ、ＲＥ）、アドレス信号ＡＤＤＲ、データ信号ＷＤＡＴＡが外部から入力される。アドレス信号ＡＤＤＲは、ローデコーダ２６２１及びカラムデコーダ２６３１に入力され、データ信号ＷＤＡＴＡは書き込み回路２６３４に入力される。
【０１５２】
コントロールロジック回路２６６０は、外部からの入力信号（ＣＥ、ＷＥ、ＲＥ）を処理して、ローデコーダ２６２１、カラムデコーダ２６３１の制御信号を生成する。ＣＥは、チップイネーブル信号であり、ＷＥは、書き込みイネーブル信号であり、ＲＥは、読み出しイネーブル信号である。コントロールロジック回路２６６０が処理する信号は、これに限定されるものではなく、必要に応じて、他の制御信号を入力すればよい。
【０１５３】
なお、上述の各回路あるいは各信号は、必要に応じて、適宜、取捨することができる。
【０１５４】
また、ｐチャネル型Ｓｉトランジスタと、後述する実施の形態の酸化物半導体（好ましくはＩｎ、Ｇａ、及びＺｎを含む酸化物）をチャネル形成領域に含むトランジスタを用い、記憶装置２６００に適用することで、小型の記憶装置２６００を提供できる。また、消費電力低減することが可能な記憶装置２６００を提供できる。また、動作速度を向上することが可能な記憶装置２６００を提供できる。特に、Ｓｉトランジスタはｐチャネル型のみとすることで、製造コストを低く抑えることができる。
【０１５５】
なお、本実施の形態の構成例は、図２２の構成に限定されない。場合によって、又は、状況に応じて、記憶装置２６００の構成を変更してもよい。例えば、実施の形態１で説明したメモリセルセット１００、メモリセルセット１２０、及びメモリセルセット１３０のいずれかを記憶装置２６００に適用する場合、そのメモリセルの種類に応じて配線数や周辺回路の構成を適宜変更してもよい。
【０１５６】
なお、本実施の形態は、本明細書で示す他の実施の形態と適宜組み合わせることができる。
【０１５７】
（実施の形態５）
本実施の形態では、開示する発明の一態様に係るトランジスタについて説明する。
【０１５８】
なお、本発明の一態様に係るトランジスタは、実施の形態６で説明するｎｃ−ＯＳ又はＣＡＡＣ−ＯＳを有することが好ましい。
【０１５９】
＜トランジスタの構成例１＞
図２３（Ａ）乃至図２３（Ｃ）は、トランジスタ１４００ａの上面図及び断面図である。図２３（Ａ）は上面図である。図２３（Ｂ）は、図２３（Ａ）に示す一点鎖線Ａ１−Ａ２に対応する断面図であり、図２３（Ｃ）は、図２３（Ａ）に示す一点鎖線Ａ３−Ａ４に対応する断面図である。なお、図２３（Ａ）の上面図では、図の明瞭化のために一部の要素を省いて図示している。なお、一点鎖線Ａ１−Ａ２をトランジスタ１４００ａのチャネル長方向、一点鎖線Ａ３−Ａ４をトランジスタ１４００ａのチャネル幅方向と呼ぶ場合がある。
【０１６０】
トランジスタ１４００ａは、基板１４５０と、基板１４５０上の絶縁膜１４０１と、絶縁膜１４０１上の導電膜１４１４と、導電膜１４１４を覆うように形成された絶縁膜１４０２と、絶縁膜１４０２上の絶縁膜１４０３と、絶縁膜１４０３上の絶縁膜１４０４と、絶縁膜１４０４上に、金属酸化物１４３１、金属酸化物１４３２の順で形成された積層と、金属酸化物１４３２の上面及び側面と接する導電膜１４２１と、同じく金属酸化物１４３２の上面及び側面と接する導電膜１４２３と、導電膜１４２１上の導電膜１４２２と、導電膜１４２３上の導電膜１４２４と、導電膜１４２２、導電膜１４２４上の絶縁膜１４０５と、金属酸化物１４３１、金属酸化物１４３２、導電膜１４２１乃至導電膜１４２４及び絶縁膜１４０５と接する金属酸化物１４３３と、金属酸化物１４３３上の絶縁膜１４０６と、絶縁膜１４０６上の導電膜１４１１と、導電膜１４１１上の導電膜１４１２と、導電膜１４１２上の導電膜１４１３と、導電膜１４１３を覆うように形成された絶縁膜１４０７と、絶縁膜１４０７上の絶縁膜１４０８を有する。なお、金属酸化物１４３１、金属酸化物１４３２及び金属酸化物１４３３をまとめて、金属酸化物１４３０と呼称する。
【０１６１】
金属酸化物１４３２は半導体であり、トランジスタ１４００ａのチャネルとしての機能を有する。
【０１６２】
また、金属酸化物１４３１及び金属酸化物１４３２は、領域１４４１及び領域１４４２を有する。領域１４４１は、導電膜１４２１と、金属酸化物１４３１、金属酸化物１４３２が接する領域の近傍に形成され、領域１４４２は、導電膜１４２３と、金属酸化物１４３１、金属酸化物１４３２が接する領域の近傍に形成される。
【０１６３】
領域１４４１、領域１４４２は低抵抗領域としての機能を有する。金属酸化物１４３１、金属酸化物１４３２は、領域１４４１を有することで、導電膜１４２１との間のコンタクト抵抗を低減させることが可能になる。同様に、金属酸化物１４３１、金属酸化物１４３２は、領域１４４２を有することで、導電膜１４２３との間のコンタクト抵抗を低減させることが可能になる。
【０１６４】
導電膜１４２１、導電膜１４２２は、トランジスタ１４００ａのソース電極又はドレイン電極の一方としての機能を有する。導電膜１４２３、導電膜１４２４は、トランジスタ１４００ａのソース電極又はドレイン電極の他方としての機能を有する。
【０１６５】
導電膜１４２２は導電膜１４２１よりも酸素を透過しにくい機能を有する。これにより、酸化による導電膜１４２１の導電率の低下を防ぐことが可能になる。
【０１６６】
同様に、導電膜１４２４は導電膜１４２３よりも酸素を透過しにくい機能を有する。これにより、酸化による導電膜１４２３の導電率の低下を防ぐことが可能になる。
【０１６７】
導電膜１４１１乃至導電膜１４１３は、トランジスタ１４００ａの第１のゲート電極としての機能を有する。
【０１６８】
導電膜１４１１、導電膜１４１３は、導電膜１４１２よりも酸素を透過しにくい機能を有する。これにより、酸化による導電膜１４１２の導電率の低下を防ぐことが可能になる。
【０１６９】
絶縁膜１４０６は、トランジスタ１４００ａの第１のゲート絶縁膜としての機能を有する。
【０１７０】
導電膜１４１４は、トランジスタ１４００ａの第２のゲート電極としての機能を有する。
【０１７１】
導電膜１４１１乃至導電膜１４１３と導電膜１４１４は同じ電位が与えられてもよいし、異なる電位が与えられてもよい。また導電膜１４１４は、場合によっては省略してもよい。
【０１７２】
絶縁膜１４０１乃至絶縁膜１４０４は、トランジスタ１４００ａの下地絶縁膜としての機能を有する。また、絶縁膜１４０２乃至絶縁膜１４０４は、トランジスタ１４００ａの第２のゲート絶縁膜としての機能も有する。
【０１７３】
絶縁膜１４０５乃至１４０８は、トランジスタ１４００ａの保護絶縁膜又は層間絶縁膜としての機能を有する。
【０１７４】
図２３（Ｃ）に示すように、金属酸化物１４３２の側面は、導電膜１４１１に囲まれている。上記構成をとることで、導電膜１４１１の電界によって、金属酸化物１４３２を電気的に取り囲むことができる。ゲート電極の電界によって、半導体を電気的に取り囲むトランジスタの構造を、ｓｕｒｒｏｕｎｄｅｄ  ｃｈａｎｎｅｌ（ｓ−ｃｈａｎｎｅｌ）構造とよぶ。金属酸化物１４３２の全体（バルク）にチャネルが形成されるため、ｓ−ｃｈａｎｎｅｌ構造は、トランジスタのソース−ドレイン間に大電流を流すことができ、トランジスタのオン電流を高くすることができる。
【０１７５】
ｓ−ｃｈａｎｎｅｌ構造は、高いオン電流が得られるため、ＬＳＩ（Ｌａｒｇｅ  Ｓｃａｌｅ  Ｉｎｔｅｇｒａｔｉｏｎ）など微細化されたトランジスタが要求される半導体装置に適した構造といえる。トランジスタを微細化できるため、該トランジスタを有する半導体装置は、集積度の高い、高密度化された半導体装置とすることが可能となる。
【０１７６】
トランジスタ１４００ａにおいて、ゲート電極として機能する領域は、絶縁膜１４０５などに形成された開口部１４１５を埋めるように自己整合（ｓｅｌｆ  ａｌｉｇｎ）的に形成される。
【０１７７】
図２３（Ｂ）に示すように、導電膜１４１１と導電膜１４２２は、絶縁膜を間に介して、互いに重なる領域を有する。同様に、導電膜１４１１と導電膜１４２４は、絶縁膜を間に介して、互いに重なる領域を有する。これらの領域は、ゲート電極と、ソース電極又はドレイン電極との間に生じた寄生容量として機能し、トランジスタ１４００ａの動作速度を低下させる原因になり得る。トランジスタ１４００ａは、絶縁膜１４０５を設けることで、上述の寄生容量を低下させることが可能になる。絶縁膜１４０５は、比誘電率の低い材料からなることが好ましい。
【０１７８】
図２４（Ａ）は、トランジスタ１４００ａの中央部を拡大したものである。図２４（Ａ）において、導電膜１４１１の底面が、絶縁膜１４０６及び金属酸化物１４３３を介して、金属酸化物１４３２の上面と平行に面する領域の長さを、幅ＬＧとして示す。幅ＬＧは、ゲート電極の線幅を表す。また、図２４（Ａ）において、導電膜１４２１と導電膜１４２３の間の長さを、幅ＬＳＤとして示す。幅ＬＳＤは、ソース電極とドレイン電極との間の長さを表す。
【０１７９】
幅ＬＳＤは最小加工寸法で決定されることが多い。図２４（Ａ）に示すように、幅ＬＧは、幅ＬＳＤよりも小さい。すなわち、トランジスタ１４００ａは、ゲート電極の線幅を、最小加工寸法より小さくすることが可能になる。具体的には、幅ＬＧは、５ｎｍ以上６０ｎｍ以下、好ましくは５ｎｍ以上３０ｎｍ以下とすることが可能になる。
【０１８０】
図２４（Ａ）において、導電膜１４２１及び導電膜１４２２の厚さの合計、又は、導電膜１４２３及び導電膜１４２４の厚さの合計を高さＨＳＤと表す。
【０１８１】
絶縁膜１４０６の厚さを、高さＨＳＤ以下とすることで、ゲート電極からの電界がチャネル形成領域全体に印加することが可能になり好ましい。絶縁膜１４０６の厚さは、３０ｎｍ以下、好ましくは１０ｎｍ以下とする。
【０１８２】
また、導電膜１４２２と導電膜１４１１の間に形成される寄生容量、及び、導電膜１４２４と導電膜１４１１の間に形成される寄生容量の値は、絶縁膜１４０５の厚さに反比例する。例えば、絶縁膜１４０５の厚さを、絶縁膜１４０６の厚さの３倍以上、好ましくは５倍以上とすることで、寄生容量は無視できるほど小さくなり、好ましい。その結果、トランジスタ１４００ａを高周波数で動作させることが可能になる。
【０１８３】
以下、トランジスタ１４００ａの各構成要素について説明を行う。
【０１８４】
＜＜金属酸化物層＞＞
まず、金属酸化物１４３１乃至金属酸化物１４３３に適用可能な金属酸化物について説明を行う。
【０１８５】
トランジスタ１４００ａは、非導通状態においてソースとドレインとの間を流れる電流（オフ電流）が低いことが好適である。オフ電流が低いトランジスタとしては、チャネル形成領域に酸化物半導体を有するトランジスタが挙げられる。
【０１８６】
金属酸化物１４３２は、例えば、インジウム（Ｉｎ）を含む酸化物半導体である。金属酸化物１４３２は、例えば、インジウムを含むと、キャリア移動度（電子移動度）が高くなる。また、金属酸化物１４３２は、元素Ｍを含むと好ましい。元素Ｍは、好ましくは、アルミニウム（Ａｌ）、ガリウム（Ｇａ）、イットリウム（Ｙ）又はスズ（Ｓｎ）などとする。そのほかの元素Ｍに適用可能な元素としては、ホウ素（Ｂ）、シリコン（Ｓｉ）、チタン（Ｔｉ）、鉄（Ｆｅ）、ニッケル（Ｎｉ）、ゲルマニウム（Ｇｅ）、ジルコニウム（Ｚｒ）、モリブデン（Ｍｏ）、ランタン（Ｌａ）、セリウム（Ｃｅ）、ネオジム（Ｎｄ）、ハフニウム（Ｈｆ）、タンタル（Ｔａ）、タングステン（Ｗ）、マグネシウム（Ｍｇ）などがある。ただし、元素Ｍとして、前述の元素を複数組み合わせても構わない場合がある。元素Ｍは、例えば、酸素との結合エネルギーが高い元素である。例えば、酸素との結合エネルギーがインジウムよりも高い元素である。又は、元素Ｍは、例えば、金属酸化物のエネルギーギャップを大きくする機能を有する元素である。また、金属酸化物１４３２は、亜鉛（Ｚｎ）を含むと好ましい。金属酸化物は、亜鉛を含むと結晶化しやすくなる場合がある。
【０１８７】
ただし、金属酸化物１４３２は、インジウムを含む酸化物半導体に限定されない。金属酸化物１４３２は、例えば、亜鉛スズ酸化物、ガリウムスズ酸化物などの、インジウムを含まず、亜鉛を含む酸化物半導体、ガリウムを含む酸化物半導体、スズを含む酸化物半導体などであっても構わない。
【０１８８】
金属酸化物１４３２は、例えば、エネルギーギャップが大きい酸化物半導体を用いる。金属酸化物１４３２のエネルギーギャップは、例えば、２．５ｅＶ以上４．２ｅＶ以下、好ましくは２．８ｅＶ以上３．８ｅＶ以下、さらに好ましくは３ｅＶ以上３．５ｅＶ以下とする。
【０１８９】
金属酸化物１４３２は、後述するＣＡＡＣ−ＯＳ膜であることが好ましい。
【０１９０】
例えば、金属酸化物１４３１及び金属酸化物１４３３は、金属酸化物１４３２を構成する酸素以外の元素一種以上から構成される金属酸化物である。金属酸化物１４３２を構成する酸素以外の元素一種以上から金属酸化物１４３１及び金属酸化物１４３３が構成されるため、金属酸化物１４３１と金属酸化物１４３２との界面、及び金属酸化物１４３２と金属酸化物１４３３との界面において、界面準位が形成されにくい。
【０１９１】
なお、金属酸化物１４３１がＩｎ−Ｍ−Ｚｎ酸化物のとき、Ｉｎ及びＭの和を１００ａｔｏｍｉｃ％としたとき、好ましくはＩｎが５０ａｔｏｍｉｃ％未満、Ｍが５０ａｔｏｍｉｃ％より高く、さらに好ましくはＩｎが２５ａｔｏｍｉｃ％未満、Ｍが７５ａｔｏｍｉｃ％より高いとする。金属酸化物１４３１をスパッタリング法で成膜する場合、上記の組成を満たすスパッタリングターゲットを用いることが好ましい。例えば、Ｉｎ：Ｍ：Ｚｎ＝１：３：２、Ｉｎ：Ｍ：Ｚｎ＝１：３：４などが好ましい。
【０１９２】
また、金属酸化物１４３２がＩｎ−Ｍ−Ｚｎ酸化物のとき、Ｉｎ及びＭの和を１００ａｔｏｍｉｃ％としたとき、好ましくはＩｎが２５ａｔｏｍｉｃ％より高く、Ｍが７５ａｔｏｍｉｃ％未満、さらに好ましくはＩｎが３４ａｔｏｍｉｃ％より高く、Ｍが６６ａｔｏｍｉｃ％未満とする。金属酸化物１４３２をスパッタリング法で成膜する場合、上記の組成を満たすスパッタリングターゲットを用いることが好ましい。例えば、Ｉｎ：Ｍ：Ｚｎ＝１：１：１、Ｉｎ：Ｍ：Ｚｎ＝１：１：１．２、Ｉｎ：Ｍ：Ｚｎ＝２：１：３、Ｉｎ：Ｍ：Ｚｎ＝３：１：２、Ｉｎ：Ｍ：Ｚｎ＝４：２：４．１が好ましい。特に、スパッタリングターゲットとして、原子数比がＩｎ：Ｇａ：Ｚｎ＝４：２：４．１を用いる場合、成膜される金属酸化物１４３２の原子数比は、Ｉｎ：Ｇａ：Ｚｎ＝４：２：３近傍となる場合がある。
【０１９３】
また、金属酸化物１４３３がＩｎ−Ｍ−Ｚｎ酸化物のとき、Ｉｎ及びＭの和を１００ａｔｏｍｉｃ％としたとき、好ましくはＩｎが５０ａｔｏｍｉｃ％未満、Ｍが５０ａｔｏｍｉｃ％より高く、さらに好ましくはＩｎが２５ａｔｏｍｉｃ％未満、Ｍが７５ａｔｏｍｉｃ％より高くする。例えば、Ｉｎ：Ｍ：Ｚｎ＝１：３：２、Ｉｎ：Ｍ：Ｚｎ＝１：３：４などが好ましい。また、金属酸化物１４３３は、金属酸化物１４３１と同種の金属酸化物を用いても構わない。
【０１９４】
また、金属酸化物１４３１又は金属酸化物１４３３がインジウムを含まなくても構わない場合がある。例えば、金属酸化物１４３１又は金属酸化物１４３３が酸化ガリウムであっても構わない。
【０１９５】
次に、金属酸化物１４３１乃至金属酸化物１４３３の積層により構成される金属酸化物１４３０の機能及びその効果について、図２４（Ｂ）に示すエネルギーバンド構造図を用いて説明する。図２４（Ｂ）は、図２４（Ａ）にＹ１−Ｙ２の鎖線で示した部位のエネルギーバンド構造を示している。また、図２４（Ｂ）は、トランジスタ１４００ａのチャネル形成領域とその近傍のエネルギーバンド構造を示している。
【０１９６】
図２４（Ｂ）中、Ｅｃ１４０４、Ｅｃ１４３１、Ｅｃ１４３２、Ｅｃ１４３３、Ｅｃ１４０６は、それぞれ、絶縁膜１４０４、金属酸化物１４３１、金属酸化物１４３２、金属酸化物１４３３、絶縁膜１４０６の伝導帯下端のエネルギーを示している。
【０１９７】
ここで、真空準位と伝導帯下端のエネルギーとの差（「電子親和力」ともいう。）は、真空準位と価電子帯上端のエネルギーとの差（イオン化ポテンシャルともいう。）からエネルギーギャップを引いた値となる。なお、エネルギーギャップは、分光エリプソメータを用いて測定できる。また、真空準位と価電子帯上端のエネルギー差は、紫外線光電子分光分析（ＵＰＳ：Ｕｌｔｒａｖｉｏｌｅｔ  Ｐｈｏｔｏｅｌｅｃｔｒｏｎ  Ｓｐｅｃｔｒｏｓｃｏｐｙ）装置を用いて測定できる。
【０１９８】
絶縁膜１４０４と絶縁膜１４０６は絶縁体であるため、Ｅｃ１４０６とＥｃ１４０４は、Ｅｃ１４３１、Ｅｃ１４３２、及びＥｃ１４３３よりも真空準位に近い（電子親和力が小さい）。
【０１９９】
金属酸化物１４３２は、金属酸化物１４３１及び金属酸化物１４３３よりも電子親和力の大きい金属酸化物を用いる。例えば、金属酸化物１４３２として、金属酸化物１４３１及び金属酸化物１４３３よりも電子親和力の０．０７ｅＶ以上１．３ｅＶ以下、好ましくは０．１ｅＶ以上０．７ｅＶ以下、さらに好ましくは０．１５ｅＶ以上０．４ｅＶ以下大きい金属酸化物を用いる。なお、電子親和力は、真空準位と伝導帯下端のエネルギーとの差である。
【０２００】
なお、インジウムガリウム酸化物は、小さい電子親和力と、高い酸素ブロック性を有する。そのため、金属酸化物１４３３がインジウムガリウム酸化物を含むと好ましい。ガリウム原子割合［Ｇａ／（Ｉｎ＋Ｇａ）］は、例えば、７０％以上、好ましくは８０％以上、さらに好ましくは９０％以上とする。
【０２０１】
このとき、ゲート電圧を印加すると、金属酸化物１４３１、金属酸化物１４３２、金属酸化物１４３３のうち、電子親和力の大きい金属酸化物１４３２にチャネルが形成される。
【０２０２】
そのため、電子は、金属酸化物１４３１、金属酸化物１４３３の中ではなく、金属酸化物１４３２の中を主として移動する。そのため、金属酸化物１４３１と絶縁膜１４０４との界面、あるいは、金属酸化物１４３３と絶縁膜１４０６との界面に、電子の流れを阻害する界面準位が多く存在したとしても、トランジスタのオン電流にはほとんど影響を与えない。金属酸化物１４３１、金属酸化物１４３３は、絶縁膜のように機能する。
【０２０３】
金属酸化物１４３１と金属酸化物１４３２との間には、金属酸化物１４３１と金属酸化物１４３２との混合領域を有する場合がある。また、金属酸化物１４３２と金属酸化物１４３３との間には、金属酸化物１４３２と金属酸化物１４３３との混合領域を有する場合がある。混合領域は、界面準位密度が低くなる。そのため、金属酸化物１４３１、金属酸化物１４３２及び金属酸化物１４３３の積層体は、それぞれの界面近傍において、エネルギーが連続的に変化する（連続接合ともいう。）バンド構造となる。
【０２０４】
金属酸化物１４３１と金属酸化物１４３２の界面、あるいは、金属酸化物１４３２と金属酸化物１４３３との界面は、上述したように界面準位密度が小さいため、金属酸化物１４３２中で電子の移動が阻害されることが少なく、トランジスタのオン電流を高くすることが可能になる。
【０２０５】
例えば、トランジスタ中の電子の移動は、チャネル形成領域の物理的な凹凸が大きい場合に阻害される。トランジスタのオン電流を高くするためには、例えば、金属酸化物１４３２の上面又は下面（被形成面、ここでは金属酸化物１４３１の上面）の、１μｍ×１μｍの範囲における二乗平均平方根（ＲＭＳ：Ｒｏｏｔ  Ｍｅａｎ  Ｓｑｕａｒｅ）粗さが１ｎｍ未満、好ましくは０．６ｎｍ未満、さらに好ましくは０．５ｎｍ未満、より好ましくは０．４ｎｍ未満とすればよい。また、１μｍ×１μｍの範囲における平均面粗さ（Ｒａともいう。）が１ｎｍ未満、好ましくは０．６ｎｍ未満、さらに好ましくは０．５ｎｍ未満、より好ましくは０．４ｎｍ未満とすればよい。また、１μｍ×１μｍの範囲における最大高低差（Ｐ−Ｖともいう。）が１０ｎｍ未満、好ましくは９ｎｍ未満、さらに好ましくは８ｎｍ未満、より好ましくは７ｎｍ未満とすればよい。ＲＭＳ粗さ、Ｒａ及びＰ−Ｖは、エスアイアイ・ナノテクノロジー株式会社製走査型プローブ顕微鏡システムＳＰＡ−５００などを用いて測定することができる。
【０２０６】
チャネルの形成される領域中の欠陥準位密度が高い場合にも、電子の移動は阻害される。例えば、金属酸化物１４３２が酸素欠損（ＶＯとも表記。）を有する場合、酸素欠損のサイトに水素が入り込むことでドナー準位を形成することがある。以下では酸素欠損のサイトに水素が入り込んだ状態をＶＯＨと表記する場合がある。ＶＯＨは電子を散乱するため、トランジスタのオン電流を低下させる要因となる。なお、酸素欠損のサイトは、水素が入るよりも酸素が入る方が安定する。したがって、金属酸化物１４３２中の酸素欠損を低減することで、トランジスタのオン電流を高くすることができる場合がある。
【０２０７】
例えば、金属酸化物１４３２のある深さにおいて、又は、金属酸化物１４３２のある領域において、二次イオン質量分析法（ＳＩＭＳ：Ｓｅｃｏｎｄａｒｙ  Ｉｏｎ  Ｍａｓｓ  Ｓｐｅｃｔｒｏｍｅｔｒｙ）で測定される水素濃度は、１×１０１６ａｔｏｍｓ／ｃｍ３以上、２×１０２０ａｔｏｍｓ／ｃｍ３以下、好ましくは１×１０１６ａｔｏｍｓ／ｃｍ３以上、５×１０１９ａｔｏｍｓ／ｃｍ３以下、より好ましくは１×１０１６ａｔｏｍｓ／ｃｍ３以上、１×１０１９ａｔｏｍｓ／ｃｍ３以下、さらに好ましくは１×１０１６ａｔｏｍｓ／ｃｍ３以上、５×１０１８ａｔｏｍｓ／ｃｍ３以下とする。
【０２０８】
金属酸化物１４３２の酸素欠損を低減するために、例えば、絶縁膜１４０４に含まれる過剰酸素を、金属酸化物１４３１を介して金属酸化物１４３２まで移動させる方法などがある。この場合、金属酸化物１４３１は、酸素透過性を有する層（酸素を通過又は透過させる層）であることが好ましい。
【０２０９】
なお、トランジスタがｓ−ｃｈａｎｎｅｌ構造を有する場合、金属酸化物１４３２の全体にチャネルが形成される。したがって、金属酸化物１４３２が厚いほどチャネル領域は大きくなる。即ち、金属酸化物１４３２が厚いほど、トランジスタのオン電流を高くすることができる。
【０２１０】
また、トランジスタのオン電流を高くするためには、金属酸化物１４３３は薄いほど好ましい。金属酸化物１４３３は、例えば、１０ｎｍ未満、好ましくは５ｎｍ以下、さらに好ましくは３ｎｍ以下の領域を有していればよい。一方、金属酸化物１４３３は、チャネルの形成される金属酸化物１４３２へ、隣接する絶縁体を構成する酸素以外の元素（水素、シリコンなど）が入り込まないようブロックする機能を有する。そのため、金属酸化物１４３３は、ある程度の厚さを有することが好ましい。金属酸化物１４３３は、例えば、０．３ｎｍ以上、好ましくは１ｎｍ以上、さらに好ましくは２ｎｍ以上の厚さの領域を有していればよい。また、金属酸化物１４３３は、絶縁膜１４０４などから放出される酸素の外方拡散を抑制するために、酸素をブロックする性質を有すると好ましい。
【０２１１】
また、信頼性を高くするためには、金属酸化物１４３１は厚く、金属酸化物１４３３は薄いことが好ましい。金属酸化物１４３１は、例えば、１０ｎｍ以上、好ましくは２０ｎｍ以上、さらに好ましくは４０ｎｍ以上、より好ましくは６０ｎｍ以上の厚さの領域を有していればよい。金属酸化物１４３１の厚さを、厚くすることで、隣接する絶縁体と金属酸化物１４３１との界面からチャネルの形成される金属酸化物１４３２までの距離を離すことができる。ただし、半導体装置の生産性が低下する場合があるため、金属酸化物１４３１は、例えば、２００ｎｍ以下、好ましくは１２０ｎｍ以下、さらに好ましくは８０ｎｍ以下の厚さの領域を有していればよい。
【０２１２】
例えば、金属酸化物１４３２と金属酸化物１４３１との間に、例えば、ＳＩＭＳ分析において、１×１０１６ａｔｏｍｓ／ｃｍ３以上、１×１０１９ａｔｏｍｓ／ｃｍ３未満、好ましくは１×１０１６ａｔｏｍｓ／ｃｍ３以上、５×１０１８ａｔｏｍｓ／ｃｍ３未満、さらに好ましくは１×１０１６ａｔｏｍｓ／ｃｍ３以上、２×１０１８ａｔｏｍｓ／ｃｍ３未満のシリコン濃度となる領域を有する。また、金属酸化物１４３２と金属酸化物１４３３との間に、ＳＩＭＳにおいて、１×１０１６ａｔｏｍｓ／ｃｍ３以上、１×１０１９ａｔｏｍｓ／ｃｍ３未満、好ましくは１×１０１６ａｔｏｍｓ／ｃｍ３以上、５×１０１８ａｔｏｍｓ／ｃｍ３未満、さらに好ましくは１×１０１６ａｔｏｍｓ／ｃｍ３以上、２×１０１８ａｔｏｍｓ／ｃｍ３未満のシリコン濃度となる領域を有する。
【０２１３】
また、金属酸化物１４３２の水素濃度を低減するために、金属酸化物１４３１及び金属酸化物１４３３の水素濃度を低減すると好ましい。金属酸化物１４３１及び金属酸化物１４３３は、ＳＩＭＳにおいて、１×１０１６ａｔｏｍｓ／ｃｍ３以上、２×１０２０ａｔｏｍｓ／ｃｍ３以下、好ましくは１×１０１６ａｔｏｍｓ／ｃｍ３以上、５×１０１９ａｔｏｍｓ／ｃｍ３以下、より好ましくは１×１０１６ａｔｏｍｓ／ｃｍ３以上、１×１０１９ａｔｏｍｓ／ｃｍ３以下、さらに好ましくは１×１０１６ａｔｏｍｓ／ｃｍ３以上、５×１０１８ａｔｏｍｓ／ｃｍ３以下の水素濃度となる領域を有する。また、金属酸化物１４３２の窒素濃度を低減するために、金属酸化物１４３１及び金属酸化物１４３３の窒素濃度を低減すると好ましい。金属酸化物１４３１及び金属酸化物１４３３は、ＳＩＭＳにおいて、１×１０１６ａｔｏｍｓ／ｃｍ３以上、５×１０１９ａｔｏｍｓ／ｃｍ３未満、好ましくは１×１０１６ａｔｏｍｓ／ｃｍ３以上、５×１０１８ａｔｏｍｓ／ｃｍ３以下、より好ましくは１×１０１６ａｔｏｍｓ／ｃｍ３以上、１×１０１８ａｔｏｍｓ／ｃｍ３以下、さらに好ましくは１×１０１６ａｔｏｍｓ／ｃｍ３以上、５×１０１７ａｔｏｍｓ／ｃｍ３以下の窒素濃度となる領域を有する。
【０２１４】
金属酸化物１４３１乃至金属酸化物１４３３の成膜は、スパッタリング法、ＣＶＤ（Ｃｈｅｍｉｃａｌ  Ｖａｐｏｒ  Ｄｅｐｏｓｉｔｉｏｎ）法、ＭＢＥ（Ｍｏｌｅｃｕｌａｒ  Ｂｅａｍ  Ｅｐｉｔａｘｙ）法又はＰＬＤ（Ｐｕｌｓｅｄ  Ｌａｓｅｒ  Ｄｅｐｏｓｉｔｉｏｎ）法、ＡＬＤ（Ａｔｏｍｉｃ  Ｌａｙｅｒ  Ｄｅｐｏｓｉｔｉｏｎ）法などを用いて行えばよい。
【０２１５】
金属酸化物１４３１、金属酸化物１４３２を形成した後に、第１の加熱処理を行うと好ましい。第１の加熱処理は、２５０℃以上６５０℃以下、好ましくは４５０℃以上６００℃以下、さらに好ましくは５２０℃以上５７０℃以下で行えばよい。第１の加熱処理は、不活性ガス雰囲気、又は酸化性ガスを１０ｐｐｍ以上、１％以上もしくは１０％以上含む雰囲気で行う。第１の加熱処理は減圧状態で行ってもよい。又は、第１の加熱処理は、不活性ガス雰囲気で加熱処理した後に、脱離した酸素を補うために酸化性ガスを１０ｐｐｍ以上、１％以上又は１０％以上含む雰囲気で加熱処理を行ってもよい。第１の加熱処理によって、金属酸化物１４３１、金属酸化物１４３２の結晶性を高めることや、水素や水などの不純物を除去することが可能になる。
【０２１６】
上述の３層構造は一例である。例えば、金属酸化物１４３１又は金属酸化物１４３３のない２層構造としても構わない。又は、金属酸化物１４３１の上もしくは下、又は金属酸化物１４３３上もしくは下に、金属酸化物１４３１、金属酸化物１４３２及び金属酸化物１４３３として例示した半導体のいずれか一を有する４層構造としても構わない。又は、金属酸化物１４３１の上、金属酸化物１４３１の下、金属酸化物１４３３の上、金属酸化物１４３３の下のいずれか二箇所以上に、金属酸化物１４３１、金属酸化物１４３２及び金属酸化物１４３３として例示した半導体のいずれか一を有するｎ層構造（ｎは５以上の整数）としても構わない。
【０２１７】
＜＜基板＞＞
基板１４５０としては、例えば、絶縁体基板、半導体基板又は導電体基板を用いればよい。絶縁体基板としては、例えば、ガラス基板、石英基板、サファイア基板、安定化ジルコニア基板（イットリア安定化ジルコニア基板など）、樹脂基板などがある。また、半導体基板としては、例えば、シリコン、ゲルマニウムなどの単体半導体基板、又は炭化シリコン、シリコンゲルマニウム、ヒ化ガリウム、リン化インジウム、酸化亜鉛、酸化ガリウムからなる化合物半導体基板などがある。さらには、前述の半導体基板内部に絶縁体領域を有する半導体基板、例えばＳＯＩ（Ｓｉｌｉｃｏｎ  Ｏｎ  Ｉｎｓｕｌａｔｏｒ）基板などがある。導電体基板としては、黒鉛基板、金属基板、合金基板、導電性樹脂基板などがある。又は、金属の窒化物を有する基板、金属の酸化物を有する基板などがある。さらには、絶縁体基板に導電体又は半導体が設けられた基板、半導体基板に導電体又は絶縁体が設けられた基板、導電体基板に半導体又は絶縁体が設けられた基板などがある。又は、これらの基板に素子が設けられたものを用いてもよい。基板に設けられる素子としては、容量素子、抵抗素子、スイッチ素子、発光素子、記憶素子などがある。
【０２１８】
また、基板１４５０として、可とう性基板を用いてもよい。なお、可とう性基板上にトランジスタを設ける方法としては、非可とう性の基板上にトランジスタを作製した後、トランジスタを剥離し、可とう性基板である基板１４５０に転置する方法もある。その場合には、非可とう性基板とトランジスタとの間に剥離層を設けるとよい。なお、基板１４５０として、繊維を編みこんだシート、フィルム又は箔などを用いてもよい。また、基板１４５０が伸縮性を有してもよい。また、基板１４５０は、折り曲げや引っ張りをやめた際に、元の形状に戻る性質を有してもよい。又は、元の形状に戻らない性質を有してもよい。基板１４５０の厚さは、例えば、５μｍ以上７００μｍ以下、好ましくは１０μｍ以上５００μｍ以下、さらに好ましくは１５μｍ以上３００μｍ以下とする。基板１４５０を薄くすると、半導体装置を軽量化することができる。また、基板１４５０を薄くすることで、ガラスなどを用いた場合にも伸縮性を有する場合や、折り曲げや引っ張りをやめた際に、元の形状に戻る性質を有する場合がある。そのため、落下などによって基板１４５０上の半導体装置に加わる衝撃などを緩和することができる。即ち、丈夫な半導体装置を提供することができる。
【０２１９】
可とう性基板である基板１４５０としては、例えば、金属、合金、樹脂もしくはガラス、又はそれらの繊維などを用いることができる。可とう性基板である基板１４５０は、線膨張率が低いほど環境による変形が抑制されて好ましい。可とう性基板である基板１４５０としては、例えば、線膨張率が１×１０−３／Ｋ以下、５×１０−５／Ｋ以下、又は１×１０−５／Ｋ以下である材質を用いればよい。樹脂としては、例えば、ポリエステル、ポリオレフィン、ポリアミド（ナイロン、アラミドなど）、ポリイミド、ポリカーボネート、アクリル、ポリテトラフルオロエチレン（ＰＴＦＥ）などがある。特に、アラミドは、線膨張率が低いため、可とう性基板である基板１４５０として好適である。
【０２２０】
＜＜下地絶縁膜＞＞
絶縁膜１４０１は、基板１４５０と導電膜１４１４を電気的に分離させる機能を有する。
【０２２１】
絶縁膜１４０１又は絶縁膜１４０２は、単層構造又は積層構造の絶縁膜で形成される。絶縁膜を構成する材料には、例えば、酸化アルミニウム、酸化マグネシウム、酸化シリコン、酸化窒化シリコン、窒化酸化シリコン、窒化シリコン、酸化ガリウム、酸化ゲルマニウム、酸化イットリウム、酸化ジルコニウム、酸化ランタン、酸化ネオジム、酸化ハフニウム、酸化タンタルなどがある。
【０２２２】
また、絶縁膜１４０２として、ＴＥＯＳ（Ｔｅｔｒａ−Ｅｔｈｙｌ−Ｏｒｔｈｏ−Ｓｉｌｉｃａｔｅ）若しくはシラン等と、酸素若しくは亜酸化窒素等とを反応させて形成した段差被覆性の良い酸化シリコンを用いてもよい。
【０２２３】
また、絶縁膜１４０２を成膜した後、その上面の平坦性を高めるためにＣＭＰ法等を用いた平坦化処理を行ってもよい。
【０２２４】
絶縁膜１４０４は、酸化物を含むことが好ましい。特に加熱により一部の酸素が脱離する酸化物材料を含むことが好ましい。好適には、化学量論的組成を満たす酸素よりも多くの酸素を含む酸化物を用いることが好ましい。化学量論的組成を満たす酸素よりも多くの酸素を含む酸化物膜は、加熱により一部の酸素が脱離する。絶縁膜１４０４から脱離した酸素は金属酸化物１４３０に供給され、金属酸化物１４３０の酸素欠損を低減することが可能となる。その結果、トランジスタの電気特性の変動を抑制し、信頼性を高めることができる。
【０２２５】
化学量論的組成を満たす酸素よりも多くの酸素を含む酸化物膜は、例えば、ＴＤＳ（Ｔｈｅｒｍａｌ  Ｄｅｓｏｒｐｔｉｏｎ  Ｓｐｅｃｔｒｏｓｃｏｐｙ）分析にて、酸素原子に換算しての酸素の脱離量が１．０×１０１８ａｔｏｍｓ／ｃｍ３以上、好ましくは３．０×１０２０ａｔｏｍｓ／ｃｍ３以上である酸化物膜である。なお、上記ＴＤＳ分析時における膜の表面温度としては１００℃以上７００℃以下、又は１００℃以上５００℃以下の範囲が好ましい。
【０２２６】
絶縁膜１４０４は、金属酸化物１４３０に酸素を供給することができる酸化物を含むことが好ましい。例えば、酸化シリコン又は酸化窒化シリコンを含む材料を用いることが好ましい。
【０２２７】
又は、絶縁膜１４０４として、酸化アルミニウム、酸化窒化アルミニウム、酸化ガリウム、酸化窒化ガリウム、酸化イットリウム、酸化窒化イットリウム、酸化ハフニウム、酸化窒化ハフニウム等の金属酸化物を用いてもよい。
【０２２８】
絶縁膜１４０４に酸素を過剰に含有させるためには、例えば酸素雰囲気下にて絶縁膜１４０４の成膜を行えばよい。又は、成膜後の絶縁膜１４０４に酸素を導入して酸素を過剰に含有する領域を形成してもよく、双方の手段を組み合わせてもよい。
【０２２９】
例えば、成膜後の絶縁膜１４０４に、酸素（少なくとも酸素ラジカル、酸素原子、酸素イオンのいずれかを含む）を導入して酸素を過剰に含有する領域を形成する。酸素の導入方法としては、イオン注入法、イオンドーピング法、プラズマイマージョンイオン注入法、プラズマ処理などを用いることができる。
【０２３０】
酸素導入処理には、酸素を含むガスを用いることができる。酸素を含むガスとしては、例えば酸素、亜酸化窒素、二酸化窒素、二酸化炭素、一酸化炭素などを用いることができる。また、酸素導入処理において、酸素を含むガスに希ガスを含ませてもよい。又は、水素等を含ませてもよい。例えば、二酸化炭素、水素及びアルゴンの混合ガスを用いるとよい。
【０２３１】
また、絶縁膜１４０４を成膜した後、その上面の平坦性を高めるためにＣＭＰ法等を用いた平坦化処理を行ってもよい。
【０２３２】
絶縁膜１４０３は、絶縁膜１４０４に含まれる酸素が、導電膜１４１４に含まれる金属と結びつき、絶縁膜１４０４に含まれる酸素が減少することを防ぐパッシベーション機能を有する。
【０２３３】
絶縁膜１４０３は、酸素、水素、水、アルカリ金属、アルカリ土類金属等のブロッキングできる機能を有する。絶縁膜１４０３を設けることで、金属酸化物１４３０からの酸素の外部への拡散と、外部から金属酸化物１４３０への水素、水等の入り込みを防ぐことができる。
【０２３４】
絶縁膜１４０３としては、例えば、窒化物絶縁膜を用いることができる。該窒化物絶縁膜としては、窒化シリコン、窒化酸化シリコン、窒化アルミニウム、窒化酸化アルミニウム等がある。なお、窒化物絶縁膜の代わりに、酸素、水素、水等のブロッキング効果を有する酸化物絶縁膜を設けてもよい。酸化物絶縁膜としては、酸化アルミニウム、酸化窒化アルミニウム、酸化ガリウム、酸化窒化ガリウム、酸化イットリウム、酸化窒化イットリウム、酸化ハフニウム、酸化窒化ハフニウム等がある。
【０２３５】
トランジスタ１４００ａは、電荷捕獲層に電子を注入することで、しきい値電圧を制御することが可能になる。電荷捕獲層は、絶縁膜１４０２又は絶縁膜１４０３に設けることが好ましい。例えば、絶縁膜１４０３を酸化ハフニウム、酸化アルミニウム、酸化タンタル、アルミニウムシリケート等で形成することで、電荷捕獲層として機能させることができる。
【０２３６】
＜＜ゲート電極＞＞
導電膜１４１１乃至導電膜１４１４として、銅（Ｃｕ）、タングステン（Ｗ）、モリブデン（Ｍｏ）、金（Ａｕ）、アルミニウム（Ａｌ）、マンガン（Ｍｎ）、チタン（Ｔｉ）、タンタル（Ｔａ）、ニッケル（Ｎｉ）、クロム（Ｃｒ）、鉛（Ｐｂ）、錫（Ｓｎ）、鉄（Ｆｅ）、コバルト（Ｃｏ）、ルテニウム（Ｒｕ）、白金（Ｐｔ）、イリジウム（Ｉｒ）、ストロンチウム（Ｓｒ）の低抵抗材料からなる単体、合金、又はこれらを主成分とする化合物を含む導電膜の単層又は積層とすることが好ましい。特に、耐熱性と導電性を両立するタングステンやモリブデンなどの高融点材料を用いることが好ましい。また、アルミニウムや銅などの低抵抗導電性材料で形成することが好ましい。さらに、Ｃｕ−Ｍｎ合金を用いると、酸素を含む絶縁体との界面に酸化マンガンを形成し、酸化マンガンがＣｕの拡散を抑制する機能を持つので好ましい。
【０２３７】
＜＜ソース電極、ドレイン電極＞＞
導電膜１４２１乃至導電膜１４２４として、銅（Ｃｕ）、タングステン（Ｗ）、モリブデン（Ｍｏ）、金（Ａｕ）、アルミニウム（Ａｌ）、マンガン（Ｍｎ）、チタン（Ｔｉ）、タンタル（Ｔａ）、ニッケル（Ｎｉ）、クロム（Ｃｒ）、鉛（Ｐｂ）、錫（Ｓｎ）、鉄（Ｆｅ）、コバルト（Ｃｏ）、ルテニウム（Ｒｕ）、白金（Ｐｔ）、イリジウム（Ｉｒ）、ストロンチウム（Ｓｒ）の低抵抗材料からなる単体、合金、又はこれらを主成分とする化合物を含む導電膜の単層又は積層とすることが好ましい。特に、耐熱性と導電性を両立するタングステンやモリブデンなどの高融点材料を用いることが好ましい。また、アルミニウムや銅などの低抵抗導電性材料で形成することが好ましい。さらに、Ｃｕ−Ｍｎ合金を用いると、酸素を含む絶縁体との界面に酸化マンガンを形成し、酸化マンガンがＣｕの拡散を抑制する機能を持つので好ましい。
【０２３８】
また、導電膜１４２１乃至導電膜１４２４には、酸化イリジウム、酸化ルテニウム、ストロンチウムルテナイトなど、貴金属を含む導電性酸化物を用いることが好ましい。これらの導電性酸化物は、酸化物半導体と接しても酸化物半導体から酸素を奪うことが少なく、酸化物半導体の酸素欠損を作りにくい。
【０２３９】
＜＜低抵抗領域＞＞
領域１４４１、領域１４４２は、例えば、導電膜１４２１、導電膜１４２３が、金属酸化物１４３１、金属酸化物１４３２の酸素を引き抜くことで形成される。酸素の引き抜きは、高い温度で加熱するほど起こりやすい。トランジスタの作製工程には、いくつかの加熱工程があることから、領域１４４１、領域１４４２には酸素欠損が形成される。また、加熱により該酸素欠損のサイトに水素が入りこみ、領域１４４１、領域１４４２に含まれるキャリア濃度が増加する。その結果、領域１４４１、領域１４４２が低抵抗化する。
【０２４０】
＜＜ゲート絶縁膜＞＞
絶縁膜１４０６は、比誘電率の高い絶縁体を有することが好ましい。例えば、絶縁膜１４０６は、酸化ガリウム、酸化ハフニウム、アルミニウム及びハフニウムを有する酸化物、アルミニウム及びハフニウムを有する酸化窒化物、シリコン及びハフニウムを有する酸化物、又はシリコン及びハフニウムを有する酸化窒化物などを有することが好ましい。
【０２４１】
また、絶縁膜１４０６は、酸化シリコン又は酸化窒化シリコンと、比誘電率の高い絶縁体と、の積層構造を有することが好ましい。酸化シリコン及び酸化窒化シリコンは、熱的に安定であるため、比誘電率の高い絶縁体と組み合わせることで、熱的に安定かつ比誘電率の高い積層構造とすることができる。例えば、酸化アルミニウム、酸化ガリウム又は酸化ハフニウムを金属酸化物１４３３側に有することで、酸化シリコン又は酸化窒化シリコンに含まれるシリコンが、金属酸化物１４３２に混入することを抑制することができる。
【０２４２】
また、例えば、酸化シリコン又は酸化窒化シリコンを金属酸化物１４３３側に有することで、酸化アルミニウム、酸化ガリウム又は酸化ハフニウムと、酸化シリコン又は酸化窒化シリコンと、の界面にトラップセンターが形成される場合がある。該トラップセンターは、電子を捕獲することでトランジスタのしきい値電圧をプラス方向に変動させることができる場合がある。
【０２４３】
＜＜層間絶縁膜、保護絶縁膜＞＞
絶縁膜１４０５は、比誘電率の低い絶縁体を有することが好ましい。例えば、絶縁膜１４０５は、酸化シリコン、酸化窒化シリコン、窒化酸化シリコン、窒化シリコン又は樹脂などを有することが好ましい。又は、絶縁膜１４０５は、酸化シリコン又は酸化窒化シリコンと、樹脂と、の積層構造を有することが好ましい。酸化シリコン及び酸化窒化シリコンは、熱的に安定であるため、樹脂と組み合わせることで、熱的に安定かつ比誘電率の低い積層構造とすることができる。樹脂としては、例えば、ポリエステル、ポリオレフィン、ポリアミド（ナイロン、アラミドなど）、ポリイミド、ポリカーボネート又はアクリルなどがある。
【０２４４】
絶縁膜１４０７は、酸素、水素、水、アルカリ金属、アルカリ土類金属等のブロッキングできる機能を有する。絶縁膜１４０７を設けることで、金属酸化物１４３０からの酸素の外部への拡散と、外部から金属酸化物１４３０への水素、水等の入り込みを防ぐことができる。
【０２４５】
絶縁膜１４０７としては、例えば、窒化物絶縁膜を用いることができる。該窒化物絶縁膜としては、窒化シリコン、窒化酸化シリコン、窒化アルミニウム、窒化酸化アルミニウム等がある。なお、窒化物絶縁膜の代わりに、酸素、水素、水等のブロッキング効果を有する酸化物絶縁膜を設けてもよい。酸化物絶縁膜としては、酸化アルミニウム、酸化窒化アルミニウム、酸化ガリウム、酸化窒化ガリウム、酸化イットリウム、酸化窒化イットリウム、酸化ハフニウム、酸化窒化ハフニウム等がある。
【０２４６】
酸化アルミニウム膜は、水素、水分などの不純物、及び酸素の両方に対して膜を透過させない遮断効果が高いので絶縁膜１４０７に適用するのに好ましい。
【０２４７】
絶縁膜１４０７は、スパッタリング法またはＣＶＤ法などにより酸素を含むプラズマを用いて成膜することで、絶縁膜１４０５、絶縁膜１４０６の側面及び表面に、酸素を添加することが可能になる。また、絶縁膜１４０７を成膜した後、何れかのタイミングにおいて、第２の加熱処理を行うことが好ましい。第２の加熱処理によって、絶縁膜１４０５、絶縁膜１４０６に添加された酸素が、絶縁膜中を拡散し、金属酸化物１４３０に到達し、金属酸化物１４３０の酸素欠損を低減することが可能になる。
【０２４８】
図２５（Ａ）（Ｂ）は、絶縁膜１４０７を成膜する際に絶縁膜１４０５、絶縁膜１４０６に添加された酸素が、第２の加熱処理によって絶縁膜中を拡散し、金属酸化物１４３０に到達する様子を描いた模式図である。図２５（Ａ）は、図２３（Ｂ）の断面図において、酸素が拡散する様子を矢印で示している。同様に、図２５（Ｂ）は、図２３（Ｃ）の断面図において、酸素が拡散する様子を矢印で示している。
【０２４９】
図２５（Ａ）、図２５（Ｂ）に示すように、絶縁膜１４０６の側面に添加された酸素が、絶縁膜１４０６の内部を拡散し、金属酸化物１４３０に到達する。また、絶縁膜１４０７と絶縁膜１４０５の界面近傍に、酸素を過剰に含む領域１４６１、領域１４６２及び領域１４６３が形成される場合がある。領域１４６１乃至１４６３に含まれる酸素は、絶縁膜１４０５、絶縁膜１４０４を経由し、金属酸化物１４３０に到達する。絶縁膜１４０５が酸化シリコンを含み、絶縁膜１４０７が酸化アルミニウムを含む場合、領域１４６１乃至１４６３は、シリコンとアルミニウムと酸素の混合層が形成される場合がある。
【０２５０】
絶縁膜１４０７は、酸素をブロックする機能を有し、酸素が絶縁膜１４０７より上方に拡散することを防ぐ。同様に、絶縁膜１４０３は、酸素をブロックする機能を有し、酸素が絶縁膜１４０３より下方に拡散することを防ぐ。
【０２５１】
なお、第２の加熱処理は、絶縁膜１４０５、絶縁膜１４０６に添加された酸素が金属酸化物１４３０まで拡散する温度で行えばよい。例えば、第１の加熱処理についての記載を参照しても構わない。又は、第２の加熱処理は、第１の加熱処理よりも低い温度が好ましい。第１の加熱処理と第２の加熱処理の温度差は、２０℃以上１５０℃以下、好ましくは４０℃以上１００℃以下とする。これにより、絶縁膜１４０４から余分に酸素が放出することを抑えることができる。なお、第２の加熱処理は、同等の加熱処理を各層の成膜時の加熱によって兼ねることができる場合、行わなくてもよい場合がある。
【０２５２】
このように、金属酸化物１４３０は、絶縁膜１４０７の成膜及び第２の加熱処理によって、上下方向から酸素が供給されることが可能になる。
【０２５３】
また、Ｉｎ−Ｍ−Ｚｎ酸化物など、酸化インジウムを含む膜を絶縁膜１４０７として成膜することで、絶縁膜１４０５、絶縁膜１４０６に酸素を添加してもよい。
【０２５４】
絶縁膜１４０８には、酸化アルミニウム、窒化酸化アルミニウム、酸化マグネシウム、酸化シリコン、酸化窒化シリコン、窒化酸化シリコン、窒化シリコン、酸化ガリウム、酸化ゲルマニウム、酸化イットリウム、酸化ジルコニウム、酸化ランタン、酸化ネオジム、酸化ハフニウム、酸化タンタルなどから選ばれた一種以上含む絶縁体を用いることができる。また、絶縁膜１４０８には、ポリイミド樹脂、ポリアミド樹脂、アクリル樹脂、シロキサン樹脂、エポキシ樹脂、フェノール樹脂等の樹脂を用いることもできる。また、絶縁膜１４０８は上記材料の積層であってもよい。
【０２５５】
＜トランジスタの構成例２＞
図２３に示すトランジスタ１４００ａは、導電膜１４１４及び絶縁膜１４０２、絶縁膜１４０３を省略してもよい。その場合の例を図２６に示す。
【０２５６】
図２６（Ａ）乃至図２６（Ｃ）は、トランジスタ１４００ｂの上面図及び断面図である。図２６（Ａ）は上面図である。図２６（Ｂ）は、図２６（Ａ）に示す一点鎖線Ａ１−Ａ２に対応する断面図であり、図２６（Ｃ）は、図２６（Ａ）に示す一点鎖線Ａ３−Ａ４に対応する断面図である。なお、図２６（Ａ）の上面図では、図の明瞭化のために一部の要素を省いて図示している。なお、一点鎖線Ａ１−Ａ２をトランジスタ１４００ｂのチャネル長方向、一点鎖線Ａ３−Ａ４をトランジスタ１４００ｂのチャネル幅方向と呼ぶ場合がある。
【０２５７】
＜トランジスタの構成例３＞
図２３に示すトランジスタ１４００ａにおいて、導電膜１４２１、導電膜１４２３は、ゲート電極（導電膜１４１１乃至導電膜１４１３）と重なる部分の膜厚を薄くしてもよい。その場合の例を図２７に示す。
【０２５８】
図２７（Ａ）乃至図２７（Ｃ）は、トランジスタ１４００ｃの上面図及び断面図である。図２７（Ａ）は上面図である。図２７（Ｂ）は、図２７（Ａ）に示す一点鎖線Ａ１−Ａ２に対応する断面図であり、図２７（Ｃ）は、図２７（Ａ）に示す一点鎖線Ａ３−Ａ４に対応する断面図である。なお、図２７（Ａ）の上面図では、図の明瞭化のために一部の要素を省いて図示している。なお、一点鎖線Ａ１−Ａ２をトランジスタ１４００ｃのチャネル長方向、一点鎖線Ａ３−Ａ４をトランジスタ１４００ｃのチャネル幅方向と呼ぶ場合がある。
【０２５９】
図２７（Ｂ）のトランジスタ１４００ｃにおいて、ゲート電極と重なる部分の導電膜１４２１が薄膜化され、その上を導電膜１４２２が覆っている。同様に、ゲート電極と重なる部分の導電膜１４２３が薄膜化され、その上を導電膜１４２４が覆っている。
【０２６０】
トランジスタ１４００ｃは、図２７（Ｂ）に示すような構成にすることで、ゲート電極とソース電極との間の距離、又は、ゲート電極とドレイン電極との間の距離を長くすることが可能になり、ゲート電極とソース電極及びドレイン電極との間に形成される寄生容量を低減することが可能になる。その結果、高速動作が可能なトランジスタを得ることが可能になる。
【０２６１】
＜トランジスタの構成例４＞
図２７に示すトランジスタ１４００ｃにおいて、Ａ３−Ａ４方向に、金属酸化物１４３１、１４３２の幅を広げてもよい。その場合の例を図２８に示す。
【０２６２】
図２８（Ａ）乃至図２８（Ｃ）は、トランジスタ１４００ｄの上面図及び断面図である。図２８（Ａ）は上面図である。図２８（Ｂ）は、図２８（Ａ）に示す一点鎖線Ａ１−Ａ２に対応する断面図であり、図２８（Ｃ）は、図２８（Ａ）に示す一点鎖線Ａ３−Ａ４に対応する断面図である。なお、図２８（Ａ）の上面図では、図の明瞭化のために一部の要素を省いて図示している。なお、一点鎖線Ａ１−Ａ２をトランジスタ１４００ｄのチャネル長方向、一点鎖線Ａ３−Ａ４をトランジスタ１４００ｄのチャネル幅方向と呼ぶ場合がある。
【０２６３】
トランジスタ１４００ｄは、図２８に示す構成にすることで、オン電流を増大させることが可能になる。
【０２６４】
＜トランジスタの構成例５＞
図２７に示すトランジスタ１４００ｃにおいて、Ａ３−Ａ４方向に、金属酸化物１４３１、金属酸化物１４３２から成る領域（以下、フィンと呼ぶ）を複数設けてもよい。その場合の例を図２９に示す。
【０２６５】
図２９（Ａ）乃至図２９（Ｃ）は、トランジスタ１４００ｅの上面図及び断面図である。図２９（Ａ）は上面図である。図２９（Ｂ）は、図２９（Ａ）に示す一点鎖線Ａ１−Ａ２に対応する断面図であり、図２９（Ｃ）は、図２９（Ａ）に示す一点鎖線Ａ３−Ａ４に対応する断面図である。なお、図２９（Ａ）の上面図では、図の明瞭化のために一部の要素を省いて図示している。なお、一点鎖線Ａ１−Ａ２をトランジスタ１４００ｅのチャネル長方向、一点鎖線Ａ３−Ａ４をトランジスタ１４００ｅのチャネル幅方向と呼ぶ場合がある。
【０２６６】
トランジスタ１４００ｅは、金属酸化物１４３１ａ、金属酸化物１４３２ａから成る第１のフィンと、金属酸化物１４３１ｂ、金属酸化物１４３２ｂから成る第２のフィンと、金属酸化物１４３１ｃ、金属酸化物１４３２ｃから成る第３のフィンと、を有している。
【０２６７】
トランジスタ１４００ｅは、チャネルが形成される金属酸化物１４３２ａ乃至金属酸化物１４３２ｃを、ゲート電極が取り囲むことで、チャネル全体にゲート電界を印加することが可能になり、オン電流が高いトランジスタを得ることが可能になる。
【０２６８】
＜トランジスタの構成例６＞
図３０（Ａ）乃至図３０（Ｄ）は、トランジスタ１４００ｆの上面図及び断面図である。図３０（Ａ）は、トランジスタ１４００ｆの上面図であり、図３０（Ｂ）は図３０（Ａ）に示す一点鎖線Ａ１−Ａ２に対応する断面図であり、図３０（Ｃ）は一点鎖線Ａ３−Ａ４に対応する断面図である。なお、一点鎖線Ａ１−Ａ２をチャネル長方向、一点鎖線Ａ３−Ａ４をチャネル幅方向という場合がある。トランジスタ１４００ｆもトランジスタ１４００ａ等と同様に、ｓ−ｃｈａｎｎｅｌ構造のトランジスタである。トランジスタ１４００ｆでは、ゲート電極を構成する導電膜１４１２の側面に接して、絶縁膜１４０９が設けられている。絶縁膜１４０９及び導電膜１４１２は、絶縁膜１４０７及び絶縁膜１４０８に覆われている。絶縁膜１４０９はトランジスタ１４００ｆのサイドウォール絶縁膜として機能する。トランジスタ１４００ａと同様に、ゲート電極を導電膜１４１１乃至導電膜１４１３の積層としてもよい。
【０２６９】
絶縁膜１４０６及び導電膜１４１２は、少なくとも一部が導電膜１４１４及び金属酸化物１４３２と重なる。導電膜１４１２のチャネル長方向の側面端部と絶縁膜１４０６のチャネル長方向の側面端部は概略一致していることが好ましい。ここで、絶縁膜１４０６はトランジスタ１４００ｆのゲート絶縁膜として機能し、導電膜１４１２はトランジスタ１４００ｆのゲート電極として機能する。
【０２７０】
金属酸化物１４３２は、金属酸化物１４３３及び絶縁膜１４０６を介して導電膜１４１２と重なる領域を有する。金属酸化物１４３１の外周が金属酸化物１４３２の外周と概略一致し、金属酸化物１４３３の外周が金属酸化物１４３１及び金属酸化物１４３２の外周よりも外側に位置することが好ましい。ここでは、金属酸化物１４３３の外周が金属酸化物１４３１の外周よりも外側に位置する形状となっているが、本実施の形態に示すトランジスタはこれに限られるものではない。例えば、金属酸化物１４３１の外周が金属酸化物１４３３の外周より外側に位置してもよいし、金属酸化物１４３１の側面端部と、金属酸化物１４３３の側面端部とが概略一致する形状としてもよい。
【０２７１】
図３０（Ｄ）に図３０（Ｂ）の部分拡大図を示す。図３０（Ｄ）に示すように、金属酸化物１４３０には、領域１４６１ａ、１４６１ｂ、１４６１ｃ、１４６１ｄ及び１４６１ｅが形成されている。領域１４６１ｂ乃至領域１４６１ｅは、領域１４６１ａと比較してドーパントの濃度が高く、低抵抗化されている。さらに、領域１４６１ｂ及び領域１４６１ｃは、領域１４６１ｄ及び領域１４６１ｅと比較して水素の濃度が高く、より低抵抗化されている。例えば、領域１４６１ａは、領域１４６１ｂ又は領域１４６１ｃのドーパントの最大濃度に対して、５％以下の濃度の領域、２％以下の濃度の領域、又は１％以下の濃度の領域とすればよい。なお、ドーパントを、ドナー、アクセプター、不純物又は元素と言い換えてもよい。
【０２７２】
図３０（Ｄ）に示すように、金属酸化物１４３０において、領域１４６１ａは導電膜１４１２と概ね重なる領域であり、領域１４６１ｂ、領域１４６１ｃ、領域１４６１ｄ及び領域１４６１ｅは、領域１４６１ａを除いた領域である。領域１４６１ｂ及び領域１４６１ｃにおいては、金属酸化物１４３３の上面が絶縁膜１４０７と接する。領域１４６１ｄ及び領域１４６１ｅにおいては、金属酸化物１４３３の上面が絶縁膜１４０９又は絶縁膜１４０６と接する。つまり、図３０（Ｄ）に示すように、領域１４６１ｂと領域１４６１ｄの境界は、絶縁膜１４０７と絶縁膜１４０９の側面端部の境界と重なる部分である。領域１４６１ｃと領域１４６１ｅの境界についても同様である。ここで、領域１４６１ｄ及び領域１４６１ｅの一部が、金属酸化物１４３２の導電膜１４１２と重なる領域（チャネル形成領域）の一部と重なることが好ましい。例えば、領域１４６１ｄ及び領域１４６１ｅのチャネル長方向の側面端部は、導電膜１４１２の側面端部より距離ｄだけ導電膜１４１２の内側に位置することが好ましい。このとき、絶縁膜１４０６の膜厚ｔ４０６及び距離ｄは、０．２５ｔ４０６＜ｄ＜ｔ４０６を満たすことが好ましい。
【０２７３】
このように、金属酸化物１４３０の導電膜１４１２と重なる領域の一部に領域１４６１ｄ及び領域１４６１ｅが形成される。これにより、トランジスタ１４００ｆのチャネル形成領域と低抵抗化された領域１４６１ｄ及び領域１４６１ｅが接し、領域１４６１ｄ及び領域１４６１ｅと、領域１４６１ａとの間に、高抵抗のオフセット領域が形成されないため、トランジスタ１４００ｆのオン電流を増大させることができる。さらに、領域１４６１ｄ及び領域１４６１ｅのチャネル長方向の側面端部が上記の範囲を満たして形成されることで、領域１４６１ｄ及び領域１４６１ｅがチャネル形成領域に対して深く形成されすぎて常に導通状態になってしまうことも防ぐことができる。
【０２７４】
領域１４６１ｂ、領域１４６１ｃ、領域１４６１ｄ及び領域１４６１ｅは、イオン注入法などのイオンドーピング処理により形成される。このため、図３０（Ｄ）に示すように、領域１４６１ｄと領域１４６１ａの境界は、金属酸化物１４３３の上面から金属酸化物１４３１の下面方向に深くなるにしたがって、領域１４６１ｄと領域１４６１ｂの境界に近づく場合がある。このときの距離ｄは、一点鎖線Ａ１−Ａ２方向において導電膜１４１２の最も内側に近い、領域１４６１ｄと領域１４６１ａの境界と、導電膜１４１２の一点鎖線Ａ１−Ａ２方向におけるＡ１側の側面端部との距離とする。同様に、領域１４６１ｅと領域１４６１ａの境界が、金属酸化物１４３３上面から金属酸化物１４３１の下面方向に深くなるにしたがって、領域１４６１ｅと領域１４６１ｃの境界に近づく場合がある。このときの距離ｄは、一点鎖線Ａ１−Ａ２方向において導電膜１４１２の最も内側に近い、領域１４６１ｅと領域１４６１ａの境界と、導電膜１４１２の一点鎖線Ａ１−Ａ２方向におけるＡ２側の側面端部との距離とする。
【０２７５】
この場合、例えば、金属酸化物１４３１中に形成される領域１４６１ｄ及び領域１４６１ｅが導電膜１４１２と重なる領域に形成されない場合がある。この場合、金属酸化物１４３１又は金属酸化物１４３２に形成される領域１４６１ｄ及び領域１４６１ｅの少なくとも一部が導電膜１４１２と重なる領域に形成されることが好ましい。
【０２７６】
また、金属酸化物１４３１、金属酸化物１４３２及び金属酸化物１４３３の絶縁膜１４０７との界面近傍に低抵抗領域１４５１及び低抵抗領域１４５２が形成されることが好ましい。低抵抗領域１４５１及び低抵抗領域１４５２は、絶縁膜１４０７に含まれる元素の少なくとも一が含まれる。低抵抗領域１４５１及び低抵抗領域１４５２の一部が、金属酸化物１４３２の導電膜１４１２と重なる領域（チャネル形成領域）と概略接するか、当該領域の一部と重なることが好ましい。
【０２７７】
また、金属酸化物１４３３は絶縁膜１４０７と接する領域が大きいため、低抵抗領域１４５１及び低抵抗領域１４５２は金属酸化物１４３３に形成されやすい。金属酸化物１４３３における低抵抗領域１４５１と低抵抗領域１４５２は、金属酸化物１４３３の低抵抗領域１４５１及び低抵抗領域１４５２ではない領域（例えば、金属酸化物１４３３の導電膜１４１２と重なる領域）より、絶縁膜１４０７に含まれる元素の濃度が高い。
【０２７８】
領域１４６１ｂ中に低抵抗領域１４５１が形成され、領域１４６１ｃ中に低抵抗領域１４５２が形成される。金属酸化物１４３０の理想的な構造は、例えば、添加元素の濃度が最も高い領域が低抵抗領域１４５１、１４５２であり、次に濃度が高い領域が、領域１４６１ｂ、領域１４６１ｃの低抵抗領域１４５１、１４５２を含まない領域であり、濃度が最も低い領域が領域１４６１ａであることである。添加元素とは、領域１４６１ｂ、１４６１ｃを形成するためのドーパント、及び低抵抗領域１４５１、１４５２に絶縁膜１４０７から添加される元素が該当する。
【０２７９】
なおトランジスタ１４００ｆでは低抵抗領域１４５１、１４５２が形成される構成としているが、本実施の形態に示す半導体装置は、必ずしもこれに限られるものではない。例えば、領域１４６１ｂ及び領域１４６１ｃの抵抗が十分低い場合、低抵抗領域１４５１及び低抵抗領域１４５２を形成する必要はない。
【０２８０】
＜トランジスタの構成例７＞
図３１（Ａ）及び図３１（Ｂ）は、トランジスタ１６８０の上面図及び断面図である。図３１（Ａ）は上面図であり、図３１（Ａ）に示す一点鎖線Ａ−Ｂ方向の断面が図３１（Ｂ）に相当する。なお、図３１（Ａ）及び図３１（Ｂ）では、図の明瞭化のために一部の要素を拡大、縮小、又は省略して図示している。また、一点鎖線Ａ−Ｂ方向をチャネル長方向と呼称する場合がある。
【０２８１】
図３１（Ｂ）に示すトランジスタ１６８０は、第１のゲートとして機能する導電膜１６８９と、第２のゲートとして機能する導電膜１６８８と、半導体１６８２と、ソース及びドレインとして機能する導電膜１６８３及び導電膜１６８４と、絶縁膜１６８１と、絶縁膜１６８５と、絶縁膜１６８６と、絶縁膜１６８７と、を有する。
【０２８２】
導電膜１６８９は、絶縁表面上に設けられる。導電膜１６８９と、半導体１６８２とは、絶縁膜１６８１を間に挟んで、互いに重なる。また、導電膜１６８８と、半導体１６８２とは、絶縁膜１６８５、絶縁膜１６８６及び絶縁膜１６８７を間に挟んで、互いに重なる。また、導電膜１６８３及び導電膜１６８４は、半導体１６８２に、接続されている。
【０２８３】
導電膜１６８９及び導電膜１６８８の詳細は、図２３に示す導電膜１４１１乃至導電膜１４１４の記載を参照すればよい。
【０２８４】
導電膜１６８９と導電膜１６８８は、異なる電位が与えられてもよいし、同時に同じ電位が与えられてもよい。トランジスタ１６８０は、第２のゲート電極として機能する導電膜１６８８を設けることで、しきい値電圧を安定化させることが可能になる。なお、導電膜１６８８は、場合によっては省略してもよい。
【０２８５】
半導体１６８２の詳細は、図２３に示す金属酸化物１４３２の記載を参照すればよい。また、半導体１６８２は、一層でも良いし、複数の半導体層の積層でも良い。
【０２８６】
導電膜１６８３及び導電膜１６８４の詳細は、図２３に示す導電膜１４２１乃至１４２４の記載を参照すればよい。
【０２８７】
絶縁膜１６８１の詳細は、図２３に示す絶縁膜１４０６の記載を参照すればよい。
【０２８８】
なお、図３１（Ｂ）では、半導体１６８２、導電膜１６８３及び導電膜１６８４上に、順に積層された絶縁膜１６８５乃至絶縁膜１６８７が設けられている場合を例示しているが、半導体１６８２、導電膜１６８３及び導電膜１６８４上に設けられる絶縁膜は、一層でも良いし、複数の絶縁膜の積層でも良い。
【０２８９】
半導体１６８２に酸化物半導体を用いた場合、絶縁膜１６８６は、化学量論的組成以上の酸素が含まれており、加熱により上記酸素の一部を半導体１６８２に供給する機能を有する絶縁膜であることが望ましい。ただし、絶縁膜１６８６を半導体１６８２上に直接設けると、絶縁膜１６８６の形成時に半導体１６８２にダメージが与えられる場合、図３１（Ｂ）に示すように、絶縁膜１６８５を半導体１６８２と絶縁膜１６８６の間に設けると良い。絶縁膜１６８５は、その形成時に半導体１６８２に与えるダメージが絶縁膜１６８６の場合よりも小さく、なおかつ、酸素を透過する機能を有する絶縁膜であることが望ましい。ただし、半導体１６８２に与えられるダメージを小さく抑えつつ、半導体１６８２上に絶縁膜１６８６を直接形成することができるのであれば、絶縁膜１６８５は必ずしも設けなくとも良い。
【０２９０】
例えば、絶縁膜１６８５及び絶縁膜１６８６として、酸化シリコン又は酸化窒化シリコンを含む材料を用いることが好ましい。又は、酸化アルミニウム、酸化窒化アルミニウム、酸化ガリウム、酸化窒化ガリウム、酸化イットリウム、酸化窒化イットリウム、酸化ハフニウム、酸化窒化ハフニウム等の金属酸化物を用いることもできる。
【０２９１】
絶縁膜１６８７は、酸素、水素、水の拡散を防ぐブロッキング効果を有することが、望ましい。或いは、絶縁膜１６８７は、水素、水の拡散を防ぐブロッキング効果を有することが、望ましい。
【０２９２】
絶縁膜は、密度が高くて緻密である程、また未結合手が少なく化学的に安定である程、より高いブロッキング効果を示す。酸素、水素、水の拡散を防ぐブロッキング効果を示す絶縁膜は、例えば、酸化アルミニウム、酸化窒化アルミニウム、酸化ガリウム、酸化窒化ガリウム、酸化イットリウム、酸化窒化イットリウム、酸化ハフニウム、酸化窒化ハフニウム等を用いて、形成することができる。水素、水の拡散を防ぐブロッキング効果を示す絶縁膜は、例えば、窒化シリコン、窒化酸化シリコン等を用いることができる。
【０２９３】
絶縁膜１６８７が水、水素などの拡散を防ぐブロッキング効果を有する場合、パネル内の樹脂や、パネルの外部に存在する水、水素などの不純物が、半導体１６８２に侵入するのを防ぐことができる。半導体１６８２に酸化物半導体を用いる場合、酸化物半導体に侵入した水又は水素の一部は電子供与体（ドナー）となるため、上記ブロッキング効果を有する絶縁膜１６８７を用いることで、トランジスタ１６８０の閾値電圧がドナーの生成によりシフトするのを防ぐことができる。
【０２９４】
また、半導体１６８２に酸化物半導体を用いる場合、絶縁膜１６８７が酸素の拡散を防ぐブロッキング効果を有することで、酸化物半導体からの酸素が外部に拡散するのを防ぐことができる。よって、酸化物半導体中において、ドナーとなる酸素欠損が低減されるので、トランジスタ１６８０の閾値電圧がドナーの生成によりシフトするのを防ぐことができる。
【０２９５】
なお、本実施の形態は、本明細書で示す他の実施の形態と適宜組み合わせることができる。
【０２９６】
（実施の形態６）
本実施の形態では、上記実施の形態で説明したＯＳトランジスタに適用可能な酸化物半導体膜の構造について説明する。
【０２９７】
＜酸化物半導体の構造＞
酸化物半導体は、単結晶酸化物半導体と、それ以外の非単結晶酸化物半導体と、に分けられる。非単結晶酸化物半導体としては、ＣＡＡＣ−ＯＳ（ｃ−ａｘｉｓ−ａｌｉｇｎｅｄ  ｃｒｙｓｔａｌ  ｏｘｉｄｅ  ｓｅｍｉｃｏｎｄｕｃｔｏｒ）、多結晶酸化物半導体、ｎｃ−ＯＳ（ｎａｎｏｃｒｙｓｔａｌｌｉｎｅ  ｏｘｉｄｅ  ｓｅｍｉｃｏｎｄｕｃｔｏｒ）、擬似非晶質酸化物半導体（ａ−ｌｉｋｅ  ＯＳ：ａｍｏｒｐｈｏｕｓ−ｌｉｋｅ  ｏｘｉｄｅ  ｓｅｍｉｃｏｎｄｕｃｔｏｒ）及び非晶質酸化物半導体などがある。
【０２９８】
また別の観点では、酸化物半導体は、非晶質酸化物半導体と、それ以外の結晶性酸化物半導体と、に分けられる。結晶性酸化物半導体としては、単結晶酸化物半導体、ＣＡＡＣ−ＯＳ、多結晶酸化物半導体及びｎｃ−ＯＳなどがある。
【０２９９】
非晶質構造は、一般に、等方的であって不均質構造を持たない、準安定状態で原子の配置が固定化していない、結合角度が柔軟である、短距離秩序は有するが長距離秩序を有さない、などといわれている。
【０３００】
即ち、安定な酸化物半導体を完全な非晶質（ｃｏｍｐｌｅｔｅｌｙ  ａｍｏｒｐｈｏｕｓ）酸化物半導体とは呼べない。また、等方的でない（例えば、微小な領域において周期構造を有する）酸化物半導体を、完全な非晶質酸化物半導体とは呼べない。一方、ａ−ｌｉｋｅ  ＯＳは、等方的でないが、鬆（ボイドともいう。）を有する不安定な構造である。不安定であるという点では、ａ−ｌｉｋｅ  ＯＳは、物性的に非晶質酸化物半導体に近い。
【０３０１】
＜ＣＡＡＣ−ＯＳ＞
まずは、ＣＡＡＣ−ＯＳについて説明する。
【０３０２】
ＣＡＡＣ−ＯＳは、ｃ軸配向した複数の結晶部（ペレットともいう。）を有する酸化物半導体の一種である。
【０３０３】
ＣＡＡＣ−ＯＳをＸ線回折（ＸＲＤ：Ｘ−Ｒａｙ  Ｄｉｆｆｒａｃｔｉｏｎ）によって解析した場合について説明する。例えば、空間群Ｒ−３ｍに分類されるＩｎＧａＺｎＯ４の結晶を有するＣＡＡＣ−ＯＳに対し、ｏｕｔ−ｏｆ−ｐｌａｎｅ法による構造解析を行うと、図３２（Ａ）に示すように回折角（２θ）が３１°近傍にピークが現れる。このピークは、ＩｎＧａＺｎＯ４の結晶の（００９）面に帰属されることから、ＣＡＡＣ−ＯＳでは、結晶がｃ軸配向性を有し、ｃ軸がＣＡＡＣ−ＯＳの膜を形成する面（被形成面ともいう。）、又は上面に略垂直な方向を向いていることが確認できる。なお、２θが３１°近傍のピークの他に、２θが３６°近傍にもピークが現れる場合がある。２θが３６°近傍のピークは、空間群Ｆｄ−３ｍに分類される結晶構造に起因する。そのため、ＣＡＡＣ−ＯＳは、該ピークを示さないことが好ましい。
【０３０４】
一方、ＣＡＡＣ−ＯＳに対し、被形成面に平行な方向からＸ線を入射させるｉｎ−ｐｌａｎｅ法による構造解析を行うと、２θが５６°近傍にピークが現れる。このピークは、ＩｎＧａＺｎＯ４の結晶の（１１０）面に帰属される。そして、２θを５６°近傍に固定し、試料面の法線ベクトルを軸（φ軸）として試料を回転させながら分析（φスキャン）を行っても、図３２（Ｂ）に示すように明瞭なピークは現れない。一方、単結晶ＩｎＧａＺｎＯ４に対し、２θを５６°近傍に固定してφスキャンした場合、図３２（Ｃ）に示すように（１１０）面と等価な結晶面に帰属されるピークが６本観察される。したがって、ＸＲＤを用いた構造解析から、ＣＡＡＣ−ＯＳは、ａ軸及びｂ軸の配向が不規則であることが確認できる。
【０３０５】
次に、電子回折によって解析したＣＡＡＣ−ＯＳについて説明する。例えば、ＩｎＧａＺｎＯ４の結晶を有するＣＡＡＣ−ＯＳに対し、ＣＡＡＣ−ＯＳの被形成面に平行にプローブ径が３００ｎｍの電子線を入射させると、図３２（Ｄ）に示すような回折パターン（制限視野電子回折パターンともいう。）が現れる場合がある。この回折パターンには、ＩｎＧａＺｎＯ４の結晶の（００９）面に起因するスポットが含まれる。したがって、電子回折によっても、ＣＡＡＣ−ＯＳに含まれるペレットがｃ軸配向性を有し、ｃ軸が被形成面又は上面に略垂直な方向を向いていることがわかる。一方、同じ試料に対し、試料面に垂直にプローブ径が３００ｎｍの電子線を入射させたときの回折パターンを図３２（Ｅ）に示す。図３２（Ｅ）より、リング状の回折パターンが確認される。したがって、プローブ径が３００ｎｍの電子線を用いた電子回折によっても、ＣＡＡＣ−ＯＳに含まれるペレットのａ軸及びｂ軸は配向性を有さないことがわかる。なお、図３２（Ｅ）における第１リングは、ＩｎＧａＺｎＯ４の結晶の（０１０）面及び（１００）面などに起因すると考えられる。また、図３２（Ｅ）における第２リングは（１１０）面などに起因すると考えられる。
【０３０６】
また、透過型電子顕微鏡（ＴＥＭ：Ｔｒａｎｓｍｉｓｓｉｏｎ  Ｅｌｅｃｔｒｏｎ  Ｍｉｃｒｏｓｃｏｐｅ）によって、ＣＡＡＣ−ＯＳの明視野像と回折パターンとの複合解析像（高分解能ＴＥＭ像ともいう。）を観察すると、複数のペレットを確認することができる。一方、高分解能ＴＥＭ像であってもペレット同士の境界、即ち結晶粒界（グレインバウンダリーともいう。）を明確に確認することができない場合がある。そのため、ＣＡＡＣ−ＯＳは、結晶粒界に起因する電子移動度の低下が起こりにくいといえる。
【０３０７】
図３３（Ａ）に、試料面と略平行な方向から観察したＣＡＡＣ−ＯＳの断面の高分解能ＴＥＭ像を示す。高分解能ＴＥＭ像の観察には、球面収差補正（Ｓｐｈｅｒｉｃａｌ  Ａｂｅｒｒａｔｉｏｎ  Ｃｏｒｒｅｃｔｏｒ）機能を用いた。球面収差補正機能を用いた高分解能ＴＥＭ像を、特にＣｓ補正高分解能ＴＥＭ像と呼ぶ。Ｃｓ補正高分解能ＴＥＭ像は、例えば、日本電子株式会社製原子分解能分析電子顕微鏡ＪＥＭ−ＡＲＭ２００Ｆなどによって観察することができる。
【０３０８】
図３３（Ａ）より、金属原子が層状に配列している領域であるペレットを確認することができる。ペレット一つの大きさは１ｎｍ以上のものや、３ｎｍ以上のものがあることがわかる。したがって、ペレットを、ナノ結晶（ｎｃ：ｎａｎｏｃｒｙｓｔａｌ）と呼ぶこともできる。また、ＣＡＡＣ−ＯＳを、ＣＡＮＣ（Ｃ−Ａｘｉｓ  Ａｌｉｇｎｅｄ  ｎａｎｏｃｒｙｓｔａｌｓ）を有する酸化物半導体と呼ぶこともできる。ペレットは、ＣＡＡＣ−ＯＳの被形成面又は上面の凹凸を反映しており、ＣＡＡＣ−ＯＳの被形成面又は上面と平行となる。
【０３０９】
また、図３３（Ｂ）及び図３３（Ｃ）に、試料面と略垂直な方向から観察したＣＡＡＣ−ＯＳの平面のＣｓ補正高分解能ＴＥＭ像を示す。図３３（Ｄ）及び図３３（Ｅ）は、それぞれ図３３（Ｂ）及び図３３（Ｃ）を画像処理した像である。以下では、画像処理の方法について説明する。まず、図３３（Ｂ）を高速フーリエ変換（ＦＦＴ：Ｆａｓｔ  Ｆｏｕｒｉｅｒ  Ｔｒａｎｓｆｏｒｍ）処理することでＦＦＴ像を取得する。次に、取得したＦＦＴ像において原点を基準に、２．８ｎｍ−１から５．０ｎｍ−１の間の範囲を残すマスク処理する。次に、マスク処理したＦＦＴ像を、逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）処理することで画像処理した像を取得する。こうして取得した像をＦＦＴフィルタリング像と呼ぶ。ＦＦＴフィルタリング像は、Ｃｓ補正高分解能ＴＥＭ像から周期成分を抜き出した像であり、格子配列を示している。
【０３１０】
図３３（Ｄ）では、格子配列の乱れた箇所を破線で示している。破線で囲まれた領域が、一つのペレットである。そして、破線で示した箇所がペレットとペレットとの連結部である。破線は、六角形状であるため、ペレットが六角形状であることがわかる。なお、ペレットの形状は、正六角形状とは限らず、非正六角形状である場合が多い。
【０３１１】
図３３（Ｅ）では、格子配列の揃った領域と、別の格子配列の揃った領域と、の間を点線で示し、格子配列の向きを破線で示している。点線近傍においても、明確な結晶粒界を確認することはできない。点線近傍の格子点を中心に周囲の格子点を繋ぐと、歪んだ六角形や、五角形又は／及び七角形が形成できる。即ち、格子配列を歪ませることによって結晶粒界の形成を抑制していることがわかる。これは、ＣＡＡＣ−ＯＳが、ａ−ｂ面方向において原子配列が稠密でないことや、金属元素が置換することで原子間の結合距離が変化することなどによって、歪みを許容することができるためと考えられる。
【０３１２】
以上に示すように、ＣＡＡＣ−ＯＳは、ｃ軸配向性を有し、かつａ−ｂ面方向において複数のペレット（ナノ結晶）が連結し、歪みを有した結晶構造となっている。よって、ＣＡＡＣ−ＯＳを、ＣＡＡ  ｃｒｙｓｔａｌ（ｃ−ａｘｉｓ−ａｌｉｇｎｅｄ  ａ−ｂ−ｐｌａｎｅ−ａｎｃｈｏｒｅｄ  ｃｒｙｓｔａｌ）を有する酸化物半導体と称することもできる。
【０３１３】
ＣＡＡＣ−ＯＳは結晶性の高い酸化物半導体である。酸化物半導体の結晶性は不純物の混入や欠陥の生成などによって低下する場合があるため、ＣＡＡＣ−ＯＳは不純物や欠陥（酸素欠損など）の少ない酸化物半導体ともいえる。
【０３１４】
なお、不純物は、酸化物半導体の主成分以外の元素で、水素、炭素、シリコン、遷移金属元素などがある。例えば、シリコンなどの、酸化物半導体を構成する金属元素よりも酸素との結合力の強い元素は、酸化物半導体から酸素を奪うことで酸化物半導体の原子配列を乱し、結晶性を低下させる要因となる。また、鉄やニッケルなどの重金属、アルゴン、二酸化炭素などは、原子半径（又は分子半径）が大きいため、酸化物半導体の原子配列を乱し、結晶性を低下させる要因となる。
【０３１５】
＜ｎｃ−ＯＳ＞
次に、ｎｃ−ＯＳについて説明する。
【０３１６】
ｎｃ−ＯＳをＸＲＤによって解析した場合について説明する。例えば、ｎｃ−ＯＳに対し、ｏｕｔ−ｏｆ−ｐｌａｎｅ法による構造解析を行うと、配向性を示すピークが現れない。即ち、ｎｃ−ＯＳの結晶は配向性を有さない。
【０３１７】
また、例えば、ＩｎＧａＺｎＯ４の結晶を有するｎｃ−ＯＳを薄片化し、厚さが３４ｎｍの領域に対し、被形成面に平行にプローブ径が５０ｎｍの電子線を入射させると、図３４（Ａ）に示すようなリング状の回折パターン（ナノビーム電子回折パターン）が観測される。また、同じ試料にプローブ径が１ｎｍの電子線を入射させたときの回折パターン（ナノビーム電子回折パターン）を図３４（Ｂ）に示す。図３４（Ｂ）より、リング状の領域内に複数のスポットが観測される。したがって、ｎｃ−ＯＳは、プローブ径が５０ｎｍの電子線を入射させることでは秩序性が確認されないが、プローブ径が１ｎｍの電子線を入射させることでは秩序性が確認される。
【０３１８】
また、厚さが１０ｎｍ未満の領域に対し、プローブ径が１ｎｍの電子線を入射させると、図３４（Ｃ）に示すように、スポットが略正六角状に配置された電子回折パターンを観測される場合がある。したがって、厚さが１０ｎｍ未満の範囲において、ｎｃ−ＯＳが秩序性の高い領域、即ち結晶を有することがわかる。なお、結晶が様々な方向を向いているため、規則的な電子回折パターンが観測されない領域もある。
【０３１９】
図３４（Ｄ）に、被形成面と略平行な方向から観察したｎｃ−ＯＳの断面のＣｓ補正高分解能ＴＥＭ像を示す。ｎｃ−ＯＳは、高分解能ＴＥＭ像において、補助線で示す箇所などのように結晶部を確認することのできる領域と、明確な結晶部を確認することのできない領域と、を有する。ｎｃ−ＯＳに含まれる結晶部は、１ｎｍ以上１０ｎｍ以下の大きさであり、特に１ｎｍ以上３ｎｍ以下の大きさであることが多い。なお、結晶部の大きさが１０ｎｍより大きく１００ｎｍ以下である酸化物半導体を微結晶酸化物半導体（ｍｉｃｒｏ  ｃｒｙｓｔａｌｌｉｎｅ  ｏｘｉｄｅ  ｓｅｍｉｃｏｎｄｕｃｔｏｒ）と呼ぶことがある。ｎｃ−ＯＳは、例えば、高分解能ＴＥＭ像では、結晶粒界を明確に確認できない場合がある。なお、ナノ結晶は、ＣＡＡＣ−ＯＳにおけるペレットと起源を同じくする可能性がある。そのため、以下ではｎｃ−ＯＳの結晶部をペレットと呼ぶ場合がある。
【０３２０】
このように、ｎｃ−ＯＳは、微小な領域（例えば、１ｎｍ以上１０ｎｍ以下の領域、特に１ｎｍ以上３ｎｍ以下の領域）において原子配列に周期性を有する。また、ｎｃ−ＯＳは、異なるペレット間で結晶方位に規則性が見られない。そのため、膜全体で配向性が見られない。したがって、ｎｃ−ＯＳは、分析方法によっては、ａ−ｌｉｋｅ  ＯＳや非晶質酸化物半導体と区別が付かない場合がある。
【０３２１】
なお、ペレット（ナノ結晶）間で結晶方位が規則性を有さないことから、ｎｃ−ＯＳを、ＲＡＮＣ（Ｒａｎｄｏｍ  Ａｌｉｇｎｅｄ  ｎａｎｏｃｒｙｓｔａｌｓ）を有する酸化物半導体、又はＮＡＮＣ（Ｎｏｎ−Ａｌｉｇｎｅｄ  ｎａｎｏｃｒｙｓｔａｌｓ）を有する酸化物半導体と呼ぶこともできる。
【０３２２】
ｎｃ−ＯＳは、非晶質酸化物半導体よりも規則性の高い酸化物半導体である。そのため、ｎｃ−ＯＳは、ａ−ｌｉｋｅ  ＯＳや非晶質酸化物半導体よりも欠陥準位密度が低くなる。ただし、ｎｃ−ＯＳは、異なるペレット間で結晶方位に規則性が見られない。そのため、ｎｃ−ＯＳは、ＣＡＡＣ−ＯＳと比べて欠陥準位密度が高くなる。
【０３２３】
＜ａ−ｌｉｋｅ  ＯＳ＞
ａ−ｌｉｋｅ  ＯＳは、ｎｃ−ＯＳと非晶質酸化物半導体との間の構造を有する酸化物半導体である。
【０３２４】
図３５に、ａ−ｌｉｋｅ  ＯＳの高分解能断面ＴＥＭ像を示す。ここで、図３５（Ａ）は電子照射開始時におけるａ−ｌｉｋｅ  ＯＳの高分解能断面ＴＥＭ像である。図３５（Ｂ）は４．３×１０８ｅ−／ｎｍ２の電子（ｅ−）照射後におけるａ−ｌｉｋｅ  ＯＳの高分解能断面ＴＥＭ像である。図３５（Ａ）及び図３５（Ｂ）より、ａ−ｌｉｋｅ  ＯＳは電子照射開始時から、縦方向に延伸する縞状の明領域が観察されることがわかる。また、明領域は、電子照射後に形状が変化することがわかる。なお、明領域は、鬆又は低密度領域と推測される。
【０３２５】
鬆を有するため、ａ−ｌｉｋｅ  ＯＳは、不安定な構造である。以下では、ａ−ｌｉｋｅ  ＯＳが、ＣＡＡＣ−ＯＳ及びｎｃ−ＯＳと比べて不安定な構造であることを示すため、電子照射による構造の変化を示す。
【０３２６】
試料として、ａ−ｌｉｋｅ  ＯＳ、ｎｃ−ＯＳ及びＣＡＡＣ−ＯＳを準備する。いずれの試料もＩｎ−Ｇａ−Ｚｎ酸化物である。
【０３２７】
まず、各試料の高分解能断面ＴＥＭ像を取得する。高分解能断面ＴＥＭ像により、各試料は、いずれも結晶部を有する。
【０３２８】
なお、ＩｎＧａＺｎＯ４の結晶の単位格子は、Ｉｎ−Ｏ層を３層有し、またＧａ−Ｚｎ−Ｏ層を６層有する、計９層がｃ軸方向に層状に重なった構造を有することが知られている。これらの近接する層同士の間隔は、（００９）面の格子面間隔（ｄ値ともいう。）と同程度であり、結晶構造解析からその値は０．２９ｎｍと求められている。したがって、以下では、格子縞の間隔が０．２８ｎｍ以上０．３０ｎｍ以下である箇所を、ＩｎＧａＺｎＯ４の結晶部と見なした。なお、格子縞は、ＩｎＧａＺｎＯ４の結晶のａ−ｂ面に対応する。
【０３２９】
図３６は、各試料の結晶部（２２箇所から３０箇所）の平均の大きさを調査した例である。なお、上述した格子縞の長さを結晶部の大きさとしている。図３６より、ａ−ｌｉｋｅ  ＯＳは、ＴＥＭ像の取得などに係る電子の累積照射量に応じて結晶部が大きくなっていくことがわかる。図３６より、ＴＥＭによる観察初期においては１．２ｎｍ程度の大きさだった結晶部（初期核ともいう。）が、電子（ｅ−）の累積照射量が４．２×１０８ｅ−／ｎｍ２においては１．９ｎｍ程度の大きさまで成長していることがわかる。一方、ｎｃ−ＯＳ及びＣＡＡＣ−ＯＳは、電子照射開始時から電子の累積照射量が４．２×１０８ｅ−／ｎｍ２までの範囲で、結晶部の大きさに変化が見られないことがわかる。図３６より、電子の累積照射量によらず、ｎｃ−ＯＳ及びＣＡＡＣ−ＯＳの結晶部の大きさは、それぞれ１．３ｎｍ程度及び１．８ｎｍ程度であることがわかる。なお、電子線照射及びＴＥＭの観察は、日立透過電子顕微鏡Ｈ−９０００ＮＡＲを用いた。電子線照射条件は、加速電圧を３００ｋＶ、電流密度を６．７×１０５ｅ−／（ｎｍ２・ｓ）、照射領域の直径を２３０ｎｍとした。
【０３３０】
このように、ａ−ｌｉｋｅ  ＯＳは、電子照射によって結晶部の成長が見られる場合がある。一方、ｎｃ−ＯＳ及びＣＡＡＣ−ＯＳは、電子照射による結晶部の成長がほとんど見られない。即ち、ａ−ｌｉｋｅ  ＯＳは、ｎｃ−ＯＳ及びＣＡＡＣ−ＯＳと比べて、不安定な構造であることがわかる。
【０３３１】
また、鬆を有するため、ａ−ｌｉｋｅ  ＯＳは、ｎｃ−ＯＳ及びＣＡＡＣ−ＯＳと比べて密度の低い構造である。具体的には、ａ−ｌｉｋｅ  ＯＳの密度は、同じ組成の単結晶の密度の７８．６％以上９２．３％未満である。また、ｎｃ−ＯＳの密度及びＣＡＡＣ−ＯＳの密度は、同じ組成の単結晶の密度の９２．３％以上１００％未満である。単結晶の密度の７８％未満である酸化物半導体は、成膜すること自体が困難である。
【０３３２】
例えば、Ｉｎ：Ｇａ：Ｚｎ＝１：１：１［原子数比］を満たす酸化物半導体において、菱面体晶構造を有する単結晶ＩｎＧａＺｎＯ４の密度は６．３５７ｇ／ｃｍ３である。よって、例えば、Ｉｎ：Ｇａ：Ｚｎ＝１：１：１［原子数比］を満たす酸化物半導体において、ａ−ｌｉｋｅ  ＯＳの密度は５．０ｇ／ｃｍ３以上５．９ｇ／ｃｍ３未満である。また、例えば、Ｉｎ：Ｇａ：Ｚｎ＝１：１：１［原子数比］を満たす酸化物半導体において、ｎｃ−ＯＳの密度及びＣＡＡＣ−ＯＳの密度は５．９ｇ／ｃｍ３以上６．３ｇ／ｃｍ３未満である。
【０３３３】
なお、同じ組成の単結晶が存在しない場合、任意の割合で組成の異なる単結晶を組み合わせることにより、所望の組成における単結晶に相当する密度を見積もることができる。所望の組成の単結晶に相当する密度は、組成の異なる単結晶を組み合わせる割合に対して、加重平均を用いて見積もればよい。ただし、密度は、可能な限り少ない種類の単結晶を組み合わせて見積もることが好ましい。
【０３３４】
以上のように、酸化物半導体は、様々な構造をとり、それぞれが様々な特性を有する。なお、酸化物半導体は、例えば、非晶質酸化物半導体、ａ−ｌｉｋｅ  ＯＳ、ｎｃ−ＯＳ、ＣＡＡＣ−ＯＳのうち、二種以上を有する積層膜であってもよい。
【０３３５】
＜酸化物半導体のキャリア密度＞
次に、酸化物半導体のキャリア密度について、以下に説明を行う。
【０３３６】
酸化物半導体のキャリア密度に影響を与える因子としては、酸化物半導体中の酸素欠損（ＶＯ）、または酸化物半導体中の不純物などが挙げられる。
【０３３７】
酸化物半導体中の酸素欠損が多くなると、該酸素欠損に水素が結合（この状態をＶＯＨともいう）した際に、欠陥準位密度が高くなる。または、酸化物半導体中の不純物が多くなると、該不純物に起因し欠陥準位密度が高くなる。したがって、酸化物半導体中の欠陥準位密度を制御することで、酸化物半導体のキャリア密度を制御することができる。
【０３３８】
ここで、酸化物半導体をチャネル領域に用いるトランジスタを考える。
【０３３９】
トランジスタのしきい値電圧のマイナスシフトの抑制、またはトランジスタのオフ電流の低減を目的とする場合においては、酸化物半導体のキャリア密度を低くする方が好ましい。酸化物半導体のキャリア密度を低くする場合においては、酸化物半導体中の不純物濃度を低くし、欠陥準位密度を低くすればよい。本明細書等において、不純物濃度が低く、欠陥準位密度の低いことを高純度真性または実質的に高純度真性と言う。高純度真性の酸化物半導体のキャリア密度としては、８×１０１５ｃｍ−３未満、好ましくは１×１０１１ｃｍ−３未満、さらに好ましくは１×１０１０ｃｍ−３未満であり、１×１０−９ｃｍ−３以上とすればよい。
【０３４０】
一方で、トランジスタのオン電流の向上、またはトランジスタの電界効果移動度の向上を目的とする場合においては、酸化物半導体のキャリア密度を高くする方が好ましい。酸化物半導体のキャリア密度を高くする場合においては、酸化物半導体の不純物濃度をわずかに高める、または酸化物半導体の欠陥準位密度をわずかに高めればよい。あるいは、酸化物半導体のバンドギャップをより小さくするとよい。例えば、トランジスタのＩｄ−Ｖｇ特性のオン／オフ比が取れる範囲において、不純物濃度がわずかに高い、または欠陥準位密度がわずかに高い酸化物半導体は、実質的に真性とみなせる。また、電子親和力が大きく、それにともなってバンドギャップが小さくなり、その結果、熱励起された電子（キャリア）の密度が増加した酸化物半導体は、実質的に真性とみなせる。なお、より電子親和力が大きな酸化物半導体を用いた場合には、トランジスタのしきい値電圧がより低くなる。
【０３４１】
上述のキャリア密度が高められた酸化物半導体は、わずかにｎ型化している。したがって、キャリア密度が高められた酸化物半導体を、「Ｓｌｉｇｈｔｌｙ−ｎ」と呼称してもよい。
【０３４２】
実質的に真性の酸化物半導体のキャリア密度は、１×１０５ｃｍ−３以上１×１０１８ｃｍ−３未満が好ましく、１×１０７ｃｍ−３以上１×１０１７ｃｍ−３以下がより好ましく、１×１０９ｃｍ−３以上５×１０１６ｃｍ−３以下がさらに好ましく、１×１０１０ｃｍ−３以上１×１０１６ｃｍ−３以下がさらに好ましく、１×１０１１ｃｍ−３以上１×１０１５ｃｍ−３以下がさらに好ましい。
【０３４３】
なお、本実施の形態は、本明細書で示す他の実施の形態と適宜組み合わせることができる。
【０３４４】
（本明細書等の記載に関する付記）
以上の実施の形態における各構成の説明について、以下に付記する。
【０３４５】
＜実施の形態で述べた本発明の一態様に関する付記＞
各実施の形態に示す構成は、他の実施の形態に示す構成と適宜組み合わせて、本発明の一態様とすることができる。また、１つの実施の形態の中に、複数の構成例が示される場合は、互いに構成例を適宜組み合わせることが可能である。
【０３４６】
なお、ある一つの実施の形態の中で述べる内容（一部の内容でもよい）は、その実施の形態で述べる別の内容（一部の内容でもよい）と、一つ若しくは複数の別の実施の形態で述べる内容（一部の内容でもよい）との少なくとも一つの内容に対して、適用、組み合わせ、又は置き換えなどを行うことができる。
【０３４７】
なお、実施の形態の中で述べる内容とは、各々の実施の形態において、様々な図を用いて述べる内容、又は明細書に記載される文章を用いて述べる内容のことである。
【０３４８】
なお、ある一つの実施の形態において述べる図（一部でもよい）は、その図の別の部分、その実施の形態において述べる別の図（一部でもよい）と、一つ若しくは複数の別の実施の形態において述べる図（一部でもよい）との少なくとも一つの図に対して、組み合わせることにより、さらに多くの図を構成させることができる。
【０３４９】
＜序数詞に関する付記＞
本明細書等において、「第１」、「第２」、「第３」という序数詞は、構成要素の混同を避けるために付したものである。従って、構成要素の数を限定するものではない。また、構成要素の順序を限定するものではない。また例えば、本明細書等の実施の形態の一において「第１」に言及された構成要素が、他の実施の形態、あるいは特許請求の範囲において「第２」に言及された構成要素とすることもありうる。また例えば、本明細書等の実施の形態の一において「第１」に言及された構成要素を、他の実施の形態、あるいは特許請求の範囲において省略することもありうる。
【０３５０】
＜図面を説明する記載に関する付記＞
実施の形態について図面を参照しながら説明している。但し、実施の形態は多くの異なる態様で実施することが可能であり、趣旨及びその範囲から逸脱することなく、その形態及び詳細を様々に変更し得ることは当業者であれば容易に理解される。従って、本発明は、実施の形態の記載内容に限定して解釈されるものではない。なお、以上に説明する発明の構成において、同一部分又は同様な機能を有する部分には同一の符号を異なる図面間で共通して用い、その繰り返しの説明は省略する。
【０３５１】
また、本明細書等において、「上に」、「下に」などの配置を示す語句は、構成同士の位置関係を、図面を参照して説明するために、便宜上用いている。構成同士の位置関係は、各構成を描写する方向に応じて適宜変化する。そのため、配置を示す語句は、明細書で説明した記載に限定されず、状況に応じて適切に言い換えることができる。
【０３５２】
また、「上」や「下」の用語は、構成要素の位置関係が直上又は直下で、かつ、直接接していることを限定するものではない。例えば、「絶縁層Ａ上の電極Ｂ」の表現であれば、絶縁層Ａの上に電極Ｂが直接接して形成されている必要はなく、絶縁層Ａと電極Ｂとの間に他の構成要素を含むものを除外しない。
【０３５３】
また本明細書等において、ブロック図では、構成要素を機能毎に分類し、互いに独立したブロックとして示している。しかしながら実際の回路等においては、構成要素を機能毎に切り分けることが難しく、一つの回路に複数の機能が係わる場合や、複数の回路にわたって一つの機能が関わる場合があり得る。そのため、ブロック図のブロックは、明細書で説明した構成要素に限定されず、状況に応じて適切に言い換えることができる。
【０３５４】
また、図面において、大きさ、層の厚さ、又は領域は、説明の便宜上任意の大きさに示したものである。よって、必ずしもそのスケールに限定されない。なお図面は明確性を期すために模式的に示したものであり、図面に示す形状又は値などに限定されない。例えば、ノイズによる信号、電圧、若しくは電流のばらつき、又は、タイミングのずれによる信号、電圧、若しくは電流のばらつきなどを含むことが可能である。
【０３５５】
また、図面において、上面図（平面図、レイアウト図ともいう）や斜視図などにおいて、図面の明確性を期すために、一部の構成要素の記載を省略している場合がある。
【０３５６】
また、図面において、同一の要素又は同様な機能を有する要素、同一の材質の要素、あるいは同時に形成される要素等には同一の符号を付す場合があり、その繰り返しの説明は省略する場合がある。
【０３５７】
＜言い換え可能な記載に関する付記＞
本明細書等において、トランジスタの接続関係を説明する際、ソースとドレインとの一方を、「ソース又はドレインの一方」（又は第１電極、又は第１端子）と表記し、ソースとドレインとの他方を「ソース又はドレインの他方」（又は第２電極、又は第２端子）と表記している。これは、トランジスタのソースとドレインは、トランジスタの構造又は動作条件等によって変わるためである。なおトランジスタのソースとドレインの呼称については、ソース（ドレイン）端子や、ソース（ドレイン）電極等、状況に応じて適切に言い換えることができる。
【０３５８】
また、本明細書等において「電極」や「配線」の用語は、これらの構成要素を機能的に限定するものではない。例えば、「電極」は「配線」の一部として用いられることがあり、その逆もまた同様である。さらに、「電極」や「配線」の用語は、複数の「電極」や「配線」が一体となって形成されている場合なども含む。
【０３５９】
また、本明細書等において、電圧と電位は、適宜言い換えることができる。電圧は、基準となる電位からの電位差のことであり、例えば基準となる電位をグラウンド電位（接地電位）とすると、電圧を電位に言い換えることができる。グラウンド電位は必ずしも０Ｖを意味するとは限らない。なお電位は相対的なものであり、基準となる電位によっては、配線等に与える電位を変化させる場合がある。
【０３６０】
なお本明細書等において、「膜」、「層」などの語句は、場合によっては、又は、状況に応じて、互いに入れ替えることが可能である。例えば、「導電層」という用語を、「導電膜」という用語に変更することが可能な場合がある。又は、例えば、「絶縁膜」という用語を、「絶縁層」という用語に変更することが可能な場合がある。又は、場合によっては、又は、状況に応じて、「膜」、「層」などの語句を使わずに、別の用語に入れ替えることが可能である。例えば、「導電層」又は「導電膜」という用語を、「導電体」という用語に変更することが可能な場合がある。又は、例えば、「絶縁層」「絶縁膜」という用語を、「絶縁体」という用語に変更することが可能な場合がある。
【０３６１】
なお本明細書等において、「配線」、「信号線」、「電源線」などの用語は、場合によっては、又は、状況に応じて、互いに入れ替えることが可能である。例えば、「配線」という用語を、「信号線」という用語に変更することが可能な場合がある。また、例えば、「配線」という用語を、「電源線」などの用語に変更することが可能な場合がある。また、その逆も同様で、「信号線」「電源線」などの用語を、「配線」という用語に変更することが可能な場合がある。「電源線」などの用語は、「信号線」などの用語に変更することが可能な場合がある。また、その逆も同様で「信号線」などの用語は、「電源線」などの用語に変更することが可能な場合がある。
【０３６２】
＜語句の定義に関する付記＞
以下では、上記実施の形態中で言及した語句の定義について説明する。
【０３６３】
＜＜半導体について＞＞
本明細書において、「半導体」と表記した場合でも、例えば、導電性が十分低い場合は「絶縁体」としての特性を有する場合がある。また、「半導体」と「絶縁体」は境界が曖昧であり、厳密に区別できない場合がある。したがって、本明細書に記載の「半導体」は、「絶縁体」と言い換えることができる場合がある。同様に、本明細書に記載の「絶縁体」は、「半導体」と言い換えることができる場合がある。
【０３６４】
また、「半導体」と表記した場合でも、例えば、導電性が十分高い場合は「導電体」としての特性を有する場合がある。また、「半導体」と「導電体」は境界が曖昧であり、厳密に区別できない場合がある。したがって、本明細書に記載の「半導体」は、「導電体」と言い換えることができる場合がある。同様に、本明細書に記載の「導電体」は、「半導体」と言い換えることができる場合がある。
【０３６５】
なお、半導体の不純物とは、例えば、半導体層を構成する主成分以外をいう。例えば、濃度が０．１原子％未満の元素は不純物である。不純物が含まれることにより、例えば、半導体にＤＯＳ（Ｄｅｎｓｉｔｙ  ｏｆ  Ｓｔａｔｅ）が形成されることや、キャリア移動度が低下することや、結晶性が低下することなどが起こる場合がある。半導体が酸化物半導体である場合、半導体の特性を変化させる不純物としては、例えば、第１族元素、第２族元素、第１３族元素、第１４族元素、第１５族元素、主成分以外の遷移金属などがあり、特に、例えば、水素（水にも含まれる）、リチウム、ナトリウム、シリコン、ホウ素、リン、炭素、窒素などがある。酸化物半導体の場合、例えば水素などの不純物の混入によって酸素欠損を形成する場合がある。また、半導体がシリコン層である場合、半導体の特性を変化させる不純物としては、例えば、酸素、水素を除く第１族元素、第２族元素、第１３族元素、第１５族元素などがある。
【０３６６】
＜＜トランジスタについて＞＞
本明細書において、トランジスタとは、ゲートと、ドレインと、ソースとを含む少なくとも三つの端子を有する素子である。そして、ドレイン（ドレイン端子、ドレイン領域又はドレイン電極）とソース（ソース端子、ソース領域又はソース電極）の間にチャネル形成領域を有しており、ドレインとチャネル形成領域とソースとを介して電流を流すことができるものである。なお、本明細書等において、チャネル形成領域とは、電流が主として流れる領域をいう。
【０３６７】
また、ソースやドレインの機能は、異なる極性のトランジスタを採用する場合や、回路動作において電流の方向が変化する場合などには入れ替わることがある。このため、本明細書等においては、ソースやドレインの用語は、入れ替えて用いることができるものとする。
【０３６８】
＜＜スイッチについて＞＞
本明細書等において、スイッチとは、導通状態（オン状態）、又は、非導通状態（オフ状態）になり、電流を流すか流さないかを制御する機能を有するものをいう。又は、スイッチとは、電流を流す経路を選択して切り替える機能を有するものをいう。
【０３６９】
一例としては、電気的スイッチ又は機械的なスイッチなどを用いることができる。つまり、スイッチは、電流を制御できるものであればよく、特定のものに限定されない。
【０３７０】
電気的なスイッチの一例としては、トランジスタ（例えば、バイポーラトランジスタ、ＭＯＳトランジスタなど）、ダイオード（例えば、ＰＮダイオード、ＰＩＮダイオード、ショットキーダイオード、ＭＩＭ（Ｍｅｔａｌ  Ｉｎｓｕｌａｔｏｒ  Ｍｅｔａｌ）ダイオード、ＭＩＳ（Ｍｅｔａｌ  Ｉｎｓｕｌａｔｏｒ  Ｓｅｍｉｃｏｎｄｕｃｔｏｒ）ダイオード、ダイオード接続のトランジスタなど）、又はこれらを組み合わせた論理回路などがある。
【０３７１】
なお、スイッチとしてトランジスタを用いる場合、トランジスタの「導通状態」とは、トランジスタのソース電極とドレイン電極が電気的に短絡されているとみなせる状態をいう。また、トランジスタの「非導通状態」とは、トランジスタのソース電極とドレイン電極が電気的に遮断されているとみなせる状態をいう。なおトランジスタを単なるスイッチとして動作させる場合には、トランジスタの極性（導電型）は特に限定されない。
【０３７２】
機械的なスイッチの一例としては、デジタルマイクロミラーデバイス（ＤＭＤ）のように、ＭＥＭＳ（マイクロ・エレクトロ・メカニカル・システム）技術を用いたスイッチがある。そのスイッチは、機械的に動かすことが可能な電極を有し、その電極が動くことによって、導通と非導通とを制御して動作する。
【０３７３】
＜＜チャネル長について＞＞
本明細書等において、チャネル長とは、例えば、トランジスタの上面図において、半導体（又はトランジスタがオン状態のときに半導体の中で電流の流れる部分）とゲート電極とが重なる領域、又はチャネルが形成される領域における、ソース（ソース領域又はソース電極）とドレイン（ドレイン領域又はドレイン電極）との間の距離をいう。
【０３７４】
なお、一つのトランジスタにおいて、チャネル長が全ての領域で同じ値をとるとは限らない。即ち、一つのトランジスタのチャネル長は、一つの値に定まらない場合がある。そのため、本明細書では、チャネル長は、チャネルの形成される領域における、いずれか一の値、最大値、最小値又は平均値とする。
【０３７５】
＜＜チャネル幅について＞＞
本明細書等において、チャネル幅とは、例えば、上面図において半導体（又はトランジスタがオン状態のときに半導体の中で電流の流れる部分）とゲート電極とが重なる領域、又はチャネルが形成される領域における、ソースとドレインとが向かい合っている部分の長さをいう。
【０３７６】
なお、一つのトランジスタにおいて、チャネル幅がすべての領域で同じ値をとるとは限らない。即ち、一つのトランジスタのチャネル幅は、一つの値に定まらない場合がある。そのため、本明細書では、チャネル幅は、チャネルの形成される領域における、いずれか一の値、最大値、最小値又は平均値とする。
【０３７７】
なお、トランジスタの構造によっては、実際にチャネルの形成される領域におけるチャネル幅（以下、実効的なチャネル幅と呼ぶ。）と、トランジスタの上面図において示されるチャネル幅（以下、見かけ上のチャネル幅と呼ぶ。）と、が異なる場合がある。例えば、立体的な構造を有するトランジスタでは、実効的なチャネル幅が、トランジスタの上面図において示される見かけ上のチャネル幅よりも大きくなり、その影響が無視できなくなる場合がある。例えば、微細かつ立体的な構造を有するトランジスタでは、半導体の側面に形成されるチャネル領域の割合が大きくなる場合がある。その場合は、上面図において示される見かけ上のチャネル幅よりも、実際にチャネルの形成される実効的なチャネル幅の方が大きくなる。
【０３７８】
ところで、立体的な構造を有するトランジスタにおいては、実効的なチャネル幅の、実測による見積もりが困難となる場合がある。例えば、設計値から実効的なチャネル幅を見積もるためには、半導体の形状が既知という仮定が必要である。したがって、半導体の形状が正確にわからない場合には、実効的なチャネル幅を正確に測定することは困難である。
【０３７９】
そこで、本明細書では、トランジスタの上面図において、半導体とゲート電極とが重なる領域における、ソースとドレインとが向かい合っている部分の長さである見かけ上のチャネル幅を、「囲い込みチャネル幅（ＳＣＷ：Ｓｕｒｒｏｕｎｄｅｄ  Ｃｈａｎｎｅｌ  Ｗｉｄｔｈ）」と呼ぶ場合がある。また、本明細書では、単にチャネル幅と記載した場合には、囲い込みチャネル幅又は見かけ上のチャネル幅を指す場合がある。又は、本明細書では、単にチャネル幅と記載した場合には、実効的なチャネル幅を指す場合がある。なお、チャネル長、チャネル幅、実効的なチャネル幅、見かけ上のチャネル幅、囲い込みチャネル幅などは、断面ＴＥＭ像などを取得して、その画像を解析することなどによって、値を決定することができる。
【０３８０】
なお、トランジスタの電界効果移動度や、チャネル幅当たりの電流値などを計算して求める場合、囲い込みチャネル幅を用いて計算する場合がある。その場合には、実効的なチャネル幅を用いて計算する場合とは異なる値をとる場合がある。
【０３８１】
＜＜接続について＞＞
なお、本明細書等において、ＸとＹとが接続されている、と記載する場合は、ＸとＹとが電気的に接続されている場合と、ＸとＹとが機能的に接続されている場合と、ＸとＹとが直接接続されている場合とを含むものとする。したがって、所定の接続関係、例えば、図又は文章に示された接続関係に限定されず、図又は文章に示された接続関係以外のものも含むものとする。
【０３８２】
ここで使用するＸ、Ｙなどは、対象物（例えば、装置、素子、回路、配線、電極、端子、導電膜、層、など）であるとする。
【０３８３】
ＸとＹとが電気的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に１個以上接続されることが可能である。なお、スイッチは、オンオフが制御される機能を有している。つまり、スイッチは、導通状態（オン状態）、又は、非導通状態（オフ状態）になり、電流を流すか流さないかを制御する機能を有している。又は、スイッチは、電流を流す経路を選択して切り替える機能を有している。
【０３８４】
ＸとＹとが機能的に接続されている場合の一例としては、ＸとＹとの機能的な接続を可能とする回路（例えば、論理回路（インバータ、ＮＡＮＤ回路、ＮＯＲ回路など）、信号変換回路（ＤＡ変換回路、ＡＤ変換回路、ガンマ補正回路など）、電位レベル変換回路（電源回路（昇圧回路、降圧回路など）、信号の電位レベルを変えるレベルシフタ回路など）、電圧源、電流源、切り替え回路、増幅回路（信号振幅又は電流量などを大きく出来る回路、オペアンプ、差動増幅回路、ソースフォロワ回路、バッファ回路など）、信号生成回路、記憶回路、制御回路など）が、ＸとＹとの間に１個以上接続されることが可能である。なお、一例として、ＸとＹとの間に別の回路を挟んでいても、Ｘから出力された信号がＹへ伝達される場合は、ＸとＹとは機能的に接続されているものとする。
【０３８５】
なお、ＸとＹとが電気的に接続されている、と明示的に記載する場合は、ＸとＹとが電気的に接続されている場合（つまり、ＸとＹとの間に別の素子又は別の回路を挟んで接続されている場合）と、ＸとＹとが機能的に接続されている場合（つまり、ＸとＹとの間に別の回路を挟んで機能的に接続されている場合）と、ＸとＹとが直接接続されている場合（つまり、ＸとＹとの間に別の素子又は別の回路を挟まずに接続されている場合）とを含むものとする。つまり、電気的に接続されている、と明示的に記載する場合は、単に、接続されている、とのみ明示的に記載されている場合と同じであるとする。
【０３８６】
なお、例えば、トランジスタのソース（又は第１の端子など）が、Ｚ１を介して（又は介さず）、Ｘと電気的に接続され、トランジスタのドレイン（又は第２の端子など）が、Ｚ２を介して（又は介さず）、Ｙと電気的に接続されている場合や、トランジスタのソース（又は第１の端子など）が、Ｚ１の一部と直接的に接続され、Ｚ１の別の一部がＸと直接的に接続され、トランジスタのドレイン（又は第２の端子など）が、Ｚ２の一部と直接的に接続され、Ｚ２の別の一部がＹと直接的に接続されている場合では、以下のように表現することが出来る。
【０３８７】
例えば、「ＸとＹとトランジスタのソース（又は第１の端子など）とドレイン（又は第２の端子など）とは、互いに電気的に接続されており、Ｘ、トランジスタのソース（又は第１の端子など）、トランジスタのドレイン（又は第２の端子など）、Ｙの順序で電気的に接続されている。」と表現することができる。又は、「トランジスタのソース（又は第１の端子など）は、Ｘと電気的に接続され、トランジスタのドレイン（又は第２の端子など）はＹと電気的に接続され、Ｘ、トランジスタのソース（又は第１の端子など）、トランジスタのドレイン（又は第２の端子など）、Ｙは、この順序で電気的に接続されている」と表現することができる。又は、「Ｘは、トランジスタのソース（又は第１の端子など）とドレイン（又は第２の端子など）とを介して、Ｙと電気的に接続され、Ｘ、トランジスタのソース（又は第１の端子など）、トランジスタのドレイン（又は第２の端子など）、Ｙは、この接続順序で設けられている」と表現することができる。これらの例と同様な表現方法を用いて、回路構成における接続の順序について規定することにより、トランジスタのソース（又は第１の端子など）と、ドレイン（又は第２の端子など）とを、区別して、技術的範囲を決定することができる。なお、これらの表現方法は、一例であり、これらの表現方法に限定されない。ここで、Ｘ、Ｙ、Ｚ１、Ｚ２は、対象物（例えば、装置、素子、回路、配線、電極、端子、導電膜、層、など）であるとする。
【０３８８】
なお、回路図上は独立している構成要素同士が電気的に接続しているように図示されている場合であっても、１つの構成要素が、複数の構成要素の機能を併せ持っている場合もある。例えば配線の一部が電極としても機能する場合は、一の導電膜が、配線の機能、及び電極の機能の両方の構成要素の機能を併せ持っている。したがって、本明細書における電気的に接続とは、このような、一の導電膜が、複数の構成要素の機能を併せ持っている場合も、その範疇に含める。
【０３８９】
＜＜平行、垂直について＞＞
本明細書において、「平行」とは、二つの直線が−１０°以上１０°以下の角度で配置されている状態をいう。したがって、−５°以上５°以下の場合も含まれる。また、「略平行」とは、二つの直線が−３０°以上３０°以下の角度で配置されている状態をいう。また、「垂直」とは、二つの直線が８０°以上１００°以下の角度で配置されている状態をいう。したがって、８５°以上９５°以下の場合も含まれる。また、「略垂直」とは、二つの直線が６０°以上１２０°以下の角度で配置されている状態をいう。
【０３９０】
＜＜三方晶、菱面体晶について＞＞
本明細書において、結晶が三方晶又は菱面体晶である場合、六方晶系として表す。
【符号の説明】
【０３９１】
ＭＣ１    メモリセル
ＭＣ２    メモリセル
ＷＢＬ１    配線
ＷＢＬ２    配線
ＲＢＬ    配線
ＷＬ    配線
ＳＬ    配線
ＣＬ１    配線
ＣＬ２    配線
ＯＳ１−１    トランジスタ
ＯＳ１−２    トランジスタ
ＯＳ２−１    トランジスタ
ＯＳ２−２    トランジスタ
Ｃ１    容量素子
Ｃ２    容量素子
ＮＤ１    ノード
ＮＤ２    ノード
ＢＧ    バックゲート
ＢＧＬ１−１    配線
ＢＧＬ１−２    配線
ＢＧＬ２−１    配線
ＢＧＬ２−２    配線
Ｐ１    期間
Ｐ２    期間
Ｐ３    期間
Ｐ４    期間
Ｐ５    期間
ＣＮＴ１    コンタクト領域
ＣＮＴ２    コンタクト領域
ＣＮＴ３    コンタクト領域
ＣＮＴ４    コンタクト領域
ＣＮＴ５    コンタクト領域
ＣＮＴ６    コンタクト領域
Ｔｒ    トランジスタ
ＢＬ１    配線
ＢＬ２    配線
ＢＬ３    配線
ＢＬ４    配線
ＲＢＬ１    配線
ＲＢＬ２    配線
ＲＢＬ３    配線
ＲＢＬ４    配線
ＷＬ１    配線
ＷＬ２    配線
ＷＬ３    配線
ＷＬ４    配線
ＳＬ１    配線
ＳＬ２    配線
ＳＬ３    配線
ＳＬ４    配線
ＣＮＯＤＥ１    配線
ＣＮＯＤＥ２    配線
ＣＮＯＤＥ３    配線
ＣＮＯＤＥ４    配線
ＯＳ３    トランジスタ
ＯＳ４    トランジスタ
Ｃ０    容量素子
１００    メモリセルセット
１２０    メモリセルセット
１３０    メモリセルセット
２００    半導体装置
２０１    行ドライバ
２０２    列ドライバ
２０３    メモリセルアレイ
３０１    絶縁体
３０２    絶縁体
３０３    絶縁体
３０４    絶縁体
３０５    絶縁体
３０６ａ    絶縁体
３０６ｂ    絶縁体
３０７    絶縁体
３０８    絶縁体
３０９    絶縁体
３１０    絶縁体
３１１    絶縁体
３２１ａ    導電体
３２１ｂ    導電体
３２２    導電体
３２３    導電体
３２４    導電体
３２５    導電体
３２６ａ    導電体
３２６ｂ    導電体
３２７ａ    導電体
３２７ｂ    導電体
３２７ｃ    導電体
３２７ｄ    導電体
３２８    導電体
３２９ａ    導電体
３２９ｂ    導電体
３３０    導電体
３３１    導電体
３３２    導電体
３３３    導電体
３３４ａ    導電体
３３４ｂ    導電体
３３４ｃ    導電体
３３４ｄ    導電体
３４１    半導体
３４２    半導体
３４３    半導体
３４４    半導体
４００    半導体装置
４０１    メモリセルアレイ構造
４０２    周辺回路
１１００    ＵＳＢメモリ
１１０１    筐体
１１０２    キャップ
１１０３    ＵＳＢコネクタ
１１０４    基板
１１０５    メモリチップ
１１０６    コントローラチップ
１１１０    ＳＤカード
１１１１    筐体
１１１２    コネクタ
１１１３    基板
１１１４    メモリチップ
１１１５    コントローラチップ
１１５０    ＳＳＤ
１１５１    筐体
１１５２    コネクタ
１１５３    基板
１１５４    メモリチップ
１１５５    メモリチップ
１１５６    コントローラチップ
１２００    電子機器
１２０１    記憶装置
１２０２    ホスト装置
１２１０    ロジック部
１２１１    プロセッサ
１２１２    メモリ部
１２１３    インターフェース
１２１４    バス
１２２１    表示装置
１２２２    入力装置
１４００ａ    トランジスタ
１４００ｂ    トランジスタ
１４００ｃ    トランジスタ
１４００ｄ    トランジスタ
１４００ｅ    トランジスタ
１４００ｆ    トランジスタ
１４０１    絶縁膜
１４０２    絶縁膜
１４０３    絶縁膜
１４０４    絶縁膜
１４０５    絶縁膜
１４０６    絶縁膜
１４０７    絶縁膜
１４０８    絶縁膜
１４０９    絶縁膜
１４１１    導電膜
１４１２    導電膜
１４１３    導電膜
１４１４    導電膜
１４１５    開口部
１４２１    導電膜
１４２２    導電膜
１４２３    導電膜
１４２４    導電膜
１４３０    金属酸化物
１４３１    金属酸化物
１４３１ａ    金属酸化物
１４３１ｂ    金属酸化物
１４３１ｃ    金属酸化物
１４３２    金属酸化物
１４３２ａ    金属酸化物
１４３２ｂ    金属酸化物
１４３２ｃ    金属酸化物
１４３３    金属酸化物
１４４１    領域
１４４２    領域
１４５０    基板
１４５１    低抵抗領域
１４５２    低抵抗領域
１４６１    領域
１４６１ａ    領域
１４６１ｂ    領域
１４６１ｃ    領域
１４６１ｄ    領域
１４６１ｅ    領域
１４６２    領域
１４６３    領域
１６８０    トランジスタ
１６８１    絶縁膜
１６８２    半導体
１６８３    導電膜
１６８４    導電膜
１６８５    絶縁膜
１６８６    絶縁膜
１６８７    絶縁膜
１６８８    導電膜
１６８９    導電膜
１７００    基板
１７０１    素子分離層
１７１２    導電体
１７３０    導電体
１７９０    ゲート電極
１７９２    ウェル
１７９３    チャネル形成領域
１７９４    低濃度不純物領域
１７９５    高濃度不純物領域
１７９６    導電性領域
１７９７    ゲート絶縁膜
１７９８    側壁絶縁層
１７９９    側壁絶縁層
２６００    記憶装置
２６０１    周辺回路
２６１０    メモリセルアレイ
２６２１    ローデコーダ
２６２２    ワード線ドライバ回路
２６３０    ビット線ドライバ回路
２６３１    カラムデコーダ
２６３２    プリチャージ回路
２６３３    センスアンプ
２６３４    書き込み回路
２６４０    出力回路
２６６０    コントロールロジック回路
４７００    電子部品
４７０１    リード
４７０２    プリント基板
４７０３    回路部
４７０４    回路基板
５２００    携帯型ゲーム機
５２０１    第１筐体
５２０２    第２筐体
５２０３    表示部
５２０４    表示部
５２０５    マイクロフォン
５２０６    スピーカ
５２０７    操作ボタン
５２０８    スタイラス
５２１０    ビデオカメラ
５２１１    第１筐体
５２１２    第２筐体
５２１３    表示部
５２１４    操作ボタン
５２１５    レンズ
５２１６    接続部
５２２０    タブレット型情報端末
５２２１    筐体
５２２２    表示部
５２２３    操作ボタン
５２２４    スピーカ
５２３０    腕時計型情報端末
５２３１    筐体
５２３２    表示部
５２３３    第１操作キー
５２３４    第２操作キー
５２３５    第３操作キー
５２４０    スマートフォン
５２４１    筐体
５２４２    操作ボタン
５２４３    マイクロフォン
５２４４    表示部
５２４５    スピーカ
５２４６    カメラ用レンズ
５２５０    ノート型ＰＣ
５２５１    筐体
５２５２    表示部
５２５３    キーボード
５２５４    ポインティングデバイス
５３００    情報端末
５３０１    表示部
５３０２    筐体
５３１０    情報端末
５３１１    表示部
５３１２    表示部
５３１３    筐体
５３２０    情報端末
５３２１    表示部
５３２２    筐体
５３２３    筐体
６０００    記憶装置
６１００    メモリセル
【図１】
0006773453.tif 000003
【図２】
0006773453.tif 000004
【図３】
0006773453.tif 000005
【図４】
0006773453.tif 000006
【図５】
0006773453.tif 000007
【図６】
0006773453.tif 000008
【図７】
0006773453.tif 000009
【図８】
0006773453.tif 000010
【図９】
0006773453.tif 000011
【図１０】
0006773453.tif 000012
【図１１】
0006773453.tif 000013
【図１２】
0006773453.tif 000014
【図１３】
0006773453.tif 000015
【図１４】
0006773453.tif 000016
【図１５】
0006773453.tif 000017
【図１６】
0006773453.tif 000018
【図１７】
0006773453.tif 000019
【図１８】
0006773453.tif 000020
【図１９】
0006773453.tif 000021
【図２０】
0006773453.tif 000022
【図２１】
0006773453.tif 000023
【図２２】
0006773453.tif 000024
【図２３】
0006773453.tif 000025
【図２４】
0006773453.tif 000026
【図２５】
0006773453.tif 000027
【図２６】
0006773453.tif 000028
【図２７】
0006773453.tif 000029
【図２８】
0006773453.tif 000030
【図２９】
0006773453.tif 000031
【図３０】
0006773453.tif 000032
【図３１】
0006773453.tif 000033
【図３２】
0006773453.tif 000034
【図３３】
0006773453.tif 000035
【図３４】
0006773453.tif 000036
【図３５】
0006773453.tif 000037
【図３６】
0006773453.tif 000038